(57)【要約】【課題】干渉制御に関する負荷率を含む情報を決定、通信及び使用するための方法及び装置【解決手段】無線端末は、複数の基地局アタッチメントポイントから送信されたブロードキャスト基準信号、例えばビーコン及び／又はパイロット信号、を受信及び測定する。前記無線端末は、アタッチメントポイントに対応するブロードキャスト負荷率情報の有無をモニタリングし、復元することを試みる。前記無線端末は、干渉報告を生成し及び現在のアタッチメントポイントに送信し、前記報告は、前記現在のアタッチメントポイントからの測定された受信された基準信号の結果、１つ以上の異なるアタッチメントポイントの各々からの測定された受信された基準信号の結果、及びアップリンク負荷率情報の結果に基づく。アタッチメントポイントに対応する成功裏に復元されたブロードキャストアップリンク負荷率が存在しない場合は、前記無線端末は、該負荷率に関するデフォルト値を用いる。生成された干渉報告は、ビーコン信号測定とアップリンク負荷率、パイロット信号測定とアップリンク負荷率、又はビーコン及びパイロット信号の測定とアップリンク負荷率の組合せ、に基づく。【選択図】図２２
2009512357.tif 000002
【特許請求の範囲】
【請求項１】
無線端末動作方法であって、
少なくとも１つのアップリンク負荷率を通信する受信されたブロードキャスト信号を検出するためにモニタリングすることであって、各ブロードキャストアップリンク負荷率は、アタッチメントポイントに対応することと、
第１のアタッチメントポイントから第１の信号を受信することと、
前記受信された第１の信号に関する第１の測定を行うことと、
前記第１の信号の前記測定及び前記第１のアタッチメントポイントに対応する第１の受信されたアップリンク負荷率に基づいてアップリンク干渉報告を生成することと、
前記生成されたアップリンク干渉報告を送信すること、とを具備する、方法。
【請求項２】
第２のアタッチメントポイントから第２の信号を受信することと、
前記受信された第２の信号に関する第２の測定を行うこと、とをさらに具備し、アップリンク干渉報告を生成することは、前記第２の測定の結果を用いて前記アップリンク干渉報告を生成することを含む請求項１に記載の方法。
【請求項３】
前記第１及び第２の測定は、信号電力測定である請求項２に記載の方法。
【請求項４】
前記第１の信号は、ビーコン又はパイロット信号であり、前記第２の信号は、ビーコン又はパイロット信号である請求項３に記載の方法。
【請求項５】
前記アップリンク干渉報告は、第１及び第２の値の比を通信し、前記第１の値は、前記第１の負荷率と前記第１の信号測定の前記結果の積の関数であり、前記第２の値は、前記第２の測定の前記第２の結果の関数である請求項３に記載の方法。
【請求項６】
前記第１及び第２の信号は、ＯＦＤＭ信号である請求項５に記載の方法。
【請求項７】
前記第２の値は、前記第２のアタッチメントポイントに対応する第２の負荷率と前記第２の信号測定の前記結果の積の関数でもある請求項５に記載の方法。
【請求項８】
前記アップリンク干渉報告を生成する前に前記第２の負荷率を受信することをさらに具備する請求項７に記載の方法。
【請求項９】
前記第２の負荷率をデフォルト値に設定することをさらに具備する請求項７に記載の方法。
【請求項１０】
第３のアタッチメントポイントから第３の信号を受信することと、
前記受信された第３の信号に関する第３の測定を行うこと、とを具備し、アップリンク干渉報告を生成することは、前記第３の測定の結果を用いて前記第２の値を生成することを含む請求項５に記載の方法。
【請求項１１】
前記第３の測定の前記結果を用いて前記第２の値を生成することは、
第３及び第４の値を合計することであって、前記第３値は、前記第２の信号測定の前記結果の関数であり、前記第４の値は、前記第３の信号測定の前記結果の関数であることを含む請求項１０に記載の方法。
【請求項１２】
前記第１の値は、以下の方程式に従って生成され、
ｂ０ＰＢ０
前記第２の値は、以下の方程式に従って生成され、
ｂ１ＰＢ１＋ｂ２ＰＢ２
ここで、ｂ０は、前記第１のアタッチメントポイントに対応する前記負荷率であり、
ＰＢ０は、前記第１のアタッチメントポイントからの受信されたビーコン信号の測定された電力であり、
ｂ１は、前記第２のアタッチメントポイントに対応するする負荷率であり、
ＰＢ１は、前記第２のアタッチメントポイントからの受信されたビーコン信号の前記測定された電力であり、
ｂ２は、前記第３のアタッチメントポイントに対応する負荷率であり、
ＰＢ２は、前記第３のアタッチメントポイントからの受信されたビーコン信号の前記測定された電力である請求項１１に記載の方法。
【請求項１３】
前記第３の測定の前記結果を用いて前記第２の値を生成することは、
前記第２の値を第３及び第４の値の最大値に設定することであって、前記第３の値は、前記第２の信号測定の前記結果の関数であり、前記第４の値は、前記第３の信号測定の前記結果の関数であることを含む請求項１０に記載の方法。
【請求項１４】
前記第１の値は、以下の方程式に従って生成され、
ｂ０ＰＢ０
前記第２の値は、以下の方程式に従って生成され、
ＭＡＸ（ｂ１ＰＢ１，ｂ２ＰＢ２）
ここで、ｂ０は、前記第１のアタッチメントポイントに対応する前記負荷率であり、
ＰＢ０は、前記第１のアタッチメントポイントからの受信されたビーコン信号の前記測定された電力であり、
ｂ１は、前記第２のアタッチメントポイントに対応する負荷率であり、
ＰＢ１は、前記第２のアタッチメントポイントからの受信されたビーコン信号の前記測定された電力であり、
ｂ２は、前記第３のアタッチメントポイントに対応する負荷率であり、
ＰＢ２は、前記第３のアタッチメントポイントからの受信されたビーコン信号の前記測定された電力である請求項１３に記載の方法。
【請求項１５】
無線端末であって、
少なくとも１つのアップリンク負荷率を通信する受信されたブロードキャスト信号を検出するためのモニタリングモジュールであって、各ブロードキャストアップリンク負荷率は、アタッチメントポイントに対応するモニタリングモジュールと、
第１の型の受信された信号を測定するための第１の測定モジュールと、
第２の型の受信された信号を測定するための第２の測定モジュールと、第１の受信された信号の測定及び第１のアタッチメントポイントに対応する第１の受信されたアップリンク負荷率に基づいてアップリンク干渉報告を生成するための報告生成モジュールと、
生成されたアップリンク干渉報告を送信するための送信機と、を具備する、無線端末。
【請求項１６】
前記アップリンク干渉報告生成モジュールは、第２のアタッチメントポイントからの第２の信号の前記測定を用いてアップリンク干渉報告を生成する請求項１５に記載の無線端末。
【請求項１７】
前記第１及び第２の測定モジュールは、各々が信号電力測定モジュールを含む請求項１６に記載の無線端末。
【請求項１８】
前記第１の信号は、ビーコン又はパイロット信号であり、
前記第２の信号は、ビーコン又はパイロット信号である請求項１７に記載の無線端末。
【請求項１９】
前記アップリンク干渉報告は、第１及び第２の値の比を通信し、前記報告生成モジュールは、
ｉ）前記第１の負荷率と前記第１の信号測定の前記結果の積の関数として前記第１の値を生成するための第１の値生成モジュールと、
ｉｉ）前記第２の測定の前記第２の結果の関数として前記第２の値を生成するための第２の値生成モジュールと、を含む請求項１７に記載の無線端末。
【請求項２０】
前記第２の値生成モジュールは、前記第２のアタッチメントポイントに対応する第２の負荷率と前記第２の信号測定の前記結果の積を生成するための乗算器モジュールを含む請求項１９に記載の無線端末。
【請求項２１】
前記第２のアタッチメントポイントからの成功裏に受信された第２の負荷率が存在しない場合は前記第２の負荷率をデフォルト値に設定するための負荷率決定モジュールをさらに具備する請求項２０に記載の無線端末。
【請求項２２】
無線端末であって、
少なくとも１つのアップリンク負荷率を通信する受信されたブロードキャスト信号を検出するための手段であって、各ブロードキャストアップリンク負荷率は、アタッチメントポイントに対応する手段と、
第１の型の受信された信号を測定するための手段と、
第２の型の受信された信号を測定するための手段と、
第１の受信された信号の測定及び第１のアタッチメントポイントに対応する第１の受信されたアップリンク負荷率に基づいてアップリンク干渉報告を生成するための手段と、
生成されたアップリンク干渉報告を送信するための手段と、を具備する、無線端末。
【請求項２３】
アップリンク干渉報告を生成するための前記手段は、第２のアタッチメントポイントからの第２の信号の前記測定を用いてアップリンク干渉報告を生成する請求項２２に記載の無線端末。
【請求項２４】
第１の型の受信された信号を測定するための前記手段及び第２の型の受信された信号を測定するための前記手段は、信号電力測定モジュールを各々含む請求項２３に記載の無線端末。
【請求項２５】
前記第１の信号は、ビーコン又はパイロット信号であり、
前記第２の信号は、ビーコン又はパイロット信号である請求項２４に記載の無線端末。
【請求項２６】
前記アップリンク干渉報告は、第１及び第２の値の比を通信し、
アップリンク干渉報告を生成するための前記手段は、
ｉ）前記第１の負荷率と前記第１の信号測定の前記結果の積の関数として前記第１の値を生成するための手段と、
ｉｉ）前記第２の測定の前記第２の結果の関数として前記第２の値を生成するための手段と、を含む請求項２４に記載の無線端末。
【請求項２７】
前記第１及び第２の信号は、ＣＤＭＡ信号である請求項２６に記載の無線端末。
【請求項２８】
前記第１及び第２の信号は、ＯＦＤＭ信号である請求項２６に記載の無線端末。
【請求項２９】
前記第２の値を生成するための前記手段は、前記第２のアタッチメントポイントに対応する第２の負荷率と前記第２の信号測定の前記結果の積を生成するための手段を含む請求項２６に記載の無線端末。
【請求項３０】
前記第２のアタッチメントポイントからの成功裏に受信された第２の負荷率が存在しない場合は前記第２の負荷率をデフォルト値に設定するための手段をさらに具備する請求項２９に記載の無線端末。
【請求項３１】
アップリンク干渉報告を生成するための前記手段は、第３のアタッチメントポイントからの第３の測定の結果を用いて前記第２の値を生成することによって少なくとも１つのアップリンク干渉報告を生成する請求項２６に記載の無線端末。
【請求項３２】
アップリンク干渉報告を生成するための前記手段は、
第３及び第４の値を合計するための手段であって、前記第３の値は、前記第２の信号測定の前記結果の関数であり、前記第４の値は、前記第３の信号測定の前記結果の関数である手段、を含む請求項３１に記載の無線端末。
【請求項３３】
前記第１の値は、以下の方程式に従って生成され、
ｂ０ＰＢ０
前記第２の値は、以下の方程式に従って生成され、
ｂ１ＰＢ１＋ｂ２ＰＢ２
ここで、ｂ０は、前記第１のアタッチメントポイントに対応する前記負荷率であり、
ＰＢ０は、前記第１のアタッチメントポイントからの受信されたビーコン信号の前記測定された電力であり、
ｂ１は、前記第２のアタッチメントポイントに対応するする負荷率であり、
ＰＢ１は、前記第２のアタッチメントポイントからの受信されたビーコン信号の前記測定された電力であり、
ｂ２は、前記第３のアタッチメントポイントに対応する負荷率であり、
ＰＢ２は、前記第３のアタッチメントポイントからの受信されたビーコン信号の前記測定された電力である請求項３２に記載の無線端末。
【請求項３４】
アップリンク干渉報告を生成するための前記手段は、
前記第２の値を第３及び第４の値の最大値に設定するための手段であって、前記第３の値は、前記第２の信号測定の前記結果の関数であり、前記第４の値は、前記第３の信号測定の前記結果の関数である手段、を含む請求項３１に記載の無線端末。
【請求項３５】
前記第１の値は、以下の方程式に従って生成され、
ｂ０ＰＢ０
前記第２の値は、以下の方程式に従って生成され、
ＭＡＸ（ｂ１ＰＢ１，ｂ２ＰＢ２）
ここで、ｂ０は、前記第１のアタッチメントポイントに対応する前記負荷率であり、
ＰＢ０は、前記第１のアタッチメントポイントからの受信されたビーコン信号の前記測定された電力であり、
ｂ１は、前記第２のアタッチメントポイントに対応する負荷率であり、
ＰＢ１は、前記第２のアタッチメントポイントからの受信されたビーコン信号の前記測定された電力であり、
ｂ２は、前記第３のアタッチメントポイントに対応する負荷率であり、
ＰＢ２は、前記第３のアタッチメントポイントからの受信されたビーコン信号の前記測定された電力である請求項３４に記載の無線端末。
【請求項３６】
コンピュータによって読み取り可能な媒体であって、
無線端末を動作する方法であって、
少なくとも１つのアップリンク負荷率を通信する受信されたブロードキャスト信号を検出するためにモニタリングすることであって、各ブロードキャストアップリンク負荷率は、アタッチメントポイントに対応することと、
第１のアタッチメントポイントから第１の信号を受信することと、
前記受信された第１の信号に関する第１の測定を行うことと、
前記第１の信号の前記測定及び前記第１のアタッチメントポイントに対応する第１の受信されたアップリンク負荷率に基づいてアップリンク干渉報告を生成することと、
前記生成されたアップリンク干渉報告を送信すること、とを具備する方法、を実装するための機械によって実行可能な命令を具備する、コンピュータによって読み取り可能な媒体。
【請求項３７】
請求項３６に記載のコンピュータによって読み取り可能な媒体であって、
アップリンク干渉報告を生成する前記ステップの一部として、  
第２のアタッチメントポイントから第２の信号を受信するための機械によって実行可能な命令と、
前記受信された第２の信号に関する第２の測定を行うための機械によって実行可能な命令と、
前記第２の測定の前記結果を用いて前記アップリンク干渉報告を生成するための機械によって実行可能な命令と、をさらに具備する請求項３６に記載のコンピュータによって読み取り可能な媒体。
【請求項３８】
前記第１及び第２の測定は、信号電力測定である請求項３７に記載のコンピュータによって読み取り可能な媒体。
【請求項３９】
前記第１の信号は、ビーコン又はパイロット信号であり、前記第２の信号は、ビーコン又はパイロット信号である請求項３８に記載のコンピュータによって読み取り可能な媒体方法。
【請求項４０】
前記アップリンク干渉報告は、第１及び第２の値の比を通信し、前記第１の値は、前記第１の負荷率と前記第１の信号測定の前記結果の積の関数であり、前記第２の値は、前記第２の測定の前記第２の結果の関数である請求項３８に記載のコンピュータによって読み取り可能な媒体。
【請求項４１】
前記第１及び第２の値は、ＯＦＤＭ信号である請求項４０に記載のコンピュータによって読み取り可能な媒体方法。
【請求項４２】
前記第２の値は、前記第２のアタッチメントポイントに対応する第２の負荷率と前記第２の信号測定の前記結果の積の関数でもある請求項４０に記載のコンピュータによって読み取り可能な媒体。
【請求項４３】
前記アップリンク干渉報告を生成する前に前記第２の負荷率を受信するための機械によって実行可能な命令をさらに具備する請求項４２に記載のコンピュータによって読み取り可能な媒体。
【請求項４４】
前記第２の負荷率をデフォルト値に設定するための機械によって実行可能な命令をさらに具備する請求項４２に記載のコンピュータによって読み取り可能な媒体。
【請求項４５】
通信システムにおいて動作可能な装置であって、
少なくとも１つのアップリンク負荷率を通信する受信されたブロードキャスト信号を検出するためにモニタリングし、
第１のアタッチメントポイントから第１の信号を受信し、
前記受信された第１の信号に関する第１の測定を行い、
前記第１の信号の前記測定及び前記第１のアタッチメントポイントに対応する第１の受信されたアップリンク負荷率に基づいてアップリンク干渉報告を生成し、
前記生成されたアップリンク干渉報告を送信するように構成されたプロセッサであって、各ブロードキャストアップリンク負荷率は、アタッチメントポイントに対応するプロセッサ、を具備する、装置。
【請求項４６】
前記プロセッサは、
第２のアタッチメントポイントから第２の信号を受信し、
前記受信された第２の信号に関する第２の測定を行い、
前記第２の測定の前記結果を用いて前記アップリンク干渉報告を生成するように構成される請求項４５に記載の装置。
【請求項４７】
前記第１及び第２の測定は、信号電力測定である請求項４６に記載の装置。
【請求項４８】
前記第１の信号は、ビーコン又はパイロット信号であり、
前記第２の信号は、ビーコン又はパイロット信号である請求項４７に記載の装置。
【請求項４９】
前記アップリンク干渉報告は、第１と第２の値の比を通信し、前記第１の値は、前記第１の負荷率と前記第１の信号測定の前記結果の積の関数であり、前記第２の値は、前記第２の測定の前記第２の結果の関数である請求項４７に記載の装置。
【請求項５０】
前記第２の値は、前記第２のアタッチメントポイントに対応する第２の負荷率と前記第２の信号測定の前記結果の積の関数でもある請求項４９に記載の装置。
【請求項５１】
前記プロセッサは、
前記アップリンク干渉報告を生成する前に前記第２の負荷率を受信するように構成される請求項５０に記載の装置。
【発明の詳細な説明】
【技術分野】
【０００１】
３５Ｕ．Ｓ．Ｃ．§１１９に基づく優先権の主張
本特許出願は、“METHODS AND APPARATUS FOR DETERMINING, COMMUNUNICATING AND USING INFORMATION WHICH CAN BE USED FOR INTERFERENCE CONTROL PURPOSES”（干渉制御目的で用いることができる情報を決定、通信及び使用するための方法及び装置）という題名を有し、米国特許出願１１／２５１，０６９（出願日：２００５年１０月１４日）の一部継続出願でありさらに米国特許出願Ｓ．Ｎ．１１／３０２，７２９（出願日：２００５年１２月１４日）の一部継続出願である米国仮特許出願Ｓ．Ｎ．６０／７９２，１２８（出願日：２００６年４月１４日）の出願日の利益を主張するものであり、これらの特許出願の各々は、本明細書において参照されることによって明示で本明細書に組み入れられている。
【０００２】
本発明は、無線通信システムに関するものである。本発明は、より具体的には、無線通信システムにおいて干渉制御目的で用いることができる情報を収集、測定、報告及び／又は使用するための方法及び装置に関するものである。
【背景技術】
【０００３】
無線多元接続通信システムにおいては、無線端末は、アップリンクチャネルを通じて共通の受信機と通信するためにシステム資源を求めて競争する。この状況の一例は、無線端末が基地局の受信機に送信するセルラー無線システムにおけるアップリンクチャネルである。無線端末がアップリンクチャネルで送信時には、典型的には、システム全体、例えば近隣の基地局受信機に対する干渉を引き起こす。無線端末は分散されているため、その送信によって生成される干渉を制御することは難題である。  
多くのセルラー無線システムは、単純なアップリンク干渉制御戦略を採用している。例えば、ＣＤＭＡ音声システム（例えば、ＩＳ−９５）は、無線端末の信号が基地局受信機においてほぼ同じ電力で受信されるような形でこれらの無線端末を電力制御する。１ｘＲＴＴ及び１ｘＥＶ−ＤＯ等の最高水準のＣＤＭＡシステムは、無線端末が異なる速度で送信すること及び基地局において異なる電力で受信されることを考慮する。しかしながら、干渉は、システム内における最悪の干渉源である無線端末を正確に制御せずに全体的な干渉レベルを引き下げるような分散方式で制御される。
【０００４】
このような既存の干渉制御手法は、無線システムのアップリンク容量を制限する。
【０００５】
送信が生じたときに近隣セル及び／又はセクターにおいて作り出される信号干渉量を決定する際に及び／又は無線端末が信号干渉に起因して出くわす可能性がある干渉量を決定する際に用いることができる情報を基地局に提供することができれば有用になる。干渉決定目的で用いることができる情報が１つ以上の無線端末によって基地局に供給可能であることが特に望ましい。
【０００６】
負荷は、無線通信システムにおける干渉上の考慮事項に影響を与える。無線端末及び／又は基地局が該情報を通信すれば有益である。さらに、無線端末及び／又は基地局が干渉レベルを決定する際に該負荷情報を利用すれば有益である。
【０００７】
基地局に干渉情報を通信する無線端末にとっての異なる時点において、様々な受信された異なる型のダウンリンクブロードキャスト基準信号を用いることが可能である。干渉情報を決定する際に及び／又は現在の一組の状態に対処するように報告計算を適合化する際に異なる型のブロードキャスト基準信号を利用することを方法及び装置がサポートすれば有益である。
【発明の開示】
【発明の概要】
【０００８】
様々な実施形態は、干渉制御目的で用いることができる情報を収集、測定、報告及び／又は使用するための方法及び装置を対象とするものである。
【０００９】
様々な実施形態により、無線端末、例えばモバイルノードは、１つ以上の基地局、例えば基地局セクターアタッチメントポイント送信機、から送信された基準信号を測定する。前記測定された基準信号は、例えばビーコン信号及び／又はパイロット信号であることができる。前記ビーコン信号は、狭帯域信号、例えば単一のトーン、であることができる。前記ビーコン信号は、１つ、２つ又はそれよりも多い信号送信期間、例えばＯＦＤＭ信号送信期間、から成る継続時間を有することができる。しかしながら、その他の型のビーコン信号を用いることができ、前記特定の型のビーコン信号は、本発明にとって極めて重要ではない。前記測定された基準信号から、前記無線端末は、幾つかの実施形態においては、異なる基地局から前記端末までの通信チャネルの相対利得に関する情報を提供する１つ以上の利得比を生成する。幾つかの実施形態においては、干渉情報を生成する際には、１つ以上の異なる基地局アタッチメントポイントに対応するアップリンク基地局アタッチメントポイント負荷率（ｌｏａｄｉｎｇ  ｆａｃｔｏｒ）情報も用いられる。
【００１０】
信号エネルギーの測定に基づき、前記エネルギー測定から生成された相対利得、及びアップリンク負荷率情報報告が生成されて１つ以上の基地局に送信され、例えば、ビーコン比報告が生成され、専用制御チャネルを用いて現交信接続基地局アタッチメントポイントに送信される。前記報告、例えばビーコン比報告等のアップリンク干渉報告、は、複数の異なるフォーマットであることができ、現交信基地局アタッチメントポイントを単一の追加の基地局アタッチメントポイントに又は複数の追加の基地局アタッチメントポイントに関連させる情報を提供することができる。現交信基地局セクターアタッチメントポイントは、特定の異なる基地局セクターアタッチメントポイント、例えば隣接するセル及び／又はセクター基地局セクターアタッチメントポイントに関連する干渉情報を提供する干渉報告の送信を無線端末に要求することができる。この要求は、幾つかの実施形態においては、特定干渉報告要求を前記無線端末に送信する現交信基地局セクターアタッチメントポイントによって行われる。前記要求は、通常は、前記特定報告が求められている干渉ＢＳセクターアタッチメントポイントを直接又は間接的に識別する。前記無線端末は、前記要求された報告を送信することによって該要求に応じる。
【００１１】
特定干渉報告要求に応じることに加えて、無線端末は、幾つかの実施形態においては、報告スケジュールに従って生成された干渉報告を送信する。該実施形態においては、無線端末とアクティブな接続を有する基地局セクターアタッチメントポイントは、例えば反復的専用制御チャネル報告スケジュールの一部として、予測可能な、例えば予め決められた、スケジュールに基づいて干渉報告を受信する。
【００１２】
前記実施形態に依存し、利得比及び／又は報告の生成は、異なる基地局セクターアタッチメントポイントによって用いられる及び／又は測定することができる信号に関する相対的送信電力レベルを示す様々な因子（ｆａｃｔｏｒ）の関数であることができる。この方法により、測定中の様々な信号の異なる相対的送信電力レベルを考慮に入れることによって、信頼できる相対的チャネル利得推定を生成する際に、異なる電力レベルで送信される信号、例えばパイロット及びビーコン信号、を測定及び使用することができる。
【００１３】
上述されるように、無線端末は、複数の基地局アタッチメントポイントから送信されたブロードキャスト基準信号、例えばビーコン及び／又はパイロット信号、を受信及び測定する。前記無線端末は、基地局アタッチメントポイントに対応するブロードキャスト負荷率情報の有無をモニタリングし、復元することを試みる。幾つかの実施形態においては、基地局アタッチメントポイントに対応するアップリンク負荷率情報は、少なくとも４つの異なる負荷レベルのうちの１つを搬送するダウンリンクブロードキャスト報告において通信される。１つの該実施形態においては、基地局アタッチメントポイントに対応する前記アップリンク負荷率は、８つの負荷レベルのうちの１つを通信する３ビット報告において通信される。幾つかの実施形態においては、特定の基地局アタッチメントポイントに対応するアップリンク負荷率報告が、前記アップリンク負荷率報告が対応する同じ特定の基地局アタッチメントポイントからダウンリンクブロードキャストを介して通信される。幾つかの実施形態においては、基地局セクターアタッチメントポイント、例えば現交信接続基地局セクターアタッチメントポイントは、複数のローカル基地局セクターアタッチメントポイントに対応するアップリンク負荷率情報をブロードキャストする。該実施形態においては、その現在の交信基地局アタッチメントポイントに関して同期化された無線端末は、前記無線端末が対象となるその他のローカル基地局セクターアタッチメントポイントに関してタイミングが同期化されていない場合でも及び／又はこれらの追加の基地局アタッチメントポイントから送信されたアップリンク負荷率情報を通信するブロードキャスト制御信号が前記無線端末の観点から弱すぎて本来であれば復元できない場合でもこれらの追加の基地局アタッチメントポイントに対応するアップリンク負荷率情報を復元して使用することができる。
【００１４】
前記無線端末は、干渉報告を生成して現在の基地局アタッチメントポイントに送信し、前記報告は、前記現在の基地局アタッチメントポイントからの測定された受信された基準信号の結果、１つ以上の異なる基地局アタッチメントポイントの各々からの測定された受信された基準信号の結果、及びアップリンク負荷率情報の結果に基づく。前記干渉報告において用いられる基地局アタッチメントポイントに対応する成功裏に復元されたブロードキャストアップリンク負荷率が存在しない場合は、前記無線端末は、前記基地局アタッチメントポイントに対応する前記負荷率に関してデフォルト値を用いる。
【００１５】
様々な実施形態における生成された干渉報告は、ビーコン信号測定とアップリンク負荷率、パイロット信号測定とアップリンク負荷率、又はビーコン及びパイロット信号測定とアップリンク負荷率の組合せ、に基づく。１つの基準信号を他の基準信号に関連させる送信利得率は、幾つかの実施形態においては、干渉報告を生成する際に前記無線端末によって用いられる。例えば１つの典型的実施形態においては、ビーコン信号は、システム全体を通じて同じ電力レベルで送信され、パイロット信号は、システムにおいて異なるレベルで送信され、特定のアタッチメントポイントからの前記パイロット信号は、複数の予め決められた電力段レベル（ｐｏｗｅｒ  ｔｉｅｒ  ｌｅｖｅｌ）のうちの１つにおいて送信される。無線端末は、異なる型の及び／又は異なるアタッチメントポイントをソースとする受信された基準信号を比較する際には、必要時に送信利得調整係数を用いる。さらに、前記無線端末は、受信された基準信号電力レベルをスケーリングする際及び干渉報告を生成する際には受信された及び／又はデフォルトの基地局アタッチメントポイントアップリンク負荷率を用いる。
【００１６】
その他の型の干渉報告、例えば特別干渉報告と時々呼ばれる特定干渉報告、は、現在の交信基地局アタッチメントポイントを単一の追加の基地局アタッチメントポイントに関連させ、様々な実施形態においては、前記報告を生成する際に多レベルアップリンク負荷率が用いられる。幾つかの該実施形態においては、前記単一の追加の基地局アタッチメントポイントは、前記現在の交信基地局アタッチメントポイントによって選択される。他の型の干渉報告、例えば一般的干渉報告、は、現在の交信基地局アタッチメントポイントを１つ以上の追加の基地局アタッチメントポイントに関連させ、合計関数及び最大関数のうちの１つを用いて生成され、幾つかの実施形態においては、多レベルアップリンク負荷率情報を用いて生成される。
【００１７】
上記の発明の概要においては様々な実施形態が説明されている一方で、必ずしもすべての実施形態が同じ特長を含むわけではないこと及び上述される特長の一部は必須ではないが幾つかの実施形態においては望ましいことが理解されるべきである。本発明の数多くのさらなる特長、実施形態及び利益が以下の発明を実施するための最良の形態において説明される。
【発明を実施するための最良の形態】
【００１８】
次に、様々な実施形態により干渉制御目的で用いることができる情報を収集、報告及び使用するための方法及び装置が説明される。本発明の方法及び装置は、無線多元接続、例えば多ユーザー、通信システムとともに用いるのに非常に適する。該システムは、ＯＦＤＭシステム、ＣＤＭＡシステム又は１つ以上の送信機、例えば隣接する基地局、からの送信による信号干渉が懸念されるその他の型の無線システムとして実装することができる。
【００１９】
以下では、図１に示される本発明のセルラー無線データ通信システム１００に関して本発明の典型的実施形態が説明される。典型的セルラー無線システムは、本発明について説明することを目的として用いられる一方で、本発明は、該例よりも適用範囲が広く、その他の数多くの無線通信システムに対しても同様に一般的に適用可能である。
【００２０】
無線データ通信システムにおいて、エアリンク資源は、一般的には、帯域幅、時間又は符号を含む。ユーザーデータ及び／又は音声トラフィックを転送するエアリンク資源は、トラフィックチャネルと呼ばれる。データは、トラフィックチャネルを通じてトラフィックチャネルセグメント（略してトラフィックセグメント）において通信される。トラフィックセグメントは、利用可能なトラフィックチャネル資源の基本単位又は最小単位として機能することができる。ダウンリンクトラフィックセグメントは、基地局から無線端末にデータトラフィックを転送し、アップリンクトラフィックセグメントは、無線端末から基地局にデータトラフィックを転送する。本発明を用いることができる１つの典型的システムは、トラフィックセグメントが有限の時間間隔において定義された周波数トーン数を含む拡散スペクトルＯＦＤＭ（直交周波数分割多重化）多元接続システムである。
【００２１】
図１は、様々な実施形態により実装される典型的無線通信システム１００を示す。典型的無線通信システム１００は、複数の基地局（ＢＳ）、すなわち基地局１  １０２、基地局Ｍ  １１４を含む。セル１  １０４は、基地局１  １０２に関する無線カバレッジエリアである。ＢＳ１  １０２は、複数の無線端末（ＷＴ）、すなわちセル１  １０４内に所在するＷＴ（１）１０６、ＷＴ（Ｎ）１０８と通信する。ＷＴ（１）１０６、ＷＴ（Ｎ）１０８は、無線リンク１１０、１１２をそれぞれ介してＢＳ１  １０２に結合される。同様に、セルＭ  １１６は、基地局Ｍ  １１４に関する無線カバレッジエリアである。ＢＳ  Ｍ  １１４は、複数の無線端末（ＷＴ）、すなわちセルＭ  １１６内に所在するＷＴ（１’）１１８、ＷＴ（Ｎ’）１２０と通信する。ＷＴ（１’）１１８、ＷＴ（Ｎ’）１２０は、無線リンク１２２、１２４をそれぞれ介してＢＳ  Ｍ  １１４に結合される。ＷＴ（１０６、１０８、１１８、１２０）は、移動型及び／又は静止型の無線通信デバイスであることができる。移動型のＷＴは、モバイルノード（ＭＮ）と時々呼ばれ、システム１００全体を移動することができ、これらの移動型ＷＴが所在するセルに対応する基地局と通信することができる。領域１３４は、セル１  １０４とセルＭ  １１６との間の境界領域である。図１のシステムにおいては、セルは、単一セクターのセルとして示される。多セクターセルも可能であり、サポートされている。基地局セクターの送信機は、基地局識別子及び／又はセクター識別子を通信する送信情報、例えばビーコン信号、に基づいて識別することができる。
【００２２】
ネットワークノード１２６は、ネットワークリンク１２８、１３０をそれぞれ介してＢＳ１  １０２及びＢＳＭ  １１４に結合される。ネットワークノード１２６は、ネットワークリンク１３２を介してその他のネットワークノード／インターネットにも結合される。ネットワークリンク１２８、１３０、１３２は、例えば光ファイバーリンクであることができる。ネットワークノード１２６、例えばルーターノード、は、ＷＴ、例えばＷＴ（１）  １０６、のために、現在所在するセル、例えばセル１０４、の外側に所在するその他のノード、例えばその他の基地局、ＡＡＡサーバーノード、ホームエージェントノード、通信ピア、例えばＷＴ（Ｎ’）１２０、への接続性を提供する。
【００２３】
図２は、様々な実施形態により実装される典型的基地局２００を示す。典型的ＢＳ２００は、図１のＢＳ、ＢＳ１  １０２、ＢＳ  Ｍ  １１４のうちのいずれかをより詳細に表したものであることができる。ＢＳ２００は、様々な要素がデータ及び情報を交換することができるバス２１４を介してひとつに結合される受信機２０２と、送信機２０４と、プロセッサ、例えばＣＰＵ２０６と、Ｉ／Ｏインタフェース２０８と、Ｉ／Ｏデバイス２１０と、メモリ２１２と、を含む。さらに、基地局２００は、受信機２０２に結合される受信機アンテナ２１６と、送信機２０４に結合される送信機アンテナ２１８と、を含む。送信機アンテナ２１８は、情報、例えばダウンリンクトラフィックチャネル信号、ビーコン信号、パイロット信号、割り当て信号、干渉報告要求メッセージ、干渉制御インジケータ信号等、をＢＳ２００からＷＴ３００（図３参照）に送信するために用いられ、受信機アンテナ２１６は、情報、例えばアップリンクトラフィックチャネル信号、ＷＴ資源要求、ＷＴ干渉報告等、をＷＴ３００から受信するために用いられる。
【００２４】
メモリ２１２は、ルーチン２２０と、データ／情報２２４と、を含む。プロセッサ２０６は、基地局２００の全体的な動作を制御するため及び方法を実装するためにメモリ２１２に格納されたルーチン２２０を実行し、データ／情報２２４を使用する。Ｉ／Ｏデバイス２１０、例えばディスプレイ、プリンタ、キーボード等、は、システム情報を基地局アドミニストレータに表示し、制御及び／又は管理の入力をアドミニストレータから受信する。Ｉ／Ｏインタフェース２０８は、基地局２００をコンピュータネットワーク、その他のネットワークノード、その他の基地局２００、及び／又はインターネットに結合させる。従って、Ｉ／Ｏインタフェース２０８を介して、基地局２００は、カスタマ情報及びその他のデータを交換すること及び希望される場合はＷＴ３００への信号送信を同期化することができる。さらに、Ｉ／Ｏインタフェース２０８は、ＷＴ３００ユーザーがインターネットを通じて基地局３００を介して情報を受信及び／又は送信するのを可能にする高速インターネット接続を提供する。受信機２０２は、受信機アンテナ２１６を介して受信された信号を処理し、受信された信号に含められている情報コンテンツを抽出する。抽出された情報、例えばデータ及びチャネル干渉報告情報、は、バス２１４を介してプロセッサ２０６に通信されてメモリ２１２に格納される。送信機２０４は、情報、例えばデータ、ビーコン信号、パイロット信号、割り当て信号、干渉報告要求メッセージ、干渉制御インジケータ信号、をアンテナ２１８を介してＷＴ３００に送信する。
【００２５】
上述されるように、プロセッサ２０６は、メモリ２１２に格納されているルーチン２２０の指示の下で基地局２００の動作を制御する。ルーチン２２０は、通信ルーチン２２６と、基地局制御ルーチン２２８と、を含む。基地局制御ルーチン２２８は、スケジューラ２３０と、ダウンリンクブロードキャストシグナリングモジュール２３２と、ＷＴ報告処理モジュール２３４と、報告要求モジュール２３６と、干渉インジケータモジュール２３８と、を含む。報告要求モジュール２３６は、報告要求において識別された特定のＢＳセクターに関する特定の干渉報告の要求を生成することができる。生成された報告要求は、予め決められた又は一定の報告スケジュールによって設けられている時点以外の時点においてＢＳが干渉情報を求めるときに１つ以上の無線端末に送信される。データ／情報２２４は、ダウンリンクブロードキャスト基準信号情報２４０と、無線端末データ／情報２４１と、アップリンクトラフィックチャネル情報２４６と、干渉報告要求情報メッセージ２４８と、干渉制御インジケータ信号２５０と、を含む。
【００２６】
ダウンリンクブロードキャスト基準信号情報２４０は、ビーコン信号情報２５２と、パイロット信号情報２５４と、割り当て信号情報２５６と、を含む。ビーコン信号は、送信機電力が１つ又は幾つかのトーンに短時間、例えば２シンボル時間、集中される相対的に高い電力のＯＦＤＭブロードキャスト信号である。ビーコン信号情報２５２は、識別情報２５８と、電力レベル情報２６０と、を含む。ビーコン識別情報２５８は、ビーコン信号を識別して特定のＢＳ２００、例えば反復性のダウンリンク送信間隔又はサイクルにおける特定の時点にビーコン信号を具備する特定のトーン又はトーンの組、と関連づけるために用いられる情報を含むことができる。ビーコン電力レベル情報２６０は、ビーコン信号が送信される電力レベルを定義する情報を含む。パイロット信号は、典型的には基地局を識別し、基地局と同期化し、チャネル推定を入手するために用いられる、中度の高電力レベルで、例えば通常のシグナリングレベルを超えるレベルで、ＷＴにブロードキャストされた既知の信号を含むことができる。パイロット信号情報２５４は、識別情報２６２と、電力レベル情報２６４と、を含む。パイロット識別情報２６２は、パイロット信号を識別して特定の基地局２００と関連づけるために用いられる情報を含む。パイロット電力レベル情報２６４は、パイロット信号が送信される電力レベルを定義する情報を含む。信号送信電力レベル、例えばパイロット及びビーコン信号送信パイロットレベル、に関する情報を提供する様々な信号を、利得比及び／又は干渉報告を決定する際に無線端末によって用いるためにブロードキャストすることができる。割り当て信号は、セル内において不良なチャネル品質状態を有するＷＴに到達するために典型的には通常のシグナリングレベルよりも高い電力レベルで送信されるブロードキャストアップリンク及びダウンリンクトラフィックチャネルセグメント割り当て信号を含む。割り当てシグナリング情報２５６は、識別情報２６６と、電力レベル情報２６８と、を含む。割り当てシグナリング識別情報２６６は、ダウンリンクタイミングサイクルにおける特定の時点における特定のトーンを特定のＢＳ２００に関する割り当てと関連づける情報を含む。割り当て電力レベル情報２６８は、割り当て信号が送信される電力レベルを定義する情報を含む。
【００２７】
無線端末データ／情報２４１は、複数の組のＷＴデータ／情報、ＷＴ１情報２４２、ＷＴ  Ｎ情報２４４を含む。ＷＴ１情報２４２は、データ２７０と、端末識別情報２７２と、干渉コスト（ｉｎｔｅｒｆｅｒｅｎｃｅ  ｃｏｓｔ）報告情報２７４と、要求されたアップリンクトラフィックセグメント２７６と、割り当てられたアップリンクトラフィックセグメント２７８と、を含む。データ２７０は、ＷＴ１と関連づけられたユーザーデータ、例えばＷＴ１のピアノード、例えばＷＴ１が通信セッションに参加中のＷＴ  Ｎ、に直接又は間接的にＢＳ２００によって通信することが意図されているＷＴ１から受信されたデータ及び情報、を含む。データ２７０は、ＷＴ１のピアノード、例えばＷＴＮ、を原ソースとする受信されたデータ及び情報も含む。端末識別情報２７２は、ＷＴ１をＢＳと関連づけ、ＷＴ１を識別するためにＢＳによって用いられるＢＳの割り当てられた識別子を含む。干渉コスト報告情報２７４は、ＷＴ１からＢＳ２００へのフィードバック報告において転送されており通信システムにアップリンクシグナリングを送信中のＷＴ１の干渉コストを識別する情報を含む。要求されたアップリンクトラフィックセグメント２７６は、ＢＳスケジューラ２３０によって割り当てられるアップリンクトラフィックセグメント、例えば数、型、及び／又は時間制約情報、に関するＷＴ１からの要求を含む。割り当てられたアップリンクトラフィックセグメント２７８は、スケジューラ２３０によってＷＴ１に割り当てられているアップリンクトラフィックセグメントを識別する情報を含む。
【００２８】
アップリンクトラフィックチャネル情報２４６は、アップリンクエアリンク資源を要求中のＷＴに対してＢＳスケジューラ２３０によって割り当てることができるセグメントに関する情報を含む複数のアップリンクトラフィックチャネルセグメント情報組を含む。アップリンクトラフィックチャネル情報２４６は、チャネルセグメント１情報２８０と、チャネルセグメントＮ情報２８２と、を含む。チャネルセグメント１情報２８０は、型情報２８４と、電力レベル情報２８６と、定義情報２８８と、割り当て情報２９０と、を含む。型情報２８４は、セグメント１の特徴、例えば該セグメントの周波数及び時間の範囲（ｅｘｔｅｎｔ）、を定義する情報を含む。例えば、ＢＳは、複数の型のアップリンクセグメント、例えば大きい帯域幅であるが短い継続時間を有するセグメント及び小さい帯域幅であるが長い継続時間を有するセグメント、をサポートすることができる。電力レベル情報２８６は、アップリンクセグメント１を使用時にＷＴが送信するときの指定された電力レベルを定義する情報を含む。定義情報２８８は、アップリンクトラフィックチャネルセグメント１を構成する特定の周波数又はトーン及び特定の時間を定義する情報を含む。割り当て情報２９０は、アップリンクトラフィックセグメント１と関連づけられた割り当て情報、例えばアップリンクトラフィックチャネルセグメント１が割り当てられているＷＴの識別子、アップリンクトラフィックチャネルセグメント１において用いられるコーディング及び／又は変調方式、を含む。
【００２９】
幾つかの実施形態において用いられる干渉報告要求情報メッセージ２４８は、ブロードキャストメッセージとして又は特定のＷＴに向けられたメッセージとして送信されるメッセージである。ＢＳ２００は、共通の制御チャネルにおいてＷＴ３００に送信し、通信システム内の特定の基地局送信機、例えば基地局セクター送信機、に関する干渉情報を決定及び報告するようにこれらのＷＴに指図することができる。干渉報告要求情報メッセージ２４８は、通常は、干渉報告に関して現在指定されている特定の基地局セクターを識別する基地局送信機識別情報２９２を含む。上述されるように、幾つかの基地局は、単一セクター基地局として実装される。時間の経過とともに、基地局２００は、近隣の送信機の各々に対応するように基地局識別情報２９２を変更し、それによって複数の近隣送信機に関する干渉情報を入手することができる。
【００３０】
幾つかの実施形態において、例えばアップリンクトラフィックセグメントの少なくとも一部が基地局によって明示で割り当てられていない場合に用いられる干渉制御インジケータ信号２５０は、いずれのＷＴがアップリンクトラフィックセグメントを用いることができるかを干渉の点で制御するためにＢＳ２００によってＷＴ３００にブロードキャストされる信号である。例えば、ＢＳ２００がいかに厳しく干渉を制御することを望んでいるかを各レベルが示す場合に多レベル変数を用いることができる。この信号を受信するＷＴ３００は、自分自身の測定された干渉と組み合わせてこの信号を使用し、ＷＴ３００が制御中のアップリンクトラフィックセグメントを使用するのが許可されているかどうかを決定することができる。
【００３１】
通信ルーチン２２６は、ＢＳ２００によって用いられる様々な通信プロトコルを実装し、ユーザーデータの送信全体を制御する。基地局制御ルーチン２２８は、Ｉ／Ｏデバイス２１０、Ｉ／Ｏインタフェース２０８、受信機２０２、送信機２０４の動作を制御し、さらに本発明の方法を実装するためのＢＳ２００の動作を制御する。スケジューラ２３０は、幾つかの制約事項、すなわち、自己の制御下にあるアップリンクトラフィックセグメントの電力要求、ＷＴ３００の送信電力容量、及びシステムにとっての干渉コストに基づいて該アップリンクトラフィックセグメントをこれらのＷＴ３００に割り当てる。従って、スケジューラ２３０は、ダウンリンク送信をスケジューリング時に受信された干渉報告からの情報を用いることができ、実際にしばしば用いる。ダウンリンクブロードキャストシグナリングモジュール２３２は、ダウンリンクブロードキャスト基準信号情報２４０を含むデータ／情報２２４を用いて、ダウンリンクチャネルの品質及びアップリンク干渉レベルを決定する際にＷＴ３００によって用いることができるブロードキャスト信号、例えばビーコン、パイロット信号、割り当て信号、及び／又は既知の電力レベルで送信されるその他の共通の制御信号、を生成及び送信する。ＷＴ干渉報告処理モジュール２３４は、ＷＴ３００から入手された干渉コスト報告情報２７４を含むデータ／情報２２４を用いて、アップリンク干渉情報を処理、相関、及びスケジューラ２３０に転送する。幾つかの実施形態において用いられる報告要求モジュール２３６は、一連のアップリンク干渉報告を要求するための一連の干渉報告要求メッセージ２４８を生成し、各報告は、隣接基地局のうちの１つに対応する。幾つかの実施形態において用いられる干渉インジケータモジュール２３８は、幾つかのアップリンクトラフィックチャネルセグメントへのアクセスを制御するためにＷＴ３００に送信される（多レベル）干渉制御インジケータ信号２５０を生成する。
【００３２】
図３は、様々な実施形態により実装される典型的無線端末３００を示す。典型的無線端末３００は、図１の典型的システム無線通信システム１００のＷＴ１０６、１０８、１１８、１２０のうちのいずれかをより詳細に表したものであることができる。ＷＴ３００は、様々な要素がデータ及び情報を交換することができるバス３１４を介してひとつに結合される受信機３０２と、送信機３０４と、Ｉ／Ｏデバイス３１０と、プロセッサ３０６、例えばＣＰＵ、と、メモリ３１２と、を含む。受信機３０２は、アンテナ３１６に結合され、送信機３０４は、アンテナ３１８に結合される。
【００３３】
ＢＳ２００から送信されたダウンリンク信号は、アンテナ３１６を通じて受信され、受信機３０２によって処理される。送信機３０４は、アンテナ３１８を通じてＢＳ２００にアップリンク信号を送信する。アップリンク信号は、例えばアップリンクトラフィックチャネル信号と、干渉コスト報告と、を含む。Ｉ／Ｏデバイス３１０は、ユーザーインタフェースデバイス、例えばマイク、スピーカー、ビデオカメラ、ビデオディスプレイ、キーボード、プリンタ、データ端末ディスプレイ等、を含む。Ｉ／Ｏデバイス３１０は、ＷＴ３００のオペレータが例えばピアノードに向けられたユーザーデータ、音声、及び／又は映像を入手すること及び該オペレータがピアノード、例えば他のＷＴ３００、から通信されたユーザーデータ、音声、及び／又は映像を見ることを可能にするために該オペレータとインタフェースするために用いることができる。
【００３４】
メモリ３１２は、ルーチン３２０と、データ／情報３２２と、を含む。プロセッサ３０６は、基地局３００の基本動作を制御するため及び方法を実装するためにメモリ３１２内のルーチン３２０を実行し、データ／情報３２２を使用する。ルーチン３２０は、通信ルーチン３２４と、ＷＴ制御ルーチン３２６と、を含む。ＷＴ制御ルーチン３２６は、基準信号処理モジュール３３２と、干渉コストモジュール３３４と、報告フォーマット選択モジュール３２９と、スケジューリング決定モジュール３３０と、を含む。基準信号処理モジュール３３２は、識別モジュール３３６と、受信電力測定モジュール３３８と、チャネル利得比計算モジュール３４０と、を含む。干渉コストモジュール３３４は、フィルタリングモジュール３４２と、決定モジュール３４４と、報告生成モジュール３４６と、を含む。報告生成モジュール３４６は、量子化モジュール３４８を含む。
【００３５】
データ／情報３２２は、ダウンリンクブロードキャスト基準信号情報３４９と、無線端末データ／情報３５２と、アップリンクトラフィックチャネル情報３５４と、受信された干渉報告要求情報メッセージ３５６と、受信された干渉制御インジケータ信号３５８と、受信されたブロードキャスト基準信号３５３と、を含む。
【００３６】
ダウンリンクブロードキャスト基準信号情報３４９は、複数のダウンリンクブロードキャスト基準信号情報組と、基地局１ダウンリンクブロードキャスト基準信号情報３５０と、基地局Ｍダウンリンクブロードキャスト基準信号情報３５１と、を含む。ＢＳ１ダウンリンクブロードキャスト基準信号情報は、ビーコン信号情報３６０と、パイロット信号情報３６２と、割り当てシグナリング情報３６４と、を含む。ビーコン信号情報３６０は、識別情報３６６、例えばＢＳ識別子及びセクター識別子情報、と、電力レベル情報３６８と、を含む。パイロット信号情報３６２は、識別情報３７０と、電力レベル情報３７２と、を含む。割り当てシグナリング情報３６４は、識別情報３７４と、電力レベル情報３７６と、を含む。
【００３７】
無線端末データ／情報３５２は、データ３８２と、端末識別情報３８４と、干渉コスト報告情報３８６と、要求されたアップリンクトラフィックセグメント３８８と、割り当てられたアップリンクトラフィックセグメント３９０と、を含む。
【００３８】
アップリンクトラフィックチャネル情報３５４は、複数のアップリンクトラフィックチャネル情報組と、チャネル１情報３９１と、チャネルＮ情報３９２と、を含む。チャネル１情報３９１は、型情報３９３と、電力レベル情報３９４と、定義情報３９５と、割り当て情報３９６と、を含む。スケジューリングモジュール３３０は、例えば予め決められたスケジュールに従った送信干渉報告のスケジューリング、受信された報告要求に応じたＢＳの要求された干渉報告、及びユーザーデータを制御する。
【００３９】
受信された干渉報告要求情報メッセージ３５６は、基地局識別子３９７を含む。
【００４０】
図４は、様々な実施形態により実装され、本発明の様々な特長を説明するために用いられる典型的システム４００を示す。システム４００は、互いに近隣のセルである第１、第２及び第３のセル４０４、４０６、４０８を含む。第１のセル４０４は、第１の基地局セクター送信機（ＢＳＳ０）４１０を含む第１の基地局と、ＢＳＳ０４１０に接続された無線端末４２０と、を含む。第２のセル４０６は、第２の基地局セクター送信機（ＢＳＳ１）４１２を含む第２の基地局を含む。第３のセル４０８は、第３の基地局セクター送信機（ＢＳＳ２）４１４を含む第３の基地局を含む。理解できるように、ＢＳＳ０とＷＴ４２０との間で送信される信号は、チャネル利得ｇ０の対象となる。ＢＳＳ１とＷＴ４２０との間で送信される信号は、チャネル利得ｇ１の対象となる。ＢＳＳ２とＷＴ４２０との間で送信される信号は、チャネル利得ｇ２の対象となる。
【００４１】
ＷＴ４２０は、ＢＳＳ０４１０に接続されてＢＳＳ０４１０をアタッチメントポイントとして用いると仮定する。利得比Ｇｉ＝ＢＳＳｉからＷＴ４２０までのチャネル利得とＢＳＳ０からＷＴ４２０までのチャネル利得の比である。すなわち、以下のとおりである。
【００４２】
Ｇｉ＝ｇｉ／ｇ０
ビーコン信号が第１、第２及び第３のＢＳＳから同じ電力レベルで送信されると仮定すると、基地局ＢＳＳ０、ＢＳＳ１、ＢＳＳ２から受信されたビーコン信号の受信された電力（ＰＢ）を用いて以下のように利得比を決定することができる。
【００４３】
Ｇ０＝ｇ０／ｇ０＝１＝ＰＢ０／ＰＢ０
Ｇ１＝ｇ１／ｇ０＝ＰＢ１／ＰＢ０
Ｇ２＝ｇ２／ｇ０  ＰＢ２／ＰＢ０
以下の説明は、様々な実施形態によるアップリンクトラフィックチャネルの動作に焦点を合わせる。典型的システムにおいては、アップリンクトラフィックチャネルを成すトラフィックセグメントは、様々な一組の無線チャネルにおいて異なるデバイス上の制約を有する状態で動作中の広範なクラスの無線端末に適合させるために異なる周波数及び時間の範囲にわたって定義することができる。図６は、縦軸１０２Ａを周波数、横軸１０４Ａを時間とするグラフ１００Ａである。図６は、アップリンクトラフィックチャネル内の２種類のトラフィックセグメントを示す。Ａ  １０６Ａで表されるトラフィックセグメントは、Ｂ  １０８Ａで表されるトラフィックセグメントの周波数範囲の２倍を占める。アップリンクトラフィックチャネル内のトラフィックセグメントは、基地局と通信中の無線端末間で動的に共有することができる。基地局の一部であるスケジューリングモジュールは、一般的には時間とともに変動している可能性があるトラフィック上のニーズ、デバイスに関する制約及びチャネル状態に従ってトラフィックチャネルセグメントを異なるユーザーに素早く割り当てることができる。従って、アップリンクトラフィックチャネルは、異なるユーザー間でセグメントごとに有効に共有されて動的に割り当てられる。トラフィックセグメントの動的割り当てが図６に示されており、セグメントＡは、基地局スケジューラによってユーザー＃１に割り当てられ、セグメントＢはユーザー＃２に割り当てられる。
【００４４】
典型的システムにおいては、トラフィックチャネルセグメントの割り当て情報は、一連の割り当てセグメントを含む割り当てチャネルで転送される。各トラフィックセグメントは、無線端末の識別子及び該トラフィックセグメント内において用いられるコーディング及び変調方式も含むことができる割り当て情報を搬送する対応する一意の割り当てセグメントと関連づけられる。図７は、縦軸２０２Ａを周波数、横軸２０４Ａを時間とするグラフ２００Ａである。図７は、アップリンクトラフィックセグメントＡ  ２１０Ａ及びＢ  ２１２Ａのそれぞれの割り当て情報を搬送する２つの割り当てセグメントＡ’２０６Ａ及びＢ’２０８Ａを示す。割り当てチャネルは、共有されるチャネル資源である。無線端末は、割り当てチャネルで搬送された割り当て情報を受信し、割り当て情報に従ってアップリンクトラフィックチャネルセグメントで送信する。
【００４５】
基地局スケジューラ２３０は、幾つかの考慮事項に基づいてトラフィックセグメントを割り当てる。１つの制約は、トラフィックチャネルの送信電力要求は、無線端末の送信電力能力を超えないことである。従って、より弱いアップリンクチャネルにおいて動作中の無線端末は、瞬間的電力要求が厳しい制約を課さないようにするために典型的システム内においてより狭い周波数範囲を占めるトラフィックセグメントを割り当てることができる。同様に、より大きな量の干渉を生成する無線端末も、生成された瞬間的干渉の影響を低減させるためにより小さい周波数範囲を含むトラフィックセグメントを割り当てることができる。全体的な干渉は、以下において定義されるシステムにとっての干渉コストに基づいて無線端末の送信をスケジューリングすることによって制御される。
【００４６】
無線端末は、システムに対する干渉コストを受信されたダウンリンクブロードキャスト信号から決定する。一実施形態においては、無線端末は、それぞれの干渉コストを干渉報告の形で基地局に報告し、基地局は、アップリンク干渉を制御するためのアップリンクスケジューリング決定を行う。他の実施形態においては、基地局は、干渉制御インジケータをブロードキャストし、無線端末は、それぞれの干渉コストを受信されたインジケータと比較してそれぞれのアップリンク送信資源を適切な形で決定する。例えば、制御インジケータによって示されるレベルよりも低いアップリンク送信コストを有するモバイルは送信することができ、制御インジケータによって示されるレベルを超える干渉コストを有するモバイルは送信を控えることになる。
【００４７】
次に、検討することができる典型的干渉コストが説明される。
【００４８】
ラベルｍ０が付されている無線端末について検討する。前記無線端末は基地局Ｂ０に接続されていると仮定する。この無線端末と基地局Ｂｋ、ｋ＝０，１，．．．，Ｎ−１、との間のチャネル利得をＧ０，ｋで表し、ここでＮはシステム内の総基地局数とする。
【００４９】
典型的システムにおいては、無線端末ｍ０によってアップリンクトラフィックセグメントにおいて送信される電力量は、通常は、無線端末ｍ０から基地局Ｂ０への無線チャネルの状態、周波数範囲、及びトラフィックセグメントにおける符号レートの選択の関数である。セグメントの周波数範囲及び符号レートの選択は、モバイルによって用いられる送信電力を決定し、該送信電力は、干渉を直接引き起こす量である。基地局受信機がトラフィックセグメントを復号するために要求されるＳＮＲは、（符号レートの選択及びモバイル端末が動作中におけるチャネル状態の関数である）トラフィックセグメントのトーン当たりの受信電力ＰＲを必要とすると仮定する。この受信電力は、無線端末のトーン当たりの送信電力ＰＴと以下のように関連する。
【００５０】
ＰＲ＝ＰＴＧ０，０
近隣基地局ｋにおいてこの無線端末によって生み出されるトーン当たりの干渉は、以下のように計算することができる。
【数１】
2009512357.tif 000003
【数２】
2009512357.tif 000004
【００５１】
で表す。この式から、基地局Ｂｋにおいて無線端末ｍ０によって生成される干渉は、その送信電力、及び基地局ｋ及び自己の基地局までのチャネル利得の比に比例する。従って、ｒ０，ｋは、基地局Ｂｋにとっての無線端末ｍ０の干渉コストと呼ばれる。
【００５２】
この概念を一般化すると、全近隣基地局に対して無線端末によって生成されるトーン当たりの総干渉は、以下のとおりである。
【数３】
2009512357.tif 000005
【００５３】
従って、｛ｒ０，１，．．．，ｒ０，Ｎ｝は、システム全体に対する無線端末ｍ０の干渉コストである。
【００５４】
モバイルｍ０によって生成される基地局Ｂｋに対する全体的な瞬間的干渉は、実際にはｎｔｏｎｅｓｒ０，ｋによって与えられ、ここで、ｎｔｏｎｅｓは、トラフィックセグメントの周波数範囲である。
【００５５】
次に、幾つかの実施形態における干渉コストを決定する方法が説明される。１つの典型的実施形態においては、典型的システム１００内の各基地局１０２、１１４は、無線端末が検出及び復号することができる周期的な基準信号を高電力でブロードキャストする。基準信号は、ビーコン、パイロット、又はその他の共通の制御信号を含む。基準信号は、基地局のセル及びセクターを識別する働きをする一意のパターンを有することができる。
【００５６】
典型的ＯＦＤＭシステム１００においては、ビーコン又はパイロット信号を基準信号として用いることができる。ビーコン信号は、送信電力のほとんどが少ない数のトーンに集中される特別のＯＦＤＭシンボルである。これらの高電力トーンの周波数位置は、基地局の識別子を示す。パイロット信号は、同じく基地局１０２の識別子を一意で指定する特別なホッピングパターンを有することができる。従って、典型的システムにおいてビーコン及び／又はパイロット信号から基地局セクターを識別することができる。
【００５７】
ＣＤＭＡシステムにおいては、パイロット信号を基準信号として用いることができる。ＩＳ−９５システムにおいては、例えば、パイロットは、特定の時間オフセットを基地局の識別子として有する既知の拡散系列である。
【００５８】
上述される典型的システム１００は、経路損推定に関する基準信号を提供するためにビーコン又はパイロット信号を用いる一方で、本発明は、基準信号を提供するためにその他の技術を用いることができる非常に様々なシステムにおいて適用可能である。
【００５９】
基準信号は、既知の電力で送信される。異なる基準信号を異なる電力で送信することができる。異なる基地局１０２、１１４は、電力がモバイル端末に知られている限りにおいて同じ型の基準信号に関して異なる電力レベルを用いることができる。
【００６０】
無線端末１０６は、最初に、基地局１０２の識別子を入手するために基準信号を受信する。次に、無線端末１０６は、基準信号の受信された電力を測定し、基地局１０２から無線端末１０６までのチャネル利得を計算する。所定の所在位置において、無線端末は、複数の基地局１０２、１１４から基準信号を受信できることに注目すること。他方、無線端末は、システム全体内の全基地局から基準信号を受信することができない場合がある。典型的システムにおいては、無線端末ｍ０は、対応する基準信号を受信できる場合に、接続された基地局Ｂ０に関するＧ０，０、及び基地局Ｂｋに関するＧ０，ｋをモニタリングする。従って、無線端末ｍ０は、基準信号を受信することができる場合の基地局の組に関する干渉コスト｛ｒ０，ｋ｝のアレイを維持する。
【００６１】
無線端末１０６は、複数の基準信号からの推定を結合させることによって干渉コストを導き出すことができることに注目すること。例えば、典型的ＯＦＤＭシステム１００においては、無線端末１０６は、｛ｒ０，ｋ｝の推定に到達するためにビーコン及びパイロットの両方を用いることができる。
【００６２】
干渉コスト｛ｒ０，ｋ｝の情報は、アップリンク干渉を制御するため及びシステム全体の容量を増大させるために用いられる。アップリンクトラフィックチャネルは、２つのモードで用いることができ、以下では、両モードにおける干渉コストの使用について説明する。
【００６３】
無線端末１０６、１０８は、ダウンリンク基準信号からチャネル利得情報を測定した一方で、干渉は、干渉がアップリンクに対する影響の点で有することになるコストの尺度であることが強調されるべきである。無線端末１０６と基地局１０２との間におけるダウンリンク及びアップリンクのチャネル利得は、常時同じでないことがある。短期的な変動の影響を排除するために、ダウンリンク基準信号からのチャネル利得の推定は、（例えばある形態の低域フィルタリングを用いて）平均を求めて干渉コスト｛ｒ０．ｋ｝の推定を入手することができ、幾つかの実施形態においては入手されている。
【００６４】
次に、スケジューリングされた動作モードにおける決定された干渉コストの使用が説明される。１つの特定の典型的動作モードにおいては、１つのアップリンクトラフィックセグメントは多くても１つの無線端末によってしか用いられないようにするためにアップリンクトラフィックセグメントの各々は明示で基地局によって割り当てられる。典型的ＯＦＤＭシステムにおいては、トラフィックセグメントは互いに直交であるため、通常は、このモードにおいてはアップリンクトラフィックセグメント内でのセル内干渉は存在しない、
本発明により、基地局１０２におけるスケジューリングを容易にするために、各無線端末１０６、１０８は、該無線端末が接続されている基地局１０２に一連の干渉報告を送信する。これらの報告は、幾つかの実施形態においては、計算された干渉コスト｛ｒ０，ｋ｝を示す。極端な場合においては、報告は、干渉コスト｛ｒ０，ｋ｝のアレイ全体を含む制御メッセージである。しかしながら、シグナリングオーバーヘッドを低減させるために、一実施形態においては、アレイ｛ｒ０，ｋ｝の量子化されたバージョンのみが送信される。以下のようにいくつかの｛ｒ０，ｋ｝量子化方法が存在する。
【００６５】
・すべての｛ｒ０，ｋ｝の和であるｒ０，ｔｏｔａｌを報告する
・｛ｒ０，ｋ｝の最大値及び最大値と関連づけられたインデックスｋを報告する
・｛ｒ０，ｋ｝を１つずつ、及び関連づけられたインデックスｋを定期的に報告する
・小数のレベルを用いてｒ０，ｋを報告する。例えば、ｒ０，ｋが強い又は弱いかを示すための２つのレベル
基地局は、１つ以上の報告を受信後、トラフィックセグメントを干渉情報の関数としてスケジューリングする、例えば割り当てる。１つのスケジューリング方針は、すべてのスケジューリングされた無線端末によって生成される総干渉を予め決められたしきい値に制限することである。他のスケジューリング方針は、無線端末をそれぞれの報告された｛ｒ０，ｋ｝に従って幾つかのグループに分類し、それによって、好ましいことに、生成された瞬間的干渉の影響を低減させるためにより小さい周波数範囲を含むトラフィックセグメントが大きな干渉コストを有するグループに割り当てられるようにすることである。
【００６６】
各基地局１０２が自己の近隣の基地局の組、すなわち、干渉の観点から近隣基地局であると決定される基地局１１４の組等を認識している一実施形態について検討する。基本的な実施形態においては、基地局１０２は、近隣基地局に対する総干渉を制御することを試みる。基本的実施形態は、例えばすべてのスケジューリングされている無線端末が近隣基地局のうちの特定の１つ（セルＸ）に接近している可能性があるため、ほとんどすべての干渉が該セルＸに向けられている可能性があるという意味で大まかな実施形態であることができる。この場合においては、セルＸは、この瞬間に激しい干渉を経験する。他の瞬間においては、干渉は、異なる近隣基地局に集中することがあり、その場合は、セルＸは、干渉をほとんど経験しない。従って、総干渉の制御に関する上記の実施形態においては、特定の近隣基地局に対する干渉は、大きな変動を有する可能性がある。セル間干渉の不安定化を回避するために、基地局１０２は、生成された総干渉に関して大きな変動を補償する上で十分な余裕を持たせなければならない。
【００６７】
向上された実施形態においては、基地局１０２は、特定の基地局Ｂｋに関する干渉コストを決定及び報告するように無線端末１０６、１０８に指図するメッセージを共通の制御チャネルでブロードキャストする。従って、無線端末ｍｊ，ｊ＝０，１，２，．．．は、ｒｊ，ｋの報告を送信する。時間の経過とともに、基地局１０２は、自己の近隣の組の各基地局に関してこのプロセスを繰り返し、各々の基地局と干渉する無線端末１０６、１０８の組を決定する。この分類が完了した時点で、基地局１０２は、異なる基地局と干渉する無線端末１０６、１０８の部分組にアップリンクトラフィックセグメントを同時に割り当て、それによって特定の基地局を対象とする干渉の変動を低減させることができる。有利なことに、この干渉はより小さい変動を有するため、基地局１０２は、システムの安定性に重大な影響を及ぼさずにより大きい総干渉が生成されるのを可能にし、それによってシステム容量を増大させることができる。セル１０４内部の無線端末１０６、１０８は、無視できるレベルの干渉を近隣基地局１１４に対して引き起こし、従って何時でもスケジューリングすることができる。
【００６８】
次に、幾つかのただし必ずしもすべてではない実施形態において用いられるスケジューリングされない動作モードにおける干渉コストの使用が説明される。
【００６９】
このスケジューリングされないモードにおいては、アップリンクトラフィックセグメントの各々は、基地局１０２によって明示で割り当てられない。その結果、１つのアップリンクトラフィックセグメントが複数の無線端末１０６、１０８によって用いられる可能性がある。ＣＤＭＡシステムにおいては、アップリンクトラフィックセグメントは互いに直交でないため、一般的には、このモードにおけるアップリンクトラフィックセグメント内においてセル内干渉が存在する。
【００７０】
このモードにおいては、各無線端末１０６、１０８は、アップリンクトラフィックセグメントを使用すべきかどうかについて及び使用する場合はいずれのデータ速度及び電力で使用するかについての自己のスケジューリング決定を行う。様々な実施形態により、過度の干渉を低減すること及びシステムの安定性を維持することを援助するために、基地局は、干渉制御インジケータをブロードキャストする。各無線端末１０６、１０８は、基準レベルを干渉コストと比較してそのスケジューリング決定を決める。
【００７１】
一実施形態においては、干渉制御インジケータは、多レベルの変数であることができ、各レベルは、基地局１０２が総干渉をいかに厳しく制御することを希望するかを示す。例えば、最低レベルがブロードキャストされたときは、無線端末１０６、１０８の各々は、トラフィックチャネルセグメントの各々を各々の速度で用いることが許可される。最高レベルがブロードキャストされたときは、干渉コストが非常に低い無線端末１０６、１０８のみがトラフィックチャネルセグメントを用いることができる。中間レベルがブロードキャストされたときは、干渉コストが低い無線端末１０６、１０８は、すべてのトラフィックチャネルセグメント、好ましいことにより大きい周波数範囲を含むトラフィックセグメント、を使用することができ、干渉コストが高い無線端末１０６、１０８は、より小さい周波数範囲から成るトラフィックセグメントのみをより低いデータ速度で用いることができる。基地局１０２は、ブロードキャストされた干渉制御レベルを動的に変更することによってセル１０４の無線端末１０６、１０８が他の基地局に対して発生させる干渉量を制御することができる。
【００７２】
図５Ａ、図５Ｂ、及び図５Ｃの組合せを具備する図５は、様々な実施形態による、無線端末、例えばモバイルノード、の典型的動作方法の流れ図１０００である。動作はステップ１００２において開始し、無線端末の電源が投入されて初期設定される。動作は、ステップ１００２からステップ１００４、ステップ１００６、及び接続ノードＢ１００５を介してステップ１００８に進む。
【００７３】
ステップ１００４において、無線端末が動作されてビーコン及びパイロット信号が現在の基地局セクター接続から受信される。動作は、ステップ１００４から１０１０に進む。ステップ１０１０において、無線端末は、現在の基地局セクター接続に関する受信されたビーコン信号（ＰＢ０）及び受信されたパイロットチャネル信号（ＰＰ０）の電力を測定する。動作は、ステップ１０１０からステップ１０１２に進む。ステップ１０１２において、無線端末は、現接続基地局セクター送信機情報、例えばＢＳＳ＿ｓｌｏｐｅ及びＮＳＳ＿ｓｅｃｔｏｒｔｙｐｅ、を受信されたビーコン信号から導き出す。ステップステップ１０１２は、サブステップ１０１３を含む。サブステップ１０１３において、無線端末は、現接続基地局セクター及び使用中のトーンブロックと関連づけられた電力送信段レベル（ｐｏｗｅｒ  ｔｒａｎｓｍｉｓｓｉｏｎ  ｔｉｅｒ  ｌｅｖｅｌ）を決定する。
【００７４】
ステップ１００６において、無線端末は、１つ以上の干渉基地局セクター１００６からビーコン信号を受信する。動作は、ステップ１００６からステップ１０１４に進む。後続動作１０１４、１０１６、１０１８が各干渉基地局セクター、例えば干渉基地局セクターｉ（ＢＳＳｉ）、に関して実行される。
【００７５】
ステップ１０１４において、無線端末は、干渉基地局セクターに関する受信されたビーコン信号（ＰＢｉ）の電力を測定する。動作は、ステップ１０４からステップ１０１６に進む。ステップ１０１６において、無線端末は、干渉基地局セクター送信機情報、例えばＢＳＳ＿ｓｌｏｐｅ及びＢＳＳ＿ｓｅｃｔｏｒｔｙｐｅを受信されたビーコン信号から導き出す。ステップ１０１６は、サブステップ１０１７を含む。サブステップ１０１７において、無線端末は、干渉基地局セクター及び使用中のトーンブロックと関連づけられた電力送信段レベルを決定する。
【００７６】
動作は、ステップ１０１２及びステップ１０１６からステップ１０１８に進む。ステップ１０１８において、無線端末は、サブステップ１０２０の方法又はサブステップ１０２２の方法を用いてチャネル利得比を計算する。
【００７７】
サブステップ１０２０において、無線端末は、ビーコン信号情報を用いてチャネル利得比Ｇｉを計算する。サブステップ１０２０は、サブステップ１０２４を含み、サブステップ１０２４において、無線端末は、Ｇｉ＝ＰＢｉ／ＰＢ０を計算する。
【００７８】
サブステップ１０２２において、無線端末は、ビーコン信号情報及びパイロット信号情報を用いてチャネル利得比Ｇｉを計算する。サブステップ１０２２は、サブステップ１０２６を含み、サブステップ１０２６において、無線端末は、Ｇｉ＝ＰＢｉ／（ＰＰ０＊Ｋ＊Ｚ０）を計算し、ここで、Ｋ＝段（ｔｉｅｒ）０トーンブロックに関するトーン当たりの送信機電力ビーコン基準レベル／段０トーンブロックに関するトーン当たりの送信機パイロット信号基準レベル、Ｚ０＝現基地局セクター接続送信機トーンブロックに関するトーンブロックの電力送信段レベルと関連づけられた電力スケールファクタである。
【００７９】
動作は、ステップ１０１８から接続ノードＡ １０４２を介してステップ１０４３に進み、無線端末は、１つ以上の干渉報告を生成する。
【００８０】
ステップ１００８に戻り、ステップ１００８において、無線端末が動作されてブロードキャスト負荷率情報を受信する。従って、典型的実施形態においては、無線端末は、現交信基地局セクターの負荷率情報を現交信基地局セクター送信機によって送信されたブロードキャスト情報から受信する。無線端末は、干渉中の交信基地局セクターの負荷率情報を、現在の又は干渉中の交信基地局セクター送信機によって送信されたブロードキャスト情報から受信することができる。負荷率情報は、現交信基地局セクターから受信されることが示されているが、代替として、負荷率情報は、その他のノードから受信すること及び／又は無線端末内に予め格納することができる。対象となっている各基地局セクターに関して、動作は、ステップ１０２８に進む。ステップ１０２８において、無線端末は、負荷率が受信された信号から成功裏に復元されたかどうかを決定する。負荷率が受信された信号から成功裏に復元された場合は、動作は、ステップ１０３０に進み、無線端末は、負荷率を格納する。例えば、負荷率ｂ０＝現交信基地局セクターに関する負荷率、負荷率ｂｋ＝干渉基地局セクターｋに関する負荷率である。負荷率が受信された信号から成功裏に復元されなかった場合は、動作は、ステップ１０３２に進み、無線端末は、負荷率を１に設定する。負荷率（ｂ０  １０３２、ｂ１  １０３４，．．．，ｂｋ１０３８，．．ｂｎ  １０４０）が入手され、各負荷率は、ステップ１０３０及びステップ１０３２のうちの１つから入手される。
【００８１】
ステップ１０４３に戻り、ステップ１０４３において、無線端末は、１つ以上の干渉報告を生成する。ステップ１０４３は、サブステップ１０４４と、サブステップ１０４８と、を含む。サブステップ１０４４において、無線端末は、特定の干渉基地局セクターによる交信基地局セクターへの干渉を搬送する特定型報告を生成する。ステップ１０４４は、サブステップ１０４６を含む。サブステップ１０４６において、無線端末は、報告値＝（ｂ０／Ｚ０）／（Ｇｋ＊ｂｋ／Ｚｋ）を計算し、ここで、ｂ０は、現在の交信ＢＢＳの負荷率であり、ｂｋは、報告が対応する干渉ＢＢＳの負荷率であり、ｉ＝ｋの場合にＧｋ＝Ｇｉであり、Ｚ０は、現ＢＳＳ接続送信機トーンブロックに関するトーンブロックの電力送信段レベルと関連づけられた電力スケールファクタであり、Ｚｋは、報告が対応する干渉基地局セクターに関するトーンブロックの電力送信段レベルと関連づけられた電力スケールファクタである。
【００８２】
サブステップ１０４８において、無線端末は、例えば干渉基地局セクターの測定されたビーコン信号の各々からの情報を用いて、１つ以上の干渉ＢＳＳによる交信ＢＳＳへの干渉の情報を搬送する一般型報告を生成し、負荷率情報及び電力スケールファクタ情報を用いることを含む。
【００８３】
幾つかの実施形態においては、ステップ１０４３は、量子化を含む。
【００８４】
動作は、ステップ１０４３からステップ１０５０に進み、無線端末が動作され、無線端末に関する現在のアタッチメントポイントとして交信する現交信基地局セクターに報告を送信する。幾つかの実施形態においては、報告の送信は、交信基地局セクターからの要求に応じて行われる。幾つかの実施形態においては、送信される報告の型、例えば特定又は一般的、は、基地局セクターからの報告の型を識別する受信シグナリングに応じて決まる。幾つかの実施形態においては、特定の基地局セクターと関連づけられた干渉を報告する特定の特定型報告の送信は、特定の基地局セクターを識別する受信された基地局信号に応じて行われる。様々な実施形態においては、干渉報告は、例えば専用制御チャネル構造の一部として無線端末が従っている報告スケジュールに従って定期的に送信される。幾つかの該実施形態においては、送信された干渉報告の少なくとも一部に関しては、基地局は、報告を選択するための報告選択情報をシグナリングしない。
【００８５】
幾つかの実施形態においては、システムは、各電力送信段レベルと関連づけられた異なる電力スケールファクタを有する複数の電力送信段レベル、例えば３、を含む。例えば、１つの典型的実施形態においては、０ｄＢの電力スケールファクタは、段レベル０のトーンブロックと関連づけられ、６ｄＢの電力スケールファクタは、段２のトーンブロックと関連づけられる。幾つかの実施形態においては、各アタッチメントポイントは、基地局セクター送信機及びトーンブロックに対応し、各アタッチメントポイントＢＳＳ送信機トーンブロックは、電力送信段レベルと関連づけることができる。幾つかの実施形態においては、複数のダウンリンクトーンブロック、例えば各々が１１３の隣接する均等な間隔で配置されたトーンを有する３つのトーンブロック（トーンブロック０、トーンブロック１、トーンブロック２）が存在する。幾つかの実施形態においては、同じトーンブロック、例えばトーンブロック０、は、異なる基地局セクター送信機を使用し、異なる基地局セクター送信機と関連づけられた異なる電力送信段レベルを有する。基地局セクター送信機及びトーンブロックに対応する特定のアタッチメントポイントを、例えば、反復する送信パターンを有するトーン位置及び／又は時間位置を用いてビーコン信号を介して搬送された情報から識別する無線端末は、格納された情報を用いて、識別されたアタッチメントポイントを特定のトーンブロックに関する特定の電力送信段レベル及び電力スケールファクタと関連づける。
【００８６】
幾つかの実施形態においては、負荷率、例えばｂｋ、は、０以上で１以下の値である。幾つかの実施形態においては、該値は、基地局セクターから無線端末に通信され、複数のレベル、例えば０ｄＢ、−１ｄＢ、−２ｄＢ、−３ｄＢ、−４ｄＢ、−６ｄＢ、−９ｄＢ、−無限大ｄＢのうちの１つを表す。
【００８７】
幾つかの実施形態においては、ビーコン信号は、使用中のトーンブロックと関連づけられた電力送信段にかかわりなく同じ電力で基地局セクター送信機から送信される。しかしながら、その他のダウンリンク信号、例えばパイロット信号、は、基地局セクター送信機に関するトーンブロックと関連づけられた送電段による影響を受ける。幾つかの実施形態においては、パラメータＫは、６ｄＢ以上の値である。例えば、１つの典型的実施形態においては、パラメータＫ＝２３．８ｄＢ−７．２ｄＢ＝１６．６ｄＢである。
【００８８】
図８は、様々な実施形態により実装される典型的通信システム８００を示す。典型的通信システム８００は、複数のセル、すなわち、セル１  ８０２、セルＭ  ８０４を含む。典型的システム８００は、例えば典型的な直交周波数分割多重化（ＯＦＤＭ）拡散スペクトル無線通信システム、例えば多元接続ＯＦＤＭシステム、である。典型的システム８００の各セル８０２、８０４は、３つのセクターを含む。様々な実施形態により、複数のセクターに細分されていないセル（Ｎ＝１）、２つのセクターを有するセル（Ｎ＝２）及び３つよりも多いセクターを有するセル（Ｎ＞３）も可能である。各セクターは、１つ以上の搬送波及び／又はダウンリンクトーンブロックをサポートする。幾つかの実施形態においては、各ダウンリンクトーンブロックは、対応するアップリンクトーンブロックを有する。幾つかの実施形態においては、全セクターの少なくとも一部は、３つのダウンリンクトーンブロックをサポートする。セル８０２は、第１のセクター、セクター１  ８１０と、第２のセクター、セクター２  ８１２と、第３のセクター、セクター３  ８１４と、を含む。同様に、セルＭ  ８０４は、第１のセクター、セクター１  ８２２と、第２のセクター、セクター２  ８２４と、第３のセクター、セクター３  ８２６と、を含む。セル１  ８０２は、各セクター８１０、８１２、８１４内の基地局（ＢＳ）と、基地局１  ８０６と、複数の無線端末（ＷＴ）と、を含む。セクター１  ８１０は、無線リンク８４０、８４２をそれぞれ介してＢＳ８０６に結合されたＷＴ（１）８３６と、ＷＴ（Ｎ）８３８と、を含む。セクター２  ８１２は、無線リンク８４８、８５０をそれぞれ介してＢＳ８０６に結合されたＷＴ（１’）８４４と、ＷＴ（Ｎ’）８４６と、を含む。セクター３  ８１４は、無線リンク８５６、８５８をそれぞれ介してＢＳ８０６に結合されたＷＴ（１”）８５２と、ＷＴ（Ｎ”）８５４と、を含む。同様に、セルＭ８０４は、各セクター８２２、８２４、８２６内の基地局Ｍ８０８と、複数の無線端末（ＷＴ）とを含む。セクター１  ８２２は、無線リンク８８０、８８２をそれぞれ介してＢＳ  Ｍ８０８に結合されたＷＴ（１””）８６８と、ＷＴ（Ｎ””）８７０と、を含む。セクター２  ８２４は、無線リンク８８４、８８６をそれぞれ介してＢＳ  Ｍ８０８に結合されたＷＴ（１””）８７２と、ＷＴ（Ｎ””）８７４と、を含む。セクター３  ８２６は、無線リンク８８８、８９０をそれぞれ介してＢＳ  Ｍ８０８に結合されたＷＴ（１””）８７６と、ＷＴ（Ｎ””）８７８と、を含む。
【００８９】
システム８００は、ネットワークリンク８６２、８６４をそれぞれ介してＢＳ１  ８０６及びＢＳ  Ｍ  ８０８に結合されたネットワークノード８６０も含む。ネットワークノード８６０は、ネットワークリンク８６６を介してその他のネットワークノード、例えばその他の基地局、ＡＡＡサーバーノード、中間ノード、ルーター等にも結合される。ネットワークリンク８６２、８６４、８６６は、例えば光ファイバーケーブルであることができる。各無線、例えばＷＴ  １  ８３６は、受信機と同様に送信機を含む。無線端末の少なくとも一部、例えばＷＴ（１）  ８３６は、システム８００全体を移動することができ及び例えば基地局セクターアタッチメントポイントを用いて、該ＷＴが現在所在するセル内の基地局と無線リンクを介して通信することができるモバイルノードである。無線端末（ＷＴ）、例えばＷＴ（１）８３６は、基地局、例えばＢＳ８０６、及び／又はネットワークノード８６０、を介してピアノード、例えばシステム８００内又はシステム８００外のその他のＷＴ、と通信することができる。ＷＴ、例えばＷＴ（１）８３６は、モバイル通信デバイス、例えば携帯電話、無線モデムを有するパーソナルデータアシスタント、無線モデムを有するラップトップコンピュータ、無線モデムを有するデータ端末等であることができる。
【００９０】
次に、典型的な４ビットダウンリンクビーコン比報告（ＤＬＢＮＲ４）が説明される。ビーコン比報告は、交信基地局セクターからの及び１つ以上のその他の干渉基地局セクターからの受信された測定されたダウンリンクブロードキャスト信号、例えばビーコン信号及び／又はパイロット信号、の関数である情報を提供する。質的には、ビーコン比報告は、その他の基地局セクターへのＷＴの相対的近接性を推定するために用いることができる。ビーコン比報告は、交信ＢＳセクターにおいてその他のセクターへの過度の干渉を防止するためにＷＴのアップリンク速度を制御する際に用いることができ、幾つかの実施形態においては用いられる。ビーコン比報告は、幾つかの実施形態においては、２つの要因、すなちわ（ｉ）Ｇｉで表される推定チャネル利得比、及び（ｉｉ）ｂｉで表される負荷率に基づく。
【００９１】
チャネル利得比は、幾つかの実施形態においては次のように定義される。現在の接続のトーンブロックにおいて、ＷＴは、幾つかの実施形態においては、ＷＴからいずれかの干渉基地局セクターｉ（ＢＳＳｉ）までのアップリンクチャネル利得とＷＴから交信中のＢＳＳまでのチャネル利得との間の比の推定値を決定する。この比は、Ｇｉで表される。典型的には、アップリンクチャネル利得比は、ＷＴにおいて直接測定することはできない。しかしながら、アップリンク及びダウンリンクの経路利得は、典型的には対称的であるため、該比は、交信ＢＳＳ及び干渉ＢＳＳからのダウンリンク信号の相対的受信電力を比較することによって推定することができる。基準ダウンリンク信号に関する１つの可能な選択肢は、非常に低いＳＮＲにおいて検出できるためこの目的に非常に適しているダウンリンクビーコン信号である。幾つかの実施形態においては、ビーコン信号は、トーン当たりの送信電力レベルが基地局セクターからのその他のダウンリンク信号よりも高い。さらに、ビーコン信号の特性は非常に優れているため、ビーコン信号を検出及び測定する上で精密なタイミング同期化を行う必要がない。例えば、ビーコン信号は、幾つかの実施形態においては、高電力狭帯域の、例えば単トーンの、２ＯＦＤＭシンボル送信期間幅の信号である。従って一定の所在位置において、ＷＴは、その他のダウンリンクブロードキャスト信号、例えばパイロット信号、の検出及び／又は測定を実行することができない基地局セクターからのビーコン信号を検出及び測定することができる。ビーコン信号を用いることで、アップリンク経路比は、Ｇｉ＝ＰＢｉ／ＰＢ０によって与えられ、ここで、ＰＢｉ／ＰＢ０は、それぞれ、干渉基地局セクター及び交信基地局セクターからのそれぞれの測定された受信ビーコン電力である。
【００９２】
ビーコンは、典型的には、送信頻度がかなり低いため、ビーコン信号の電力測定は、特に電力が急変するフェージング環境においては平均チャネル利得を非常に正確に表すことができない場合がある。例えば、幾つかの実施形態においては、２つの連続するＯＦＤＭシンボル送信継続時間を占め、基地局セクターのダウンリンクトーンブロックに対応する１つのビーコン信号は、９１２のＯＦＤＭシンボル送信期間のすべてのビーコンスロットに関して送信される。
【００９３】
他方、パイロット信号は、ビーコン信号よりもはるかに頻繁に送信され、例えば幾つかの実施形態においては、パイロット信号は、ビーコンスロットの９１２のＯＦＤＭシンボル送信期間のうちの８９６の期間中に送信される。ＷＴがＢＳセクターからパイロット信号を検出することができる場合は、ビーコン信号測定を用いる代わりに測定された受信パイロット信号から受信ビーコン信号の強度を推定することができる。例えば、ＷＴが干渉中のＢＳセクターの受信されたパイロット電力ＰＰｉを測定できる場合は、推定されたＰＢｉ＝ＫＺｉＰＰｉから受信されたパイロット電力ＰＰｉを推定することができ、ここで、Ｋは、干渉セクターのビーコン電力とパイロット電力との間の公称比であってＢＳセクターの各々に関して同じであり、Ｚｉは、セクターに依存するスケーリングファクタである。
【００９４】
同様に、交信ＢＳからのパイロット信号電力をＷＴにおいて測定可能である場合は、受信されたビーコン電力ＰＢ０は、関係、推定ＰＢ０＝ＫＺ０ＰＰ０、から推定することができ、ここで、Ｚ０及びＰＰ０は、それぞれ、スケーリングファクタ及び交信基地局セクターからの測定された受信パイロット電力である。
【００９５】
受信されたパイロット信号強度を交信基地局セクターに対応して測定可能であり、受信されたビーコン信号強度を干渉基地局セクターに対応して測定可能である場合は、ビーコン比は以下から推定できることに注目すること。
【００９６】
Ｇｉ＝ＰＢｉ／（ＰＰ０ＫＺ０）
パイロット強度を交信セクター及び干渉セクターの両方において測定可能である場合は、ビーコン比は以下から推定できることに注目すること。
【００９７】
Ｇｉ＝ＰＰｉＫＺｉ／（ＰＰ０ＫＺ０）＝ＰＰｉＺｉ／（ＰＰ０Ｚ０）
スケーリングファクタＫ、Ｚｉ及びＺ０は、システム定数であり、又は、ＢＳからのその他の情報からＷＴによって推測することができる。幾つかの実施形態においては、スケーリングファクタ（Ｋ、Ｚｉ、Ｚ０）の一部は、システム定数であり、スケーリングファクタ（Ｋ、Ｚｉ、Ｚ０）の一部は、ＢＳからのその他の情報からＷＴによって推測される。
【００９８】
異なる搬送波において異なる電力レベルを有する幾つかの多搬送波システムにおいては、スケーリングファクタＺｉ及びＺ０は、ダウンリンクトーンブロックの関数である。例えば、典型的ＢＳＳは、３つの電力段レベルを有し、３つの電力段レベルのうちの１つは、ＢＳＳアタッチメントポイントに対応する各ダウンリンクトーンブロックと関連づけられる。幾つかの該実施形態においては、３つの電力段レベルのうちの異なる１つは、ＢＳＳの異なるトーンブロックの各々と関連づけられる。例を続けると、所定のＢＳＳに関して、各電力段レベルは、公称ｂｓｓ電力レベル（例えば、ｂｓｓＰｏｗｅｒＮｏｍｉｎａｌ０、ｂｓｓＰｏｗｅｒＮｏｍｉｎａｌ１、及びｂｓｓＰｏｗｅｒＮｏｍｉｎａｌ２のうちの１つ）と関連づけられ、パイロットチャネル信号は、トーンブロックに関する公称ｂｓｓ電力レベルとの相対的電力レベル、例えばトーンブロックによって使用中の公称ｂｓｓ電力レベルよりも７．２ｄＢ高い電力レベルで送信される。しかしながら、ＢＳＳに関するトーン当たりのビーコンの相対的送信電力レベルは、ビーコンが送信されるトーンブロックに関わらず同じ、例えば電力段０ブロック（ｂｓｓＰｏｗｅｒＮｏｍｉｎａｌ０）によって用いられるｂｓｓ電力レベルよりも２３．８ｄＢ高い。従って、この例においては、所定のＢＳＳに関して、ビーコン送信電力は、トーンブロックの各々において同じになり、他方、パイロット送信電力は異なり、例えば異なるトーンブロックのパイロット送信電力は異なる電力段レベルに対応する。この例に関する１つの組のスケールファクタは、段０に関するビーコン電力とパイロット電力との間の比であるＫ＝２３．８−７．２ｄＢであり、Ｚｉは、段０セクターの電力に対する干渉セクターの段の相対的公称電力に設定される。
【００９９】
幾つかの実施形態においては、パラメータＺ０は、現在の接続のトーンブロックが交信ＢＳＳにおいてどのように用いられているかが交信ＢＳＳのｂｓｓＳｅｃｔｏｒＴｙｐｅによって決定されるのに応じて、格納されている情報、例えば図９のテーブル９００、から決定される。例えば、現在の接続のトーンブロックが交信ＢＳＳによって段０トーンブロックとして用いられる場合は、Ｚ０＝１である。現在の接続のトーンブロックが交信ＢＳＳによって段１トーンブロックとして用いられる場合は、Ｚ０＝ｂｓｓＰｏｗｅｒＢａｃｋｏｆｆ０１である。現在の接続のトーンブロックが交信ＢＳＳによって段２トーンブロックとして用いられる場合は、Ｚ０＝ｂｓｓＰｏｗｅｒＢａｃｋｏｆｆ０２である。
【０１００】
図９は、典型的な電力スケーリングファクタテーブル９００を含む。第１のカラム９０２は、段０トーンブロック、段１トーンブロック、又は段２トーンブロックのいずれかとしてのトーンブロックの使用を示す。第２のカラム９０４は、それぞれ（１、ｂｓｓＰｏｗｅｒＢａｃｋｏｆｆ０１、ｂｓｓＰｏｗｅｒＢａｃｋｏｆｆ０２）として各段（０、１、２）トーンブロックと関連づけられたスケーリングファクタを示す。幾つかの実施形態においては、ｂｓｓＰｏｗｅｒＢａｃｋｏｆｆ０１は、６ｄＢであり、ｂｓｓＰｏｗｅｒＢａｃｋｏｆｆ０２は、１２ｄＢである。
【０１０１】
幾つかの実施形態においては、ＤＣＣＨ  ＤＬＢＮＲ４報告は、一般的ビーコン比報告及び特別ビーコン比報告のうちの１つであることができる。幾つかの該実施形態においては、ダウンリンクトラフィック制御チャネル、例えばＤＬ．ＴＣＣＨ．ＦＬＡＳＨチャネル、は、ビーコンスロットにおいて特別フレームを送信し、特別フレームは、“ＤＬＢＮＲ４報告要求フィールド”を含む。そのフィールドは、交信ＢＳＳが選択を制御するために用いることができる。例えば、フィールドがゼロに設定されている場合は、ＷＴは一般的ビーコン比報告を報告し、その他の場合は、ＷＴは特別ビーコン比報告を報告する。
【０１０２】
様々な実施形態による一般的ビーコン比報告は、ＷＴが現在の接続において交信ＢＳＳに送信する場合は、ＷＴがすべての干渉ビーコン又は“最も近い”干渉ビーコンに対して発生させることになる相対的干渉コストを測定する。幾つかの実施形態による特別ビーコン比報告は、ＷＴが現在の接続において交信ＢＳＳに送信する場合は、ＷＴが特定のＢＳＳに対して発生させることになる相対的干渉コストを測定する。特定のＢＳＳは、特別ダウンリンクフレームのＤＬＢＮＲ４要求フィールドにおいて受信された情報を用いて示されるＢＳＳである。例えば、幾つかの実施形態においては、特定のＢＳＳは、そのｂｓｓＳｌｏｐｅが例えば符号なし整数フォーマットでの“ＤＬＢＮＲ４報告要求フィールド”の値に等しく、そのｂｓｓＳｅｃｔｏｒＴｙｐｅがｍｏｄ（ｕｌＵｌｔｒａｓｌｏｔＢｅａｃｏｎｓｌｏｔＩｎｄｅｘ，３）に等しいＢＳＳであり、ここで、ｕｌＵｌｔｒａｓｌｏｔＢｅａｃｏｎｓｌｏｔＩｎｄｅｘは、現在の接続のウルトラスロット内のビーコンスロットのアップリンクインデックスである。幾つかの実施形態においては、ウルトラスロット内には１８のインデキシングされたビーコンスロットが存在する。
【０１０３】
様々な実施形態においては、一般的ビーコン比及び特別ビーコン比の両方とも、計算されたチャネル利得比Ｇ１、Ｇ２、．．．、から次のように決定される。ＷＴは、ダウンリンクブロードキャストシステムサブチャネルにおいて送信されたアップリンク負荷率を受信し、図１０のアップリンク負荷率テーブル９５０から変数ｂ０を決定する。テーブル９５０は、アップリンク負荷率に関して用いることができる８個の異なる値（０、１、２、３、４、５、６、７）を記載する第１のカラム９５２を含み、第２のカラム９５４は単位がｄＢのｂ値に関する対応値（０、−１、−２、−３、−４、−６、−９、−無限大）をそれぞれ記載する。その他のＢＳＳｉに関しては、ＷＴは、現在の接続のトーンブロック内のＢＳＳｉのダウンリンクブロードキャストシステムサブチャネルにおいて送信されたアップリンク負荷率からｂｉを受信することを試みる。ＷＴがＵＬ負荷率ｂｉを受信することができない場合は、ＷＴは、ｂｉ＝１に設定する。
【０１０４】
幾つかの実施形態においては、単搬送波動作において、ＷＴは、次の電力比を一般的ビーコン比報告として計算する。すなわち、ｕｌＵｌｔｒａｓｌｏｔＢｅａｃｏｎｓｌｏｔＩｎｄｅｘが偶数のときにはｂ０／（Ｇ１ｂ１＋Ｇ２ｂ２＋．．．）、ｕｌＵｌｔｒａｓｌｏｔＢｅａｃｏｎｓｌｏｔＩｎｄｅｘが奇数のときにはｂ０／ｍａｘ（Ｇ１ｂ１，Ｇ２ｂ２）であり、ここで、ｕｌＵｌｔｒａｓｌｏｔＢｅａｃｏｎｓｌｏｔＩｎｄｅｘは、現在の接続のウルトラスロット内のビーコンスロットのアップリンクインデックスであり、動作＋は、正規の加算を表す。特定ビーコン比報告を送信する必要があるときには、ＷＴは、幾つかの実施形態においては、ｂ０／（ＧｋＢｋ）を計算し、ここで、インデックスｋは、特定のＢＳＳｋを表す。幾つかの実施形態においては、ウルトラスロット内には１８のインデキシングされたビーコンスロットが存在する。
【０１０５】
図１１は、様々な実施形態による、４ビットダウンリンクビーコン比報告（ＤＬＢＮＲ４）に関する典型的フォーマットを示すテーブル１１００である。第１のカラム１１０２は、報告が搬送することができる１６の様々なビットパターンを記載し、第２のカラム１１０４は、各ビットパターンに対応して報告された、例えば−３ｄＢ乃至２６ｄＢの範囲の報告された電力比を記載する。無線端末は、決定された報告値に近いＤＬＢＮＲ４テーブルエントリを選択及び通信することによって一般的及び特定のビット比報告を報告する。この典型的実施形態においては、一般的及び特定のビット比報告は、ＤＬＢＮＲ４に関する同じテーブルを使用し、幾つかの実施形態においては、異なるテーブルを用いることができる。
【０１０６】
図１２は、様々な実施形態により実装される、典型的な直交周波数分割多重化（ＯＦＤＭ）無線通信システム８０００、例えばＯＦＤＭ拡散スペクトル多元接続無線通信システム、を示す。典型的無線通信システム８００は、バックホールネットワークを介してひとつに結合された複数の基地局と、複数の無線端末、例えばモバイルノード、と、を含む。典型的基地局（基地局１  ８００２、基地局２  ８００４、基地局３  ８００６、基地局４  ８００８）及び典型的無線端末１（ＷＴ１）８０１０が図１２に示される。
【０１０７】
基地局１  ８００２は、基地局セクターＳ０（ＢＳＳ０）８０１２と、基地局セクターＳ１（ＢＳＳ１）８０１４と、基地局セクターＳ２（ＢＳＳ２）８０１６と、を含む３セクター基地局である。各基地局セクター（８０１２、８０１４、８０１６）は、対応する公称段０電力レベル（ＢＳＳ０公称段０電力レベル８０１８、ＢＳＳ１公称段０電力レベル８０２０、ＢＳＳ２公称段０電力レベル８０２２）を有する。基地局２  ８００４は、基地局セクターＳ０（ＢＳＳ０）８０２４と、基地局セクターＳ１（ＢＳＳ１）８０２６と、基地局セクターＳ２（ＢＳＳ２）８０２８と、を含む３セクター基地局である。各基地局セクター（８０２４、８０２６、８０２８）は、対応する公称段０電力レベル（ＢＳＳ０公称段０電力レベル８０３０、ＢＳＳ１公称段０電力レベル８０３２、ＢＳＳ２公称段０電力レベル８０３４）を有する。基地局３  ８００６は、基地局セクターＳ０（ＢＳＳ  ０）８０３６と、基地局セクター１（ＢＳＳ  １）８０３８と、基地局セクターＳ２（ＢＳＳ２）８０４０と、を含む３セクター基地局である。各基地局セクター（８０３６、８０３８、８０４０）は、対応する公称段０電力レベル（ＢＳＳ０公称段０電力レベル８０４２、ＢＳＳ１公称段０電力レベル８０４４、ＢＳＳ２公称段０電力レベル８０４６）を有する。基地局４  ８００８は、公称段０電力レベル８０４８を有する単セクター基地局である。
【０１０８】
各公称段０電力レベルは、対応する基地局セクター送信機によって用いられているダウンリンクトーンブロックのうちの１つと関連づけられた電力レベルに対応する。幾つかの実施形態においては、各ダウンリンクトーンブロックは、対応するアップリンクトーンブロックと関連づけられる。この典型的実施形態においては、各基地局セクターは、１つ以上の物理的アタッチメントポイントに対応し、各物理的アタッチメントポイントは、ダウンリンク／アップリンクトーンブロック対に対応する。例えば複数の物理的アタッチメントポイントに対応する複数のダウンリンクトーンブロックを用いてダウンリンクユーザーデータを通信する基地局セクター送信機に関して、公称段０電力レベルは、最高の電力レベルを有するダウンリンクトーンブロックと関連づけられる。さらに、その他のダウンリンクトーンブロックは、段０トーンブロック電力レベルに関する公称電力レベルにおいて参照され、これらのトーンブロックの公称電力レベルは、より小さい値を有する。例えば、所定のＢＳＳに関して、段１トーンブロックは、段０トーンブロックよりも低い電力レベルを有し、段２トーンブロックは、段１トーンブロックよりも低い電力レベルを有する。
【０１０９】
図１３は、図１２の典型的システム８０００を示し、様々な特長を例示するために基地局セクターの各々に対応する追加の詳細を提供する。この典型的実施形態は、３つのオーバーラップしていないダウンリンクトーンブロック（トーンブロック０、トーンブロック１、及びトーンブロック２）を用いる無線通信システムを表す。例えば、各ダウンリンクトーンブロックは、幾つかの実施形態においては、１１３のＯＦＤＭトーンに対応し、３つのトーンブロックの組合せは、５ＭＨｚシステムに対応する。この典型的実施形態においては、ビーコン信号は、ＢＳＳによって各トーンブロック内に送信され、ビーコンは、段０電力レベルに関する電力レベルで通信される。しかしながら、パイロット信号及びユーザーデータ信号は、所定のトーンブロックで送信できる場合とできない場合があり、パイロット／ユーザーデータ信号は、対応するトーンブロックの電力段レベルに関する電力レベルで基地局セクターによって送信される。各基地局セクターは、１つのビーコンスロット当たり１つのトーンブロック当たり１つのビーコン信号を送信する。この典型的実施形態においては、セクター型は、いずれのトーンブロックが段０トーンブロックであるかを決定し、段１及び段２のトーンブロックも、使用時には、第２の型と関連づけることによって決定される。
【０１１０】
ブロック８０５０は、基地局１  ８００２のＢＳＳ０  ８０１２に関して、（ｉ）トーンブロック０は、段電力レベル０と関連づけられ、ビーコン、パイロット及びユーザーデータ信号は、トーンブロック０において通信され、（ｉｉ）トーンブロック１は、段電力レベル１と関連づけられ、ビーコン、パイロット及びユーザーデータ信号は、トーンブロック１において通信され、（ｉｉｉ）トーンブロック２は、段電力レベル２と関連づけられ、ビーコン、パイロット及びユーザーデータ信号は、トーンブロック２において通信されることを示す。ブロック８０５２は、基地局１  ８００２のＢＳＳ１  ８０１４に関して、（ｉ）トーンブロック０は、段電力レベル２と関連づけられ、ビーコン、パイロット及びユーザーデータ信号は、トーンブロック０において通信され、（ｉｉ）トーンブロック１は、段電力レベル０と関連づけられ、ビーコン、パイロット及びユーザーデータ信号は、トーンブロック１において通信され、（ｉｉｉ）トーンブロック２は、段電力レベル１と関連づけられ、ビーコン、パイロット及びユーザーデータ信号は、トーンブロック２において通信されることを示す。ブロック８０５４は、基地局１  ８００２のＢＳＳ２  ８０１６に関して、（ｉ）トーンブロック０は、段電力レベル１と関連づけられ、ビーコン、パイロット及びユーザーデータ信号は、トーンブロック０において通信され、（ｉｉ）トーンブロック１は、段電力レベル２と関連づけられ、ビーコン、パイロット及びユーザーデータ信号は、トーンブロック１において通信され、（ｉｉｉ）トーンブロック２は、段電力レベル０と関連づけられ、ビーコン、パイロット及びユーザーデータ信号は、トーンブロック２において通信されることを示す。
【０１１１】
ブロック８０５６は、基地局２  ８００４のＢＳＳ０  ８０２４に関して、（ｉ）トーンブロック０は、段電力レベル０と関連づけられ、ビーコン、パイロット及びユーザーデータ信号は、トーンブロック０において通信され、（ｉｉ）トーンブロック１は、段電力レベル１と関連づけられ、ビーコン、パイロット及びユーザーデータ信号は、トーンブロック１において通信され、（ｉｉｉ）トーンブロック２は、段電力レベル２と関連づけられ、ビーコン、パイロット及びユーザーデータ信号は、トーンブロック２において通信されることを示す。ブロック８０５８は、基地局２  ８００４のＢＳＳ１  ８０２６に関して、（ｉ）トーンブロック０は、段電力レベル２と関連づけられ、ビーコン、パイロット及びユーザーデータ信号は、トーンブロック０において通信され、（ｉｉ）トーンブロック１は、段電力レベル０と関連づけられ、ビーコン、パイロット及びユーザーデータ信号は、トーンブロック１において通信され、（ｉｉｉ）トーンブロック２は、段電力レベル１と関連づけられ、ビーコン、パイロット及びユーザーデータ信号は、トーンブロック２において通信されることを示す。ブロック８０６０は、基地局２  ８００４のＢＳＳ２  ８０２８に関して、（ｉ）トーンブロック０は、段電力レベル１と関連づけられ、ビーコン、パイロット及びユーザーデータ信号は、トーンブロック０において通信され、（ｉｉ）トーンブロック１は、段電力レベル２と関連づけられ、ビーコン、パイロット及びユーザーデータ信号は、トーンブロック１において通信され、（ｉｉｉ）トーンブロック２は、段電力レベル０と関連づけられ、ビーコン、パイロット及びユーザーデータ信号は、トーンブロック２において通信されることを示す。
【０１１２】
ブロック８０６２は、基地局３  ８００６のＢＳＳ０  ８０３６に関して、（ｉ）トーンブロック０は、段電力レベル０と関連づけられ、ビーコン、パイロット及びユーザーデータ信号は、トーンブロック０において通信され、（ｉｉ）トーンブロック１は、段電力レベル１と関連づけられ、ビーコン、パイロット及びユーザーデータ信号は、トーンブロック１において通信され、（ｉｉｉ）トーンブロック２は、ビーコンシグナリングに関して用いられるがパイロット及びユーザーデータのシグナリングに関しては用いられないことを示す。ブロック８０６４は、基地局３  ８００６のＢＳＳ１  ８０３８に関して、（ｉ）トーンブロック０は、ビーコンシグナリングに関して用いられるがパイロット及びユーザーデータのシグナリングに関しては用いられず、（ｉｉ）トーンブロック１は、段電力レベル０と関連づけられ、ビーコン、パイロット及びユーザーデータ信号は、トーンブロック１において通信され、（ｉｉｉ）トーンブロック２は、ビーコンシグナリングに関して用いられるがパイロット及びユーザーデータのシグナリングに関しては用いられないことを示す。ブロック８０６６は、基地局３  ８００６のＢＳＳ２  ８０４０に関して、（ｉ）トーンブロック０は、ビーコンシグナリングに関して用いられるがパイロット及びユーザーデータのシグナリングに関しては用いられず、（ｉｉ）トーンブロック１は、ビーコンシグナリングに関して用いられるがパイロット及びユーザーデータのシグナリングに関しては用いられず、（ｉｉｉ）トーンブロック２は、段電力レベル０と関連づけられ、ビーコン、パイロット及びユーザーデータ信号は、トーンブロック２において通信されることを示す。
【０１１３】
ブロック８０６８は、基地局４  ８００８のＢＳＳに関して、（ｉ）トーンブロック０は、段電力レベル０と関連づけられ、ビーコン、パイロット及びユーザーデータ信号は、トーンブロック０において通信され、（ｉｉ）トーンブロック１は、段電力レベル１と関連づけられ、ビーコン、パイロット及びユーザーデータ信号は、トーンブロック１において通信され、（ｉｉｉ）トーンブロック２は、段電力レベル２と関連づけられ、ビーコン、パイロット及びユーザーデータ信号は、トーンブロック２において通信されることを示す。
【０１１４】
図１４は、様々な実施形態による典型的なビーコン比報告方法を例示することを目的とする、図１２及び１３の典型的システム８０００の図であり、ＷＴによって受信及び処理される典型的シグナリングを含む。図１４の例においては、無線端末８０１０は、トーンブロック１物理的アタッチメントポイントを用いるＢＳＳ８０１６を備えた無線接続８０７０を有する。接続８０７０を通じて通信されるビーコン比報告に関して、ＢＳＳ８０１６は、時々ＢＳＳ０で表される交信ＢＳＳである。この例においては、ＷＴ８０１２の観点から、ＢＳＳ８０１２、８０２６、８０３６、８００８は、時々ＢＳＳｉで表される干渉基地局セクターを表す。
【０１１５】
交信ＢＳＳ８０１６から、無線端末は、トーンブロック１において通信されたビーコン信号８０７８及びパイロットトーン信号８０７６を受信及び処理する。ＷＴ１  ８０１０は、ＢＳＳ８０１６トーンブロック１アタッチメントポイントに関してタイミング同期化され従ってパイロットチャネルを正確に測定可能であることに注目すること。各干渉ＢＳＳ（８０１２、８０２６、８０３６、８００８）に関して、無線端末８０１０は、トーンブロック１において通信されたビーコン信号（８０７２、８０８２、８０８６、８０９０）をそれぞれ受信及び処理する。例えばその他のダウンリンクブロードキャスト信号、例えばパイロット信号、と比較して相対的に高いトーン当たりの送信電力レベルで送信される単一のトーンを使用し、２つの連続するＯＦＤＭシンボル送信期間から成る継続時間を有するビーコン信号は、より長い範囲においては、パイロット信号よりも簡単に検出することができ、精密なタイミング同期化を正確に測定する必要がない。さらに、アップリンク負荷率情報信号（８０８０、８０７４、８０８４、８０８８、８０９２）は、ＢＳＳ（８０１６、８０１２、８０２６、８０３６、８００８）の各々からそれぞれ通信される。これらのアップリンク負荷率情報信号（８０８０、８０７４、８０８４、８０８８、８０９２）は、ブロードキャスト信号として通信されるが、例えばそのトーン当たりの送信電力レベルはビーコンのトーン当たりの送信電力レベルよりも低いため、成功裏に復元できる場合とできない場合がある。アップリンク負荷率を成功裏に復元できない場合は、デフォルト値、例えば１の値、がビーコン比報告計算において用いられる。
【０１１６】
次に、典型的な一般的ビーコン比報告の生成が説明され、生成された一般的ビーコン比報告は、専用の制御チャネルセグメントを介して接続８０７０を通じて通信される。
【０１１７】
交信中のＢＳＳ、ＢＳＳ０は、ＢＳＳ８０１６である。ＰＰ０は、受信されたパイロット信号８０７６の無線端末によって測定された電力である。干渉中のＢＳＳ１は、ＢＳＳ８０１２であり、ＰＢ１は、受信されたビーコン信号８０７２の測定された電力である。干渉中のＢＳＳ２は、ＢＳＳ８０２６であり、ＰＢ２は、受信されたビーコン信号８０８２の測定された電力である。干渉中のＢＳＳ３は、ＢＳＳ８０３６であり、ＰＢ３は、受信されたビーコン信号８０８６の測定された電力である。干渉中のＢＳＳ４は、ＢＳＳ８００８であり、ＰＢ４は、受信されたビーコン信号８０９０の測定された電力である。アップリンク負荷率（ｂ０、ｂ１、ｂ２、ｂ３、ｂ４）は、成功裏に復元される場合は、信号（８０８０、８０７４、８０８４、８０８８、８０９２）からそれぞれ復元される。各ｂの値は、ゼロ以上で、１以下である。所定のｂを復元できない場合は、デフォルト値１が用いられる。トーンブロック１がパイロット及びユーザーデータのシグナリングに関してＢＳＳ  ８１０２によって用いられるため、インジケータ関数Ｉ１＝１である。トーンブロック１がパイロット及びユーザーデータのシグナリングに関してＢＳＳ  ８０２６によって用いられるため、インジケータ関数Ｉ２＝１である。トーンブロック１がパイロット及びユーザーデータのシグナリングに関してＢＳＳ  ８０３６によって用いられないため、インジケータ関数Ｉ３＝０である。トーンブロック１がパイロット及びユーザーデータのシグナリングに関してＢＳＳ  ８００８によって用いられるため、インジケータ関数Ｉ４＝１である。
【０１１８】
Ｋは、段０トーンブロックに関するビーコンチャネルとパイロットチャネルとの間のトーン当たりの送信電力の比であり、システムに関する定数である。ＢＳＳ８０１６のトーンブロック１は段２トーンブロックであるため、Ｚ０＝ｂｓｓＰｏｗｅｒｂａｃｋｏｆｆ０２である。ＢＳＳ８０１２のトーンブロック１は段１トーンブロックであるため、Ｚ１＝ｂｓｓＰｏｗｅｒｂａｃｋｏｆｆ０１である。ＢＳＳ８０２６のトーンブロック１は段０トーンブロックであるため、Ｚ２＝１である。Ｉ３＝０であるためＺ３は該当しない。ＢＳＳ８００８のトーンブロック１は段１トーンブロックであるため、Ｚ４＝ｂｓｓＰｏｗｅｒｂａｃｋｏｆｆ０１である。
【０１１９】
ｎの干渉基地局セクターが検討される一般的事例においては、第１の型の一般的ビーコン比報告＝（ｂ０／Ｚ０）／（Ｇ１ｂ１／Ｚ１＊Ｉ１＋Ｇ２ｂ２／Ｚ２＊Ｉ２＋Ｇ３ｂ３／Ｚ３＊Ｉ３＋Ｇ４ｂ４／Ｚ４＊Ｉ４＋．．．Ｇｎｂｎ／Ｚｎ＊Ｉｎ）及び第２の型の一般的ビーコン比報告＝（ｂ０／Ｚ０）／（ｍａｘ（Ｇ１ｂ１／Ｚ１＊Ｉ１，Ｇ２ｂ２／Ｚ２＊Ｉ２，Ｇ３ｂ３／Ｚ３＊Ｉ３，Ｇ４ｂ４／Ｚ４＊Ｉ４，．．．，Ｇｎｂｎ／Ｚｎ＊Ｉｎ））である。
【０１２０】
ここで、
Ｇ１＝ＰＢ１／ＰＢ０又はＰＢ１／（ＰＰ０＊Ｋ＊Ｚ０）
Ｇ２＝ＰＢ２／ＰＢ０又はＰＢ２／（ＰＰ０＊Ｋ＊Ｚ０）
Ｇ３＝ＰＢ３／ＰＢ０又はＰＢ３／（ＰＰ０＊Ｋ＊Ｚ０）
Ｇ４＝ＰＢ４／ＰＢ０又はＰＢ４／（ＰＰ０＊Ｋ＊Ｚ０）
．
．
．
Ｇｎ＝ＰＢｎ／ＰＢ０又はＰＢｎ／（ＰＰ０＊Ｋ＊Ｚ０）
４つの干渉基地局セクターが検討される図１４の特定事例に関しては、第１の型の一般的ビーコン比報告＝（ｂ０／Ｚ０）／（Ｇ１ｂ１／Ｚ１＊Ｉ１＋Ｇ２ｂ２／Ｚ２＊Ｉ２＋Ｇ３ｂ３／Ｚ３＊Ｉ３＋Ｇ４ｂ４／Ｚ４＊Ｉ４）及び第２の型の一般的ビーコン比報告＝（ｂ０／Ｚ０）／（ｍａｘ（Ｇ１ｂ１／Ｚ１＊Ｉ１，Ｇ２ｂ２／Ｚ２＊Ｉ２，Ｇ３ｂ３／Ｚ３＊Ｉ３，Ｇ４ｂ４／Ｚ４＊Ｉ４）である。
【０１２１】
ここで、
Ｇ１＝ＰＢ１／ＰＢ０又はＰＢ１／（ＰＰ０＊Ｋ＊Ｚ０）
Ｇ２＝ＰＢ２／ＰＢ０又はＰＢ２／（ＰＰ０＊Ｋ＊Ｚ０）
Ｇ３＝ＰＢ３／ＰＢ０又はＰＢ３／（ＰＰ０＊Ｋ＊Ｚ０）
Ｇ４＝ＰＢ４／ＰＢ０又はＰＢ４／（ＰＰ０＊Ｋ＊Ｚ０）
さらに、Ｉ１＝１、Ｉ２＝１、Ｉ３＝０、及びＩ４＝１であるため、一般的ビーコン比報告方程式は、次のように約分される。すなわち、第１の型の一般的ビーコン比報告＝（ｂ０／Ｚ０）／（Ｇ１ｂ１／Ｚ１＋Ｇ２ｂ２／Ｚ２＋Ｇ４ｂ４／Ｚ４）及び第２の型の一般的ビーコン比報告＝（ｂ０／Ｚ０）／（ｍａｘ（Ｇ１ｂ１／Ｚ１，Ｇ２ｂ２／Ｚ２，Ｇ４ｂ４／Ｚ４）である。
【０１２２】
ここで、
Ｇ１＝ＰＢ１／ＰＢ０又はＰＢ１／（ＰＰ０＊Ｋ＊Ｚ０）
Ｇ２＝ＰＢ２／ＰＢ０又はＰＢ２／（ＰＰ０＊Ｋ＊Ｚ０）
Ｇ４＝ＰＢ４／ＰＢ０又はＰＢ４／（ＰＰ０＊Ｋ＊Ｚ０）
図１５は、様々な実施形態による典型的なビーコン比報告方法を例示することを目的とする、図１２及び１３の典型的システム８０００の図であり、ＷＴ８０１０によって受信及び処理される典型的シグナリングを含む。図１５の例においては、無線端末８０１０は、２つの同時並行する無線接続、すなわち、トーンブロック１の物理的アタッチメントポイントを用いるＢＳＳ８０１６との第１の無線接続８０７０及びトーンブロック１の物理的アタッチメントポイントを用いるＢＳＳ８０２６との第２の物理的接続、を有する。接続８０７０を通じて通信されるビーコン比報告に関しては、ＢＳＳ８０１６が交信ＢＳＳであって、時々ＢＳＳ０で表され、ＢＳＳ８０１２、８０２６、８０３６、８００８は、干渉基地局セクターを表し、時々ＢＳＳｉで表される。接続８０７１を通じて通信されるビーコン比報告に関しては、ＢＳＳ８０２６が交信ＢＳＳであって、時々ＢＳＳ０で表され、ＢＳＳ８０１２、８０２６、８０３６、８００８は、干渉基地局セクターを表し、時々ＢＳＳｉで表される。
【０１２３】
接続８０７０に関するビーコン比報告を生成する際には図１４に関して前述される同じ信号をＷＴ８０１０によって用いることができる。さらに、接続８０７０に関するビーコン比報告を生成する際にはＢＳＳ８０２６からのトーンブロック１内のパイロット信号８０８３をＷＴ８０１０によって用いることができる。
【０１２４】
ｎの干渉基地局セクターが検討される一般的事例においては、第１の型の一般的ビーコン比報告＝（ｂ０／Ｚ０）／（Ｇ１ｂ１／Ｚ１＊Ｉ１＋Ｇ２ｂ２／Ｚ２＊Ｉ２＋Ｇ３ｂ３／Ｚ３＊Ｉ３＋Ｇ４ｂ４／Ｚ４＊Ｉ４＋．．．Ｇｎｂｎ／Ｚｎ＊Ｉｎ）及び第２の型の一般的ビーコン比報告＝（ｂ０／Ｚ０）／（ｍａｘ（Ｇ１ｂ１／Ｚ１＊Ｉ１，Ｇ２ｂ２／Ｚ２＊Ｉ２，Ｇ３ｂ３／Ｚ３＊Ｉ３，Ｇ４ｂ４／Ｚ４＊Ｉ４，．．．，Ｇｎｂｎ／Ｚｎ＊Ｉｎ））である。
【０１２５】
ここで、
Ｇ１＝ＰＢ１／ＰＢ０又はＰＢ１／（ＰＰ０＊Ｋ＊Ｚ０）又は（ＰＰ１＊Ｚ１）／（ＰＰ０＊Ｚ０）
Ｇ２＝ＰＢ２／ＰＢ０又はＰＢ２／（ＰＰ０＊Ｋ＊Ｚ０）又は（ＰＰ１＊Ｚ２）／（ＰＰ０＊Ｚ０）
Ｇ３＝ＰＢ３／ＰＢ０又はＰＢ３／（ＰＰ０＊Ｋ＊Ｚ０）又は（ＰＰ３＊Ｚ３）／（ＰＰ０＊Ｚ０）
Ｇ４＝ＰＢ４／ＰＢ０又はＰＢ４／（ＰＰ０＊Ｋ＊Ｚ０）又は（ＰＰ４＊Ｚ４）／（ＰＰ０＊Ｚ０）
．
．
．
Ｇｎ＝ＰＢｎ／ＰＢ０又はＰＢｎ／（ＰＰ０＊Ｋ＊Ｚ０）又は（ＰＰｎ＊Ｚｎ）／（ＰＰ０＊Ｚ０）
４つの干渉基地局セクターが接続１  ８０７０に関して検討されている図１５の特定事例に関して、第１の型の一般的ビーコン比報告＝（ｂ０／Ｚ０）／（Ｇ１ｂ１／Ｚ１＊Ｉ１＋Ｇ２ｂ２／Ｚ２＊Ｉ２＋Ｇ３ｂ３／Ｚ３＊Ｉ３＋Ｇ４ｂ４／Ｚ４＊Ｉ４）及び第２の型の一般的ビーコン比報告＝（ｂ０／Ｚ０）／（ｍａｘ（Ｇ１ｂ１／Ｚ１＊Ｉ１，Ｇ２ｂ２／Ｚ２＊Ｉ２，Ｇ３ｂ３／Ｚ３＊Ｉ３，Ｇ４ｂ４／Ｚ４＊Ｉ４）である。
【０１２６】
ここで、ＢＳＳ８０１６は、ＢＳＳ０であり、ＢＳＳ８０１２は、ＢＳＳ１であり、ＢＳＳ８０２６は、ＢＳＳ２であり、ＢＳＳ８０３６は、ＢＳＳ３であり、ＢＳＳ８００８は、ＢＳＳ４であり、パイロット信号情報の利用可能性を考慮した場合以下のようになる。
【０１２７】
Ｇ１＝ＰＢ１／ＰＢ０又はＰＢ１／（ＰＰ０＊Ｋ＊Ｚ０）
Ｇ２＝ＰＢ２／ＰＢ０又はＰＢ２／（ＰＰ０＊Ｋ＊Ｚ０）又は（ＰＰ２＊Ｚ２）／（ＰＰ０＊Ｚ０）
Ｇ３＝ＰＢ３／ＰＢ０又はＰＢ３／（ＰＰ０＊Ｋ＊Ｚ０）
Ｇ４＝ＰＢ４／ＰＢ０又はＰＢ４／（ＰＰ０＊Ｋ＊Ｚ０）
さらに、Ｉ１＝１、Ｉ２＝１、Ｉ３＝０、及びＩ４＝１であるため、一般的ビーコン比報告方程式は、次のように約分される。すなわち、第１の型の一般的ビーコン比報告＝（ｂ０／Ｚ０）／（Ｇ１ｂ１／Ｚ１＋Ｇ２ｂ２／Ｚ２＋Ｇ４ｂ４／Ｚ４）及び第２の型の一般的ビーコン比報告＝（ｂ０／Ｚ０）／（ｍａｘ（Ｇ１ｂ１／Ｚ１，Ｇ２ｂ２／Ｚ２，Ｇ４ｂ４／Ｚ４））である。
【０１２８】
ここで、
Ｇ１＝ＰＢ１／ＰＢ０又はＰＢ１／（ＰＰ０＊Ｋ＊Ｚ０）
Ｇ２＝ＰＢ２／ＰＢ０又はＰＢ２／（ＰＰ０＊Ｋ＊Ｚ０）又は（ＰＰ２＊Ｚ２）／（ＰＰ０＊Ｚ０）
Ｇ４＝ＰＢ４／ＰＢ０又はＰＢ４／（ＰＰ０＊Ｋ＊Ｚ０）
４つの干渉基地局セクターが接続２  ８０７１に関して検討されている図１５の特定事例に関して、第１の型の一般的ビーコン比報告＝（ｂ０／Ｚ０）／（Ｇ１ｂ１／Ｚ１＊Ｉ１＋Ｇ２ｂ２／Ｚ２＊Ｉ２＋Ｇ３ｂ３／Ｚ３＊Ｉ３＋Ｇ４ｂ４／Ｚ４＊Ｉ４）及び第２の型の一般的ビーコン比報告＝（ｂ０／Ｚ０）／（ｍａｘ（Ｇ１ｂ１／Ｚ１＊Ｉ１，Ｇ２ｂ２／Ｚ２＊Ｉ２，Ｇ３ｂ３／Ｚ３＊Ｉ３，Ｇ４ｂ４／Ｚ４＊Ｉ４）である。
【０１２９】
ここで、ＢＳＳ８０２６は、ＢＳＳ０であり、ＢＳＳ８０１６は、ＢＳＳ１であり、ＢＳＳ８０１２は、ＢＳＳ２であり、ＢＳＳ８０３６は、ＢＳＳ３であり、ＢＳＳ８００８は、ＢＳＳ４であり、パイロット信号情報の利用可能性を考慮した場合以下のようになる。
【０１３０】
Ｇ１＝ＰＢ１／ＰＢ０又はＰＢ１／（ＰＰ０＊Ｋ＊Ｚ０）又は（ＰＰ１＊Ｚ１）／（ＰＰ０＊Ｚ０）
Ｇ２＝ＰＢ２／ＰＢ０又はＰＢ２／（ＰＰ０＊Ｋ＊Ｚ０）
Ｇ３＝ＰＢ３／ＰＢ０又はＰＢ３／（ＰＰ０＊Ｋ＊Ｚ０）
Ｇ４＝ＰＢ４／ＰＢ０又はＰＢ４／（ＰＰ０＊Ｋ＊Ｚ０）
さらに、Ｉ１＝１、Ｉ２＝１、Ｉ３＝０、及びＩ４＝１であるため、一般的ビーコン比報告方程式は、次のように約分される。すなわち、第１の型の一般的ビーコン比報告＝（ｂ０／Ｚ０）／（Ｇ１ｂ１／Ｚ１＋Ｇ２ｂ２／Ｚ２＋Ｇ４ｂ４／Ｚ４）及び第２の型の一般的ビーコン比報告＝（ｂ０／Ｚ０）／（ｍａｘ（Ｇ１ｂ１／Ｚ１，Ｇ２ｂ２／Ｚ２，Ｇ４ｂ４／Ｚ４））である。
【０１３１】
ここで、
Ｇ１＝ＰＢ１／ＰＢ０又はＰＢ１／（ＰＰ０＊Ｋ＊Ｚ０）又は（ＰＰ１＊Ｚ１）／（ＰＰ０＊Ｚ０）
Ｇ２＝ＰＢ２／ＰＢ０又はＰＢ２／（ＰＰ０＊Ｋ＊Ｚ０）
Ｇ４＝ＰＢ４／ＰＢ０又はＰＢ４／（ＰＰ０＊Ｋ＊Ｚ０）
幾つかの実施形態においては、無線端末は、信頼できるパイロット信号情報を２つのソースから復元可能である場合はパイロット信号を用いてチャネル利得比、例えばＧｉ、を入手することを試みる。その試みが可能でない場合は、無線端末は、交信基地局セクターからのパイロット信号及び他方の基地局セクターからのビーコン信号を用いてチャネル利得比を入手することを試みる。
【０１３２】
図１６は、様々な実施形態による典型的なビーコン比報告方法を例示することを目的とする、図１２及び１３の典型的システム８０００の図であり、ＷＴ８０１０によって受信及び処理される典型的シグナリングを含む。図１６の例においては、無線端末８０１０は、トーンブロック１の物理的アタッチメントポイントを用いるＢＳＳ８０１６との第１の無線接続８００１及びトーンブロック２の物理的アタッチメントポイントを用いるＢＳＳ８０２６との第２の同時並行無線接続８００３を有する。接続８００１を通じて通信されるビーコン比報告に関しては、ＢＳＳ８０１６が交信ＢＳＳであって、時々ＢＳＳ０で表され、ＢＳＳ８０１２、８０２６、８０３６、８００８は、干渉基地局セクターを表し、時々ＢＳＳｉ、例えば、ＢＳＳ１、ＢＳＳ２、ＢＳＳ３、ＢＳＳ４、で表される。接続８００３を通じて通信されるビーコン比報告に関しては、ＢＳＳ８０２６が交信ＢＳＳであって、時々ＢＳＳ０で表され、ＢＳＳ８０１２、８０１６、８０３６、８００８は、干渉基地局セクターを表し、時々ＢＳＳｉ、例えば、ＢＳＳ１、ＢＳＳ２、ＢＳＳ３、ＢＳＳ４、で表される。
【０１３３】
ＢＳＳ８０１６から、無線端末は、トーンブロック１及びトーンブロック２の両方において通信されたビーコン信号８０１１及びトーンブロック１において通信されたパイロットトーン信号８００９を受信及び処理する。ＷＴ１  ８０１２は、ＢＳＳ８０１６トーンブロック１アタッチメントポイントに関してタイミング同期化され従ってパイロットチャネルを正確に測定可能であることに注目すること。ＢＳＳ８０２６から、無線端末は、トーンブロック１及びトーンブロック２において通信されたビーコン信号８０１７及びトーンブロック２において通信されたパイロット信号８０１５を受信及び処理する。ＷＴ１  ８０１０は、ＢＳＳ８０２６トーンブロック２アタッチメントポイントに関してタイミング同期化され従ってパイロットチャネルを正確に測定可能であることに注目すること。各干渉ＢＳＳ（８０１２、８０３６、８００８）から、無線端末８０１０は、トーンブロック１及びトーンブロック２において通信されたビーコン信号（８００５、８０２１、８０２５）をそれぞれ受信及び処理する。さらに、アップリンク負荷率情報信号（８０１３、８００７、８０１９、８０２３、８０２７）は、ＢＳＳ（８０１６、８０１２、８０２６、８０３６、８００８）の各々からそれぞれ通信される。これらのアップリンク負荷率情報信号（８０１３、８００７、８０１９、８０２３、８０２７）は、ブロードキャスト信号として通信されるが、例えばそのトーン当たりの送信電力レベルはビーコンのトーン当たりの送信電力レベルよりも低いため、成功裏に復元できる場合とできない場合がある。アップリンク負荷率を成功裏に復元できない場合は、デフォルト値、例えば１の値、がビーコン比報告計算において用いられる。
【０１３４】
図１６の例において、２つの接続は、異なるトーンブロックを用いる。接続１  ８００１を通じて通信されるビーコン比報告に関して計算される利得比は、基地局セクター８０１６からのトーンブロック１の受信されたパイロットトーン信号８００９及びその他の基地局セクターからの受信されたビーコン信号を用いることができる。接続２  ８００３を通じて通信されるビーコン比報告に関して計算される利得比は、基地局セクター８０２６からのトーンブロック２の受信されたパイロットトーン信号８０１５及びその他の基地局セクターからの受信されたビーコン信号を用いることができる。
【０１３５】
幾つかの典型的実施形態において、基地局セクターに関して、１つのトーンブロックからのＯＦＤＭ信号は、他のトーンブロックからのＯＦＤＭシンボルに関して正確に同期化される。ＢＳＳは、共通の送信機を使用し、３つのトーンブロックに対応する単一のＯＦＤＭシンボル、例えば、各々が１１３のトーンから成る３つのトーンブロックを具備する３３９のトーンを含む単一のＯＦＤＭシンボル、を生成することについて検討する。幾つかの該実施形態においては、接続１  ８００１を通じて通信されるビーコン比報告に関して計算された利得比は、基地局セクター８０１６からのトーンブロック１の受信されたパイロットトーン信号、ＢＳＳ８０２６からのトーンブロック１の受信されたパイロットトーン信号及びその他の基地局セクターからの受信されたビーコン信号を用いることができ、接続２  ８００３を通じて通信されるビーコン比報告に関して計算された利得比は、基地局セクター８０２６からのトーンブロック２の受信されたパイロットトーン信号、ＢＳＳ８０１６からのトーンブロック２の受信されたパイロットトーン信号及びその他の基地局セクターからの受信されたビーコン信号を用いることができる。
【０１３６】
図１７Ａ、図１７Ｂ、図１７Ｃ、及び図１７Ｄの組合せを具備する図１７は、様々な実施形態による、無線端末、例えばモバイルノード、の典型的動作方法の流れ図５５００である。動作は、ステップ５５０２において開始し、無線端末に電源が投入されて初期設定される。動作は、ステップ５５０２からステップ５５０４、ステップ５５０６、及び接続ノードＡ  ５５０５を介してステップ５５０８に進む。
【０１３７】
ステップ５５０４において、無線端末が動作されて第１の現基地局接続に対応するビーコン及びパイロット信号が受信される。動作は、ステップ５５０４から５５１０に進む。ステップ５５１０において、無線端末は、第１の現基地局セクター接続に関する受信されたビーコン信号の電力（ＰＢ０）及び受信されたパイロットチャネル信号の電力（ＰＰ０）を測定する。動作は、ステップ５５１０からステップ５５１２に進む。ステップ５５１２において、無線端末は、第１の現接続基地局セクターの送信機情報、例えばＢＳＳ＿ｓｌｏｐｅ及びＢＳＳ＿ｓｅｃｔｏｒ  ｔｙｐｅ、を受信されたビーコン信号から導き出す。ステップ５５１２は、サブステップ５５１３を含む。サブステップ５５１３において、無線端末は、第１の現接続基地局セクター及び使用中のトーンブロックと関連づけられた電力送信段レベルを決定する。
【０１３８】
ステップ５５０６において、無線端末は、無線端末が現在の接続を有していない１つ以上の干渉基地局セクターからビーコン信号を受信する及び／又は無線端末が現在の接続を有する１つ以上の干渉基地局セクターからビーコン及びパイロット信号を受信する。動作は、ステップ５５０６から無線端末が現在の接続を有する各々の干渉基地局セクター（ＢＳＳｉ）に関するステップ５５１４に進む。後続動作５５１４、５５１８、５５２０が各々の該干渉基地局セクター、例えば干渉基地局セクターｉ（ＢＳＳｉ）、に関して実行される。動作は、ステップ５５０６から無線端末が現在の接続を有さない各々の干渉基地局セクター（ＢＳＳｉ）に関するステップ５５１６に進む。後続動作５５１６、５５２２、５５２４が各々の該干渉基地局セクター、例えば干渉基地局セクターｉ（ＢＳＳｉ）、に関して実行される。
【０１３９】
ステップ５５１４において、無線端末は、干渉中の現基地局セクター接続に関する受信されたビーコン信号の電力（ＰＢｉ）及び受信されたパイロットチャネル信号の電力（ＰＰｉ）を測定する。動作は、ステップ５５１４からステップ５５１８に進む。ステップ５５１８において、無線端末は、干渉中の現接続基地局セクターの送信機情報、例えばＢＳＳ＿ｓｌｏｐｅ及びＢＳＳ＿ｓｅｃｔｏｒ  ｔｙｐｅ、を受信されたビーコン信号から導き出す。ステップ５５１８は、サブステップ５５１９を含む。サブステップ５５１９において、無線端末は、干渉中の現接続基地局セクター及び使用中のトーンブロックと関連づけられた電力送信段レベルを決定する。
【０１４０】
動作は、ステップ５５１２及びステップ５５１８から接続ノードＢ  ５５２１を介してステップ５５２０に進む。ステップ５５２０において、無線端末は、サブステップ５５３８の方法又はサブステップ５５４０の方法又はサブステップ５５４１の方法を用いてチャネル利得比を計算する。サブステップ５５３８において、無線端末は、ビーコン信号情報を用いてチャネル利得比Ｇｉを計算する。サブステップ５５３８は、サブステップ５５４２を含み、サブステップ５５４２において、無線端末は、Ｇｉ＝ＰＢｉ／ＰＢ０を計算する。
【０１４１】
サブステップ５５４０において、無線端末は、ビーコン信号情報及びパイロット信号情報を用いてチャネル利得比Ｇｉを計算する。サブステップ５５４０は、サブステップ５５４４を含む。サブステップ５５４４において、無線端末は、Ｇｉ＝ＰＢｉ／（ＰＰ０＊Ｋ＊Ｚ０）を計算し、ここで、Ｋ＝段０トーンブロックに関するトーン当たりの送信機電力ビーコン基準レベル／段０トーンブロックに関するトーン当たりの送信機パイロット信号基準レベル、Ｚ０＝第１の現基地局セクター接続送信機トーンブロックに関するトーンブロックの電力送信段レベルと関連づけられた電力スケールファクタである。
【０１４２】
サブステップ５５４１において、無線端末は、パイロット信号情報を用いてチャネル利得比Ｇｉを計算する。サブステップ５５４１は、サブステップ５５４６を含む。サブステップ５５４６において、無線端末は、Ｇｉ＝（ＰＰｉ＊Ｚｉ）／（ＰＰ０＊Ｚ０）を計算し、ここで、Ｚ０＝第１の現基地局セクター接続送信機トーンブロックに関するトーンブロックの電力送信段レベルと関連づけられた電力スケールファクタであり、Ｚ１＝ＢＳＳｉ接続送信機トーンブロックに関するトーンブロックの電力送信段レベルと関連づけられた電力スケールファクタである。動作は、ステップ５５２０から接続ノードＤ  ５５３４を介してステップ５５３６に進み、無線端末は、１つ以上の干渉報告を生成する。
【０１４３】
ステップ５５１６において、無線端末は、干渉基地局セクターに関する受信されたビーコン信号の電力（ＰＢｉ）を測定する。動作は、ステップ５５１６からステップ５５２２に進む。ステップ５５２２において、無線端末は、干渉基地局セクター送信機情報、例えばＢＳＳ＿ｓｌｏｐｅ及びＢＳＳ＿ｓｅｃｔｏｒ  ｔｙｐｅを受信されたビーコン信号から導き出す。ステップ５５２２は、サブステップ５５２３を含む。サブステップ５５２３において、無線端末は、干渉基地局セクター及び使用中のトーンブロックと関連づけられた電力送信段レベルを決定する。
【０１４４】
動作は、ステップ５５１２及びステップ５５２２から接続ノードＣ  ５５２５を介してステップ５５２４に進む。ステップ５５２４において、無線端末は、サブステップ５５２６の方法又はサブステップ５５２８の方法を用いてチャネル利得比を計算する。
【０１４５】
サブステップ５５２６において、無線端末は、ビーコン信号情報を用いてチャネル利得比Ｇｉを計算する。サブステップ５５２６は、サブステップ５５３０を含み、サブステップ５５３０において、無線端末は、Ｇｉ＝ＰＢｉ／ＰＢ０を計算する。
【０１４６】
サブステップ５５２８において、無線端末は、ビーコン信号情報及びパイロット信号情報を用いてチャネル利得比Ｇｉを計算する。サブステップ５５２８は、サブステップ５５３２を含み、サブステップ５５３２において、無線端末は、Ｇｉ＝ＰＢｉ／（ＰＰ０＊Ｋ＊Ｚ０）を計算し、ここで、Ｋ＝段０トーンブロックに関するトーン当たりの送信機電力ビーコン基準レベル／段０トーンブロックに関するトーン当たりの送信機パイロット信号基準レベル、Ｚ０＝現基地局セクター接続送信機トーンブロックに関するトーンブロックの電力送信段レベルと関連づけられた電力スケールファクタである。
【０１４７】
動作は、ステップ５５２４から接続ノードＤ５５３４を介してステップ５５３６に進み、ステップ５５３６において、無線端末は、１つ以上の干渉報告を生成する。
【０１４８】
ステップ５５０８に戻り、ステップ５５０８において、無線端末が動作され、第１の現交信基地局セクター送信機からの及び干渉基地局セクター送信機からのブロードキャスト負荷率情報信号を受信する。検討対象となる各基地局セクターに関して、動作は、ステップ５５４８に進む。ステップ５５４８において、無線端末は、負荷率が受信された信号から成功裏に復元されたかを決定する。負荷率が受信された信号から成功裏に復元された場合は、動作はステップ５５５０に進み、ステップ５５５０において、無線端末は、負荷率を格納する。例えば、負荷率ｂ０＝現在の第１の交信基地局セクターに関する負荷率、負荷率ｂｋ＝干渉基地局セクターｋに関する負荷率である。負荷率が受信された信号から成功裏に復元されなかった場合は、動作はステップ５５５２に進み、ステップ５５５２において、無線端末は、負荷率を１に設定する。負荷率（ｂ０  ５５５４、ｂ１  ５５５６、．．．、ｂｋ  ５５５８、．．ｂｎ５５６０）が入手され、各負荷率は、ステップ５５５０及びステップ５５５２のうちの１つから入手される。
【０１４９】
ステップ５５３６に戻り、ステップ５５３６において、無線端末は、１つ以上の干渉報告を生成する。ステップ５５３６は、サブステップ５５６２と、サブステップ５５６４と、を含む。サブステップ５５６２において、無線端末は、特定の干渉基地局セクターによる第１の交信基地局セクターへの干渉（ｉｎｔｅｒｆｅｒｅｎｃｅ）を搬送する特定型報告を生成する。ステップ５５６２は、サブステップ５５６６を含む。サブステップ５５６６において、無線端末は、報告値＝（ｂ０／Ｚ０）／（Ｇｋ＊ｂｋ＊Ｚｋ）を計算し、ここで、ｂ０は、現在の交信ＢＳＳの負荷率であり、ｂｋは、報告が対応する干渉ＢＳＳの負荷率であり、ｉ＝ｋに関してＧｋ＝Ｇｉであり、Ｚ０は、現在の第１のＢＳＳ接続送信機トーンブロックに関するトーンブロックの電力送信段レベルと関連づけられた電力スケールファクタであり、Ｚｋは、報告が対応する干渉基地局セクターに関するトーンブロックの電力送信段レベルと関連づけられた電力パワーファクタである。
【０１５０】
サブステップ５５６４において、無線端末は、例えば干渉基地局セクターの測定されたビーコン信号の各々からの情報を用いて、１つ以上の干渉ＢＳＳによる交信中の第１のＢＳＳへの干渉の情報を搬送する一般型報告を生成し、負荷率情報及び電力スケールファクタ情報を用いることを含む。一般型報告に関する４つの代替の典型的な計算は、サブステップ５５７０、５５７２、５５７４、５５７６として含められる。例えば典型的な単搬送波動作実施形態における一般型報告の典型的実施形態は、ｂ０／（ΣｋＧｋ＊ｂｋ）である。合計は、無線端末がビーコン又はパイロット信号に関して検出することができる干渉ＢＢＳｋの各々に関して行われる。例えば単搬送波動作実施形態における一般型報告の他の典型的実施形態は、ｂ０／（ｍａｘｋ（Ｇｋ＊ｂｋ））である。例えば典型的多搬送波、例えば３つの搬送波、の動作実施形態における一般型報告の他の典型的実施形態は、（ｂ０／Ｚ０）／（Σｋ（Ｉｋ＊Ｇｋ＊ｂｋ／Ｚｋ））であり、ここで、Ｉｋは、ＢＳＳｋのアップリンクが現在のトーンブロックにおいてアクティブであるかどうかのインジケータ関数である。すなわち、ＢＳＳｋのアップリンクがアクティブである場合はＩｋ＝１、ＢＳＳｋが現在のトーンブロックにおいて非アクティブである場合はＩｋ＝０である。合計は、無線端末がビーコン又はパイロット信号に関して検出することができる干渉ＢＳＳｋの各々に関して行われる。例えば多搬送波、例えば３つの搬送波、の動作実施形態における一般型報告の他の典型的実施形態は、（ｂ０／Ｚ０）／（ｍａｘｋ（Ｉｋ＊Ｇｋ＊ｂｋ／Ｚｋ））であり、ここで、Ｉｋは、ＢＳＳｋのアップリンクが現在のトーンブロックにおいてアクティブであるかどうかのインジケータ関数である。すなわち、ＢＳＳｋのアップリンクがアクティブである場合はＩｋ＝１、ＢＳＳｋが現在のトーンブロックにおいて非アクティブである場合はＩｋ＝０である。
【０１５１】
幾つかの実施形態においては、ステップ５５３６は、量子化を含む。例えば、典型的ビーコン比報告は、−４ｄＢ乃至２８ｄＢの範囲の１６レベルのうちの１つを表す４つの情報ビットを搬送する。典型的な４ビットダウンリンクビーコン比方法（ＤＬＢＮＲ４）に関する図１１のテーブル１１００は上記を表現したものである。
【０１５２】
動作は、ステップ５５３６からステップ５５６８に進み、無線端末が動作され、無線端末に関する現在のアタッチメントポイントとして交信する第１の現交信基地局セクターに報告が送信される。幾つかの実施形態においては、報告の送信は、交信基地局セクターからの要求に応じたものである。幾つかの実施形態においては、送信される報告の型、例えば特定又は一般、は、報告の型を識別する基地局セクターからの受信されたシグナリングに応じたものである。幾つかの実施形態においては、特定の基地局セクターと関連づけられた干渉に関して報告する特定の特定型報告の送信は、特定の基地局セクターを識別する受信された基地局信号に応じたものである。様々な実施形態においては、干渉報告は、例えば専用制御チャネル構造の一部として、無線端末が従っている報告スケジュールに従って定期的に送信される。幾つかの該実施形態においては、送信される干渉報告の少なくとも一部に関して、基地局は、報告を選択するための報告選択情報をシグナリングしない。幾つかの実施形態においては、基地局は、反復的タイミング構造における現在位置の関数として、２つの型の一般的ビーコン比報告、例えば、受信された干渉ＢＳＳの各々からの情報の合計を用いる第１の型、及び単一の最悪の干渉ＢＳＳからの情報に基づく第２の型、の間で計算することを交互させる。例えば、ビーコンスロットインデックスがウルトラスロット内において偶数であるときには第１の型の一般的ビーコン比報告が計算され、ビーコンスロットインデックスがウルトラスロット内において奇数であるときは第２の型の一般的ビーコン比報告が計算される。幾つかの実施形態においては、ＷＴは、デフォルトによって一般的ビーコン比報告を送信するだけであり、基地局によって要求されたときのみに特定のビーコン比報告を送信する。
【０１５３】
幾つかの実施形態においては、システムは、各段レベルと関連づけられた異なる電力スケールファクタを有する複数の電力送信段レベル、例えば３つ、を含む。例えば、１つの典型的実施形態においては、０ｄＢの電力スケールファクタが段レベル０トーンブロックと関連づけられ、６ｄＢの電力スケールファクタが段１レベルトーンブロックと関連づけられ、１２ｄＢの電力スケールファクタが段２トーンブロックと関連づけられる。幾つかの実施形態においては、各アタッチメントポイントは、基地局セクター送信機及びトーンブロックに対応し、各アタッチメントポイントＢＳＳ送信機トーンブロックは、電力送信段レベルと関連づけることができる。幾つかの実施形態においては、複数のダウンリンクトーンブロック、例えば、各々が１１３の均等な間隔で配置されたトーンを有する３つのトーンブロック（トーンブロック０、トーンブロック１、トーンブロック２）、が存在する。幾つかの実施形態においては、同じトーンブロック、例えばトーンブロック０、が異なる基地局セクター送信機を使用し、異なる基地局セクター送信機と関連づけられた異なる電力送信段レベルを有する。基地局セクター送信機及びトーンブロックに対応する特定のアタッチメントポイントを、例えば、反復する送信パターンを有するトーン位置及び／又は時間位置を用いてビーコン信号を介して搬送された情報から識別する無線端末は、格納された情報を用いて、識別されたアタッチメントポイントを特定のトーンブロックに関する特定の電力送信段レベル及び電力スケールファクタと関連づけることができる。
【０１５４】
幾つかの実施形態においては、負荷率、例えばｂｋ、は、０以上で１以下の値である。幾つかの実施形態においては、該値は、基地局セクターから無線端末に通信され、複数のレベル、例えば０ｄＢ、−１ｄＢ、−２ｄＢ、−３ｄＢ、−４ｄＢ、−６ｄＢ、−９ｄＢ、−無限大ｄＢのうちの１つを表す。図１０のテーブル９５０は、ダウンリンクブロードキャストチャネルを介して基地局セクターによって通信することができる典型的アップリンク負荷率情報を示す。
【０１５５】
幾つかの実施形態においては、ビーコン信号は、使用中のトーンブロックと関連づけられた電力送信段にかかわりなく基地局セクター送信機から同じ電力で送信される。しかしながら、その他のダウンリンク信号、例えばパイロット信号、は、基地局セクター送信機に関するトーンブロックと関連づけられた電力送信段によって影響を受ける。幾つかの実施形態においては、パラメータＫは、６ｄＢ以上の値である。例えば、１つの典型的実施形態においては、パラメータＫ＝２３．８ｄＢ−７．２ｄＢ＝１６．６ｄＢである。
【０１５６】
図１８は、典型的実施形態に関する、典型的タイミング構造情報及び対応する干渉報告情報、例えばビーコン比報告の報告情報、の図１８００である。典型的タイミング構造は、ロー１８０２によって示されるアップリンクウルトラスロットを含み、インデックス＝０のアップリンクウルトラスロット及び後続するインデックス＝１のアップリンクウルトラスロットを示す。典型的実施形態においては、各ウルトラスロットは、ロー１８０４によって示される１８のインデキシングされたビーコンスロットを含む。各ビーコンスロットは、例えば９１２の連続するＯＦＤＭシンボル送信期間を含む。この典型的実施形態においては、無線端末は、例えば専用制御チャネルセグメントを介して、２つの異なる型のビーコン比報告を交信基地局セクターに報告することができ、第１の型のビーコン比報告は、一般的ビーコン比報告であり、第２の型のビーコン比報告は、特別ビーコン比報告と時々呼ばれる特定のビーコン比報告である。第１の型のビーコン比報告は、一般的ビーコン比報告であり、２つの副型の一般的ビーコン比報告が用いられる。第１の副型の一般的ビーコン比報告は、１つ以上の干渉基地局セクターの合計の関数として報告値を決定する。第２の副型の一般的ビーコン比報告は、干渉値の点での最大値、例えば最悪時の個々の基地局セクター、の関数として報告値を決定する。ロー１８０６によって示されるように、用いられる副型の一般的ビーコン比報告は、ビーコンスロットインデックスの関数である。ビーコンスロットインデックスの偶数値（０、２、４、６、８、１０、１２、１４、１６）に関しては、無線端末は、一般的ビーコン比報告を送信時には、合計関数を用いて報告を決定する。ビーコンスロットインデックスの奇数値（１、３、５、７、９、１１、１３、１５、１７）に関しては、無線端末は、一般的ビーコン比報告を送信時には、最大関数を用いて報告を決定する。ロー１８０８は、無線端末が特定ビーコン比報告を送信時には、要求内において識別されておりさらにビーコンスロットインデックス値の関数であるセクター型を有する基地局セクターに対応する報告を通信する。例えば、３つの異なるセクター型（セクター型０、セクター型１、及びセクター型２）が用いられることについて検討する。特定の型のビーコン比報告を要求する交信基地局からの要求信号は、セル識別子値、例えばスロープ値、を含むことができ、報告が通信されるアップリンクタイミング構造は、セクター型を決定することができる。例えば、インデックス＝（０、３、６、９、１２、１５）を有するビットスロットに関しては、無線端末は、特定のビーコン比報告を報告時には、通信されたセル識別子値によって識別されさらにセクター型＝０を有する他の基地局セクターと交信基地局セクターを関連させる特定ビーコン比報告を報告する。インデックス＝（１、４、７、１０、１３、１６）を有するビットスロットに関しては、無線端末は、特定ビーコン比報告を報告時には、通信されたセル識別子値によって識別されさらにセクター型＝１を有する他の基地局セクターと交信基地局を関連させる特定ビーコン比報告を報告する。インデックス＝（２、５、８、１１、１４、１７）を有するビーコンスロットに関しては、無線端末は、特定ビーコン比報告を報告時には、通信されたセル識別子値によって識別されさらにセクター型＝２を有する他の基地局セクターと交信基地局を関連させる特定ビーコン比報告を報告する。
【０１５７】
基地局及び無線端末の両方によって理解されているこの予め決められたタイミング構造に基づく報告フォーマットを実装することによって、システムは、シグナリングオーバーヘッド量を制限する一方で様々な報告フォーマットをサポートすることが注目されるべきである。さらに、特定ビーコン比報告に関して、対象となる基地局セクターの識別は、部分的には要求信号に含まれている情報によって、部分的にはアップリンクタイミング構造内における位置によって入手され、従って、対象となる基地局セクターを識別するためにオーバーヘッドシグナリングに関してより少ないビットが必要であることが注目されるべきである。
【０１５８】
図１９は、典型的実施形態に関する、典型的ビーコン比報告要求ダウンリンクシグナリング及び典型的アップリンクビーコン比報告シグナリングを図１９００において示す。図１９００において、無線端末１９０４に関する現在のアタッチメントポイントである基地局セクター１９０２は、例えばダウンリンクトラフィック制御チャネルフラッシュ信号の一部として、ビーコン比報告要求フィールド１９０８内の情報を含むダウンリンクトラフィックチャネル制御信号１９０６を送信する。幾つかの実施形態においては、ビーコン比報告要求フィールドを含む信号は、例えば複数の無線端末によって用いることが意図されるブロードキャスト信号である。従って、使用する複数の接続された無線端末に関して個々の制御信号がブロードキャストされ、それによって、各無線端末が送信すべき干渉報告の型に関して個々に制御される場合に必要になるオーバーヘッド制御シグナリングのレベルを引き下げる。幾つかの実施形態においては、単一のビーコン比報告要求ダウンリンク信号は、無線端末によって通信される複数のアップリンク干渉報告に対応することができる。幾つかの実施形態においては、単一のビーコン比報告要求ダウンリンク信号は、個々の無線端末に関する単一のアップリンク干渉報告に対応する。幾つかの実施形態においては、単一のビーコン比報告要求ダウンリンク信号は、複数の異なる無線端末の各々に関する単一の干渉アップリンク報告に対応する。ビーコン比報告要求フィールドは、該要求を示す値を含む。テーブル１９０１は、ＢＳＳ１９０２及びＷＴ１９０４によって用いることができる典型的なビーコン比報告要求フィールド報告フォーマットである。テーブル１９０１の第１のカラム１９１８は、報告によって搬送される値を示し、第２のカラム１９２０は、対応する値によって搬送される情報を含む。値がゼロである場合は、無線端末は、一般的ビーコン比報告を報告する。値がゼロ以外の正の整数である場合は、無線端末は、特定のビーコン比報告を報告し、値は、対象となる基地局セクターによって用いられるセル識別子パラメータ、例えばスロープ値、に対応する。スロープ値は、幾つかの実施形態においては、パイロットトーン信号のスロープに対応する値である。しかしながら、幾つかの実施形態においては、同じセル内の複数の基地局セクターが、スロープに関して同じ値を使用し、従って、アップリンクタイミング情報は、特定の特定ビーコン比報告、例えばロー１８０８によって示されるタイミング情報、に関して用いられる対象となる特定の基地局セクターを決定するためにも用いられる。
【０１５９】
幾つかのその他の実施形態においては、無線端末は、デフォルト時には第１の型の報告を送信し、ビーコン比報告要求信号が通信される場合は第２の型の報告を送信する。例えば、デフォルト時には一般的ビーコン比報告を通信することができ、基地局が特定型ビーコン比報告が通信されることを希望する場合は、基地局は、セル識別子情報を含むビーコン比報告要求信号を通信する。
【０１６０】
専用制御チャネルセグメント信号１９１０は、要求情報及びアップリンクタイミング構造情報によるビーコン比報告１９１２を含む。専用制御チャネルセグメント信号１９１４は、要求情報及びアップリンクタイミング構造情報によるビーコン比報告１９１６を含む。例えば、要求フィールド１９０８が０の値を搬送し、報告１９１２がインデックス＝０のビーコンスロット中に通信されたビーコン比報告に対応し、報告１９１６がインデックス＝１のビーコンスロット中に通信されたビーコン比報告に対応することについて検討する。ビーコン比報告１９１２は、合計関数を用いて報告値を計算する一般的ビーコン比報告であり、該報告は、同じトーンブロックの検出された基地局セクターを交信基地局セクターに関連させる。ビーコン比報告１９１６は、最大関数を用いて報告値を計算する一般的ビーコン比報告であり、該報告は、同じトーンブロックの検出された基地局セクターを交信基地局セクターに関連させる。次に、要求フィールド１９０８が１の値を搬送し、報告１９１２がインデックス＝０のビーコンスロット中に通信されたビーコン比報告に対応し、報告１９１６がインデックス＝１のビーコンスロット中に通信されたビーコン比報告に対応することについて検討する。ビーコン比報告１９１２は、現在の交信基地局セクターアタッチメントポイントを、スロープ値＝１によって識別され、セクター型＝０を有し、交信基地局セクターと同じトーンブロックを用いるローカル基地局セクターに関連させる特定ビーコン比報告である。ビーコン比報告１９１６は、現在の交信基地局セクターアタッチメントポイントを、スロープ値＝１によって識別され、セクター型＝１を有し、交信基地局セクターと同じトーンブロックを用いるローカル基地局セクターに関連させる特定ビーコン比報告である。
【０１６１】
図２０は、様々な実施形態により実装される典型的通信システム２０００の図である。典型的通信システム２０００は、バックホールネットワークを介してまとめて結合された複数の基地局（ＢＳ１  ２００１、ＢＳ２  ２００２、ＢＳ３  ２００３、ＢＳ４  ２００４、ＢＳ５  ２００５、ＢＳ６  ２００６、ＢＳ７  ２００７、ＢＳ８  ２００８、ＢＳ９  ２００９、ＢＳ１０  ２０１０）を含む。ＢＳ（２００１、２００２、２００３、２００４、２００５、２００６、２００７、２００８、２００９、２０１０）は、３セクター基地局である。ＢＳ１  ２００１は、スロープ値＝２及びセクター型値＝０の第１のセクター２０１２と、スロープ値＝２及びセクター型値＝１の第２のセクター２０１４と、スロープ値＝２及びセクター型値＝２の第３のセクター２０１６と、を含む。ＢＳ２  ２００２は、スロープ値＝１及びセクター型値＝０の第１のセクター２０１８と、スロープ値＝１及びセクター型値＝１の第２のセクター２０２０と、スロープ値＝１及びセクター型値＝２の第３のセクター２０２２と、を含む。ＢＳ３  ２００３は、スロープ値＝１及びセクター型値＝０の第１のセクター２０２４と、スロープ値＝１及びセクター型値＝１の第２のセクター２０２６と、スロープ値＝１及びセクター型値＝２の第３のセクター２０２８と、を含む。ＢＳ４  ２００４は、スロープ値＝２及びセクター型値＝０の第１のセクター２０３０と、スロープ値＝２及びセクター型値＝１の第２のセクター２０３２と、スロープ値＝２及びセクター型値＝２の第３のセクター２０３４と、を含む。ＢＳ５  ２００５は、スロープ値＝３及びセクター型値＝０の第１のセクター２０３６と、スロープ値＝３及びセクター型値＝１の第２のセクター２０３８、スロープ値＝３及びセクター型値＝２の第３のセクター２０４０と、を含む。ＢＳ６  ２００６は、スロープ値＝４及びセクター型値＝０の第１のセクター２０４２と、スロープ値＝４及びセクター型値＝１の第２のセクター２０４４と、スロープ値＝４及びセクター型値＝２の第３のセクター２０４６と、を含む。ＢＳ７  ２００７は、スロープ値＝５及びセクター型値＝０の第１のセクター２０４８と、スロープ値＝５及びセクター型値＝１の第２のセクター２０５０と、スロープ値＝５及びセクター型値＝２の第３のセクター２０５２と、を含む。ＢＳ８  ２００８は、スロープ値＝６及びセクター型値＝０の第１のセクター２０５４と、スロープ値＝６及びセクター型値＝１の第２のセクター２０５６と、スロープ値＝６及びセクター型値＝２の第３のセクター２０５８と、を含む。ＢＳ９  ２００９は、スロープ値＝７及びセクター型値＝０の第１のセクター２０６０と、スロープ値＝７及びセクター型値＝１の第２のセクター２０６２と、スロープ値＝７及びセクター型値＝２の第３のセクター２０６４と、を含む。ＢＳ１０  ２０１０は、スロープ値＝８及びセクター型値＝０の第１のセクター２０６６と、スロープ値＝８及びセクター型値＝１の第２のセクター２０６８と、スロープ値＝８及びセクター型値＝２の第３のセクター２０７０と、を含む。
【０１６２】
典型的通信システム２０００は、複数の無線端末も含む。典型的ＷＴ  Ａ  ２０７２及び典型的ＷＴ  Ｂ  ２０７２は、無線リンク（２０７６、２０７８）を介して基地局５  ２００５第２セクター２０３８にそれぞれ接続された状態が示される。基地局セクター５  ２００５第２セクター２０３８アタッチメントポイントは、例えば図１９において示されるように、ビーコン比報告要求フィールド値を含むブロードキャストダウンリンクトラフィックチャネル制御信号を送信する。ＷＴ  Ａ  ２０７２は、オンの動作状態にあり、アップリンク制御報告を通信するためのアップリンク専用制御チャネルセグメントが割り当てられており、アップリンク報告の一部は、干渉報告、例えばビーコン比報告、になる。同様に、ＷＴ  Ｂ  ２０７４は、オンの動作状態にあり、アップリンク制御報告を通信するためのアップリンク専用制御チャネルセグメントが割り当てられており、アップリンク報告の一部は、干渉報告、例えばビーコン比報告、になる。ＷＴ（２０７２、２０７４）は、通信すべきビーコン比報告の型を決定する際にブロードキャストビーコン比報告要求情報を受信する。幾つかの実施形態においては、情報は、アップリンク干渉報告に含められる情報を決定する際にタイミング構造情報と関連して用いられる。
【０１６３】
基地局識別子として用いられるスロープ値は、ローカルで一意であるが、システム２０００内では一意でないことに注目すべきである。例えば、スロープ値＝１は、ＢＳ１  ２００１及びＢＳ３  ２００３の両方によってセル識別子として用いられる。しかしながら、ＷＴと基地局アタッチメントポイントとの間にはいずれの基地局が意図される目標であるかに関する不明瞭さは存在しない。制御シグナリングの際に、システムにとって一意の基地局識別子とは反対にローカルで一意の基地局識別子を用いることによって、基地局を表すために必要なビット数が減少されそれによって多数の基地局を利用するシステムにおいて制御シグナリングオーバーヘッドを低下させることを可能にする。多数のセクターを含む基地局に関しても同じ原理を用いることができ、様々な実施形態において用いられる。例えば、典型的な５セクター基地局は、２回用いられているセクター型値のうちの２つを有する３つの異なるセクター型を用いることができる。
【０１６４】
図２１は、図２０のシステム２０００に対応する、典型的ダウンリンク制御シグナリング及びアップリンク干渉報告、例えばビーコン比報告、を示す図２１００である。第１のロー２１０４は、異なる基地局セクター型に対応してビーコン比報告の特定の報告がいつ可能であるかを示すタイムラインを含む。この例においては、３つの異なるセクター型（セクター型０、セクター型１、及びセクター型２）が存在する。この実施形態により、報告構造は、３つの型の間で交互し、例えば、各ブロックは、ビーコンスロットの時間間隔を表す（図１８参照）。第２のロー２１０６は、ブロードキャストダウンリンクトラフィック制御チャネル信号に含まれるビーコン比報告要求値を示す（図１９参照）。第３のロー２１０８は、ＷＴ  Ａの通信された報告型を示し、Ｇ＝一般的報告及びＳ＝特定報告である。第４のロー２１１０は、ＷＴ  Ａ特定報告に関して、特定報告を計算する際に用いられる基地局及び基地局セクター型を示す。第５のロー２１１２は、ＷＴ  Ｂの通信された報告型を示し、Ｇ＝一般的報告及びＳ＝特定報告である。第６のロー２１１４は、ＷＴ  Ｂ特定報告に関して、特定報告を計算する際に用いられる基地局及び基地局セクター型を示す。
【０１６５】
ロー２１０６の第１の値は、対応する干渉報告が一般型報告であるべきことを示す０である。従って、ＷＴ  Ａ及びＷＴ  Ｂの両方とも、一般的アップリンクビーコン比報告を送信する。ロー２０９６の第２の値は、対応する報告がスロープ値＝４を用いるローカル基地局セクターに対応する特定型報告であるべきことを示す４である。対応するアップリンクビーコン比報告に関する時間は、セクター型０に関して用いられるビーコンスロット内にある。従って、ＷＴは、基地局６セクター型０セクター２０４２を基地局５セクター型１セクター２０３８に関連させる特定ビーコン比報告をＢＳ  ５セクター２０３８に送信する。ロー２１０６の第３及び第４の値は０であり、従って対応するビーコン比報告は、一般的ビーコン比報告である。ロー２１０６の第５の値は、対応する報告がスロープ値＝１を用いるローカル基地局セクターに対応する特定型報告であるべきことを示す１である。対応するアップリンクビーコン比報告に関する時間は、セクター型２に関して用いられるビーコンスロット内にある。従って、ＷＴは、基地局３セクター型２セクター２０２８を基地局５セクター型１セクター２０３８に関連させる特定ビーコン比報告をＢＳ  ５セクター２０３８に送信する。ロー２１０６の第６の値は、０であり、従って、対応するビーコン比報告は、一般的ビーコン比報告である。ロー２１０６の第７の値は、報告がスロープ値＝２を用いるローカル基地局セクターに対応する特定型報告であるべきことを示す２である。対応するアップリンクビーコン比報告に関する時間は、セクター型０に関して用いられるビーコンスロット内にある。従って、ＷＴは、基地局４セクター型０セクター２０３０を基地局５セクター型１セクター２０３８に関連させる特定ビーコン比報告をＢＳ  ５セクター２０３８に送信する。ロー２１０６の第８、第９及び第１０の値は０であり、従って対応するビーコン比報告は、一般的ビーコン比報告である。ロー２１０６の第１１の値は、報告がスロープ値＝２を用いるローカル基地局セクターに対応する特定型報告であるべきことを示す２である。対応するアップリンクビーコン比報告に関する時間は、セクター型２に関して用いられるビーコンスロット内にある。従って、ＷＴは、基地局４セクター型２セクター２０３４を基地局５セクター型１セクター２０３８に関連させる特定ビーコン比報告をＢＳ５セクター  ２０３８に送信する。ロー２０９６の第１２、第１３及び第１４の値は０であり、従って対応するビーコン比報告は、一般的ビーコン比報告である。
【０１６６】
この典型的実施形態においては、点線の矢印によって示されるように、タイミング構造内において、ＷＴに関するビーコン比報告要求を含むダウンリンク制御チャネル信号と対応するアップリンク干渉報告機会との間には一定の関係が存在する。タイミング構造におけるこの結びつきは、基地局及び無線端末の両方によって理解されており、オーバーヘッドシグナリングを減少させる。この典型的実施形態においては、ＷＴ  Ａ及びＷＴ  Ｂは、同じ要求に対応するする各自のアップリンクビーコン比報告を、アップリンクタイミング構造内の異なる時点において送信する。その他の実施形態及び／又はその他の無線端末に関しては、報告は、例えばトーンブロック内の異なるトーンを用いて同時並行して通信することができる。さらに、幾つかの実施形態においては、一方の無線端末は、他方の無線端末に関して異なる報告動作モードであることができるため、１つのＷＴによる報告頻度は、例えば所定の時間間隔において、異なる無線端末による報告頻度と異なることができる。
【０１６７】
２つの典型的無線端末に関して説明されているが、幾つかの実施形態においては、同じビーコン比報告要求ブロードキャスト制御信号を、基地局セクターアタッチメントポイントを用いる数多くの追加の無線端末によって利用することができ、時々利用されることが理解されるべきである。例えば、基地局セクターアタッチメントポイントが同時並行してオン状態のユーザーを最大で３１有することができ、これらのオン状態ユーザーの各々は、ビーコン比報告を含むアップリンク制御チャネル報告を送信するための専用制御チャネルを受信し、各オン状態ユーザーは、同じブロードキャストされたビーコン比報告要求ダウンリンク信号を受信及び利用できることについて検討する。
【０１６８】
図２２は、様々な実施形態による典型的な無線端末動作方法の流れ図２２００である。典型的方法は、ステップ２２０２において開始し、無線端末に電源が投入されて初期設定される。動作は、開始ステップ２２０２からステップ２２０４、２２０６、２２０８、及び幾つかの実施形態においてはステップ２２１０に進む。ステップ２２０４において、無線端末は、アップリンク負荷率を通信する受信されたブロードキャスト信号を検出するためにモニタリングし、各ブロードキャストアップリンク負荷率は、アタッチメントポイントに対応する。ステップ２２０６において、無線端末が動作されて第１の信号、例えばビーコン又はパイロット信号、が第１のアタッチメントポイントから受信される。ステップ２２０８において、無線端末が動作されて第２の信号、例えばビーコン又はパイロット信号、が第２のアタッチメントポイントから受信される。ステップ２２１０において、実行されたときに、無線端末が動作されて第３の信号、例えばビーコン又はパイロット信号、が第３のアタッチメントポイントから受信される。
【０１６９】
動作は、ステップ２２０６からステップ２２２６に進み、無線端末は、受信された第１の信号に関する第１の測定、例えば信号電力測定、を行う。動作は、ステップ２２０８からステップ２２２８に進み、無線端末は、受信された第２の信号に関する第２の測定、例えば信号電力測定、を行う。動作は、ステップ２２１０からステップ２２３０に進み、無線端末は、受信された第３の信号に関する第３の測定、例えば信号電力測定、を行う。動作は、ステップ２２２６、２２２８及び２２３０からステップ２２３２に進む。
【０１７０】
ステップ２２０４に戻り、ステップ２２０４において、ワイヤレス（ｗｉｒｅｌｅｓｓ）は、ステップ２２３２において用いるために転送される受信されたアップリンク負荷率情報を出力する。無線端末が接続を有する第１のアタッチメントポイントに対応し、無線端末は、受信された第１のアップリンク負荷率情報２２１２を出力する。第２のアタッチメントポイントに対応し、無線端末は、アップリンク負荷率を検出及び復元することができている場合とできていない場合がある。ステップ２２１４において、無線端末が第２のアタッチメントポイントに対応するアップリンク負荷率を検出及び復元している場合は、無線端末は、ステップ２２３２において用いられる受信された第２のアップリンク負荷率情報２２１６を転送する。しかしながら、無線端末が第２のアタッチメントポイントに対応するアップリンク負荷率を検出及び復元していない場合は、無線端末は、ステップ２２１８において、第２のアップリンク負荷率をデフォルト値、例えば１の値、に設定し、該デフォルト値は、ステップ２２３２において用いられる。第３のアタッチメントポイントに対応し、無線端末は、アップリンク負荷率を検出及び復元することができている場合といない場合がある。ステップ２２２０において、無線端末が第３のアタッチメントポイントに対応するアップリンク負荷率を検出及び復元している場合は、無線端末は、ステップ２２３２において用いられる受信された第３のアップリンク負荷率情報２２２２を転送する。しかしながら、無線端末が第３のアタッチメントポイントに対応するアップリンク負荷率を検出及び復元していない場合は、無線端末は、ステップ２２２４において、第３のアップリンク負荷率をデフォルト値、例えば１の値、に設定し、該デフォルト値は、ステップ２２３２において用いられる。
【０１７１】
ステップ２２３２において、無線端末は、第１のアタッチメントポイントに対応する第１の受信されたアップリンク負荷率である第１の信号の測定に基づき、第２の測定の結果を用いてアップリンク干渉報告を生成する。ステップ２２３２は、ステップ２２３４を含み、ステップ２２３４において、無線端末は、第１及び第２の値の比を決定し、該第１の値は、第１の負荷率と第１の信号測定の結果の積の関数であり、第２の値は、第２の測定の第２の結果の関数である。幾つかの実施形態においては、第２の値は、第２のアタッチメントポイントに対応する第２の負荷率と第２の信号測定の結果の積の関数でもある。
【０１７２】
幾つかの実施形態、例えば、干渉報告を生成する際には３つの異なるアタッチメントポイントからの３つ以上の受信された信号が用いられる幾つかの実施形態においては、ステップ２２３４は、ステップ２２３６を含む。ステップ２２３６において、無線端末は、第３の測定の結果を用いて第２の値を生成する。ステップ２２３６は、サブステップ２２３８と、サブステップ２２４０と、を含み、これらのサブステップのうちの１つは、干渉報告を生成するために実行される。幾つかの実施形態においては、異なる時点において、サブステップ２２３８及び２２４０のうちの異なる１つを用いて干渉報告を生成する。サブステップ２２３８において、無線端末は、第３及び第４の値を合計し、前記第３の値は第２の信号測定の結果の関数であり、前記第４の値は、第３の信号測定の結果の関数である。サブステップ２２４０において、無線端末は、第２の値を第３及び第４の値のうちの最大値に設定し、前記第３の値は、第２の信号測定の結果の関数であり、前記第４の値は、第３の信号測定の結果の関数である。
【０１７３】
動作は、ステップ２２３２から２２４２に進む。ステップ２２４２において、無線端末は、ステップ２２３２からの生成されたアップリンク干渉報告を送信する。
【０１７４】
幾つかの実施形態においては、第１及び第２の信号は、ＯＦＤＭ信号である。幾つかのその他の実施形態においては、第１及び第２の信号は、ＣＤＭＳ信号である。
【０１７５】
幾つかの実施形態においては、少なくとも幾つかの干渉報告に関して、第１の値は、次の方程式、すなわち、ｂ０ＰＢ０に従って生成され、第２の値は、次の方程式、すなわち、ｂ１ＰＢ１＋ｂ２ＰＢ２に従って生成され、ここで、ｂ０は、第１のアタッチメントポイントに対応する負荷率であり、ＰＢ０は、第１のアタッチメントポイントからの受信されたビーコン信号の測定された電力であり、ｂ１は、第２のアタッチメントポイントに対応する負荷率であり、ＰＢ１は、第２のアタッチメントポイントからの受信されたビーコン信号の測定された電力であり、ｂ２は、第３のアタッチメントポイントに対応する負荷率であり、ＰＢ２は、第３のアタッチメントポイントからの受信されたビーコン信号の測定された電力である。
【０１７６】
幾つかの実施形態においては、少なくとも幾つかの干渉報告に関して、第１の値は、次の方程式、すなわち、ｂ０ＰＢ０に従って生成され、第２の値は、次の方程式、すなわち、ＭＡＸ（ｂ１ＰＢ１，ｂ２ＰＢ２）に従って生成され、ここで、ｂ０は、第１のアタッチメントポイントに対応する負荷率であり、ＰＢ０は、第１のアタッチメントポイントからの受信されたビーコン信号の測定された電力であり、ｂ１は、第２のアタッチメントポイントに対応する負荷率であり、ＰＢ１は、第２のアタッチメントポイントからの受信されたビーコン信号の測定された電力であり、ｂ２は、第３のアタッチメントポイントに対応する負荷率であり、ＰＢ２は、第３のアタッチメントポイントからの受信されたビーコン信号の測定された電力である。
【０１７７】
図２３は、様々な実施形態により実装される典型的無線端末２３００の図である。典型的無線端末２３００は、様々な要素がデータ及び情報を交換することができるバス２３１２を介してまとめて結合された受信機モジュール２３０２と、送信機モジュール２３１０と、プロセッサ２３０６と、ユーザーＩ／Ｏデバイス２３０８と、メモリ２３０２と、を含む。メモリ２３１０は、ルーチン２３１８と、データ／情報２３２０と、を含む。プロセッサ２３０６、例えばＣＰＵ、は、無線端末２３００の動作を制御し、方法を実装するためにメモリ２３１０内のルーチン２３１８を実行し、データ／情報２３２０を用いる。
【０１７８】
受信機モジュール２３０２、例えばＯＦＤＭ受信機、は、無線端末２３００がダウンリンク信号を基地局アタッチメントポイントから受信するときに介する受信アンテナ２３１４に結合され、該ダウンリンク信号は、アップリンクアタッチメントポイント負荷率、ビーコン信号、及びパイロット信号を搬送するブロードキャスト信号を含む。送信機モジュール２３０４、例えばＯＦＤＭ送信機、は、無線端末２３００がアップリンク信号を基地局アタッチメントポイントに送信するときに介する送信アンテナ２３１６に結合され、該アップリンク信号は、生成された干渉報告、例えば専用制御チャネルセグメントを介して通信されるビーコン比報告、を含む。幾つかの実施形態においては、例えばデュプレックスモジュールと関連して受信機及び送信機に関して同じアンテナが用いられる。幾つかのその他の実施形態においては、送信機モジュール２３０４は、ＣＤＭＡ送信機であり、受信機モジュール２３０２は、ＣＤＭＡ受信機である。幾つかの実施形態においては、送信機モジュール２３０４及び／又は受信機モジュール２３０２は、ＯＦＤＭ及びＣＤＭＡの両方のシグナリングをサポートする。
【０１７９】
Ｉ／Ｏデバイス２３０８は、例えばマイク、キーボード、キーパッド、スイッチ、カメラ、スピーカー、ディスプレイ等を含む。Ｉ／Ｏデバイス２３０８は、ＷＴ２３００のユーザーがデータ／情報を入力し、出力データ／情報にアクセスし、アプリケーションを制御し、ＷＴ２３００の少なくとも一部の機能を制御する、例えば通信セッションを開始する、ことを可能にする。
【０１８０】
ルーチン２３１８は、通信ルーチン２３２２２と、無線端末制御ルーチン２３２４と、を含む。通信ルーチン２３２２は、無線端末２３００によって用いられる様々な通信プロトコルを実装する。無線端末制御ルーチン２３２４は、アップリンク負荷率信号モニタリングモジュール２３２６と、負荷率決定モジュール２３２８と、第１の測定モジュール２３３０と、第２の測定モジュール２３３２と、干渉報告生成モジュール２３３４と、を含む。
【０１８１】
アップリンク負荷率信号モニタリングモジュール２３２６は、少なくとも１つのアップリンク負荷率を通信する受信されたブロードキャスト信号を検出し、各ブロードキャストアップリンク負荷率は、アタッチメントポイントに対応する。第１の測定モジュール２３３０は、第１の型の受信された信号を測定し、例えば、第１の測定モジュール２３３０は、受信されたビーコン信号を測定するビーコン信号測定モジュールである。第１の信号測定モジュール２３３０は、受信されたビーコン信号の電力を測定する信号電力測定モジュール２３３１を含む。第２の測定モジュール２３３２は、第２の型の受信された信号を測定し、例えば第２の測定モジュール２３３２は、受信されたパイロット信号を測定するパイロット信号測定モジュールである。第２の測定モジュール２３３２は、受信されたパイロット信号の電力を測定する信号電力測定モジュール２３３３を含む。
【０１８２】
干渉報告生成モジュール２３３４は、第１の受信された信号、例えば受信されたビーコン又はパイロット信号、の測定、及び第１のアタッチメントポイントに対応する第１の受信されたアップリンク負荷率に基づいてアップリンク干渉報告を生成する。様々な実施形態においては、干渉報告生成モジュールは、第２のアタッチメントポイントからの第２の信号、例えば受信されたビーコン又はパイロット信号、の測定を用いてアップリンク干渉報告を生成する。干渉報告生成モジュールは、第１の値生成モジュール２３３６と、第２の値生成モジュール２３３８と、合計モジュール２３４２と、最大値選択器モジュール２３４４と、を含む。第２の値生成モジュール２３３８は、乗算器モジュール２３４０を含む。
【０１８３】
第１の値生成モジュール２３３６は、第１の値２３８４を、第１の負荷率と第１の信号測定の結果の積の関数として生成する。例えば、第１の負荷率は、無線端末によってアタッチメントポイントとして使用中の現在の接続のアタッチメントポイントに対応することができ、第１の信号は、現在の接続のアタッチメントポイントからの受信されたビーコン又はパイロット信号であることができる。
【０１８４】
第２の値生成モジュール２３３８は、第２の値２３８６を、第２の測定の結果、例えば第１の値生成モジュールによって使用されるアタッチメントポイントと異なるアタッチメントポイントからの受信されたビーコン又はパイロット信号の測定結果、の関数として生成する。例えば、第２の信号は、現在の交信アタッチメントポイントに隣接するセクター及び／又は隣接セル内のアタッチメントポイントから受信することができる。
【０１８５】
乗算器モジュール２３４０は、第２のアタッチメントポイントに対応する第２の負荷率と第２の信号測定の結果の積を生成するために用いられる。
【０１８６】
幾つかの実施形態においては、干渉報告生成モジュール２３３４は、第３のアタッチメントポイントからの第３の信号の第３の測定の結果を用いて前記第２の値を生成することによって少なくとも１つのアップリンク干渉報告を生成する。
【０１８７】
合計モジュール２３４２は、第３及び第４の値（２３３８、２３９０）を合計し、前記第３の値は、第２の信号測定の結果の関数であり、前記第４の値は、第３の信号測定の結果の結果関数である。幾つかの実施形態においては、少なくとも幾つかの干渉報告に関して、第１の値は、次の方程式、すなわちｂ０ＰＢ０に従って生成され、第２の値は、次の方程式、すなわちｂ１ＰＢ１＋ｂ２ＰＢ２に従って生成され、ここで、ｂ０は、第１のアタッチメントポイントに対応する負荷率であり、ＰＢ０は、第１のアタッチメントポイントからの受信されたビーコン信号の測定された電力であり、ｂ１は、第２のアタッチメントポイントに対応するする負荷率であり、ＰＢ１は、第２のアタッチメントポイントからの受信されたビーコン信号の測定された電力であり、ｂ２は、第３のアタッチメントポイントに対応する負荷率であり、ＰＢ２は、第３のアタッチメントポイントからの受信されたビーコン信号の測定された電力である。
【０１８８】
最大値選択器モジュール２３４４は、利用されたときには、第２の値を第３及び第４の値（２３８８、２３９０）の最大値として設定し、前記第３値は、第２の信号測定の結果の関数であり、前記第４の値は、第３の信号測定の結果の関数である。幾つかの実施形態においては、少なくとも幾つかの干渉報告に関して、第１の値は、次の方程式、すなわちｂ０ＰＢ０に従って生成され、第２の値は、次の方程式、すなわちＭＡＸ（ｂ１ＰＢ１，ｂ２ＰＢ２）に従って生成され、ここで、ｂ０は、第１のアタッチメントポイントに対応する負荷率であり、ＰＢ０は、第１のアタッチメントポイントからの受信されたビーコン信号の測定された電力であり、ｂ１は、第２のアタッチメントポイントに対応するする負荷率であり、ＰＢ１は、第２のアタッチメントポイントからの受信されたビーコン信号の測定された電力であり、ｂ２は、第３のアタッチメントポイントに対応する負荷率であり、ＰＢ２は、第３のアタッチメントポイントからの受信されたビーコン信号の測定された電力であり、ｂ２は、第３アタッチメントポイントに対応するする負荷率であり、ＰＢ２は、第３のアタッチメントポイントからの受信されたビーコン信号の測定された電力である。
【０１８９】
幾つかの実施形態においては、生成された干渉報告の少なくとも一部に関して、前記第１、第２及び第３の信号測定の少なくとも一部は、パイロットチャネル信号の測定である。幾つかの実施形態においては、パイロット信号の送信電力をビーコン信号の送信電力に関連させ及び／又は１つのアタッチメントポイントからのパイロット信号の送信電力を異なるアタッチメントポイントからのパイロット信号の送信電力に関連させるためにスケーリングファクタが用いられる。
【０１９０】
幾つかの実施形態においては、干渉報告生成モジュール２３４４は、様々な異なる型の報告、例えば、現在の交信基地局アタッチメントポイントを単一の識別されたその他の基地局アタッチメントポイントに関連させる特定報告、現在の交信基地局を、信号、例えばビーコン及び／又はパイロット、が受信されるときの送信元である１つ以上の、例えば複数のその他の基地局セクターに関連させさらに報告を生成する際に合計型関数を用いる第１の副型の一般的報告、及び、現在の交信基地局アタッチメントポイントを、信号、例えばビーコン及び／又はパイロット、が受信されるときの送信元である１つ以上の、例えば複数のその他の基地局セクターに関連させさらに報告を生成する際に合計型関数を用いる第２の副型の一般的報告をサポートする。
【０１９１】
負荷率決定モジュール２３２８は、対象となるアタッチメントポイントに対応する成功裏に受信された負荷率が存在しないときに負荷率をデフォルト値に設定する。例えば、負荷率決定モジュール２３２８は、第２のアタッチメントポイントからの成功裏に受信された第２の負荷率が存在しないときに第２の負荷率をデフォルト値に設定する。
【０１９２】
データ／情報２３２０は、受信されたビーコン信号情報２３４６と、受信されたパイロット信号情報２３４８と、受信されたアップリンク負荷率情報２３５０と、測定されたビーコン情報２３５２と、測定されたパイロット情報２３５４と、デフォルトアップリンク負荷率情報２３５６と、干渉報告情報２３５８と、を含む。受信されたビーコン信号情報２３４６は、様々なアタッチメントポイント（アタッチメントポイント１情報２３６０、．．．、アタッチメントポイントＮ情報２３６２）に対応する受信されたビーコン信号情報を含むことができる。受信されたパイロット信号情報２３４８は、様々なアタッチメントポイント（アタッチメントポイント１情報２３６４、．．．、アタッチメントポイントＮ情報２３６６）に対応する受信されたパイロット信号情報を含むことができる。受信されたアップリンク負荷率情報２３５０は、様々なアタッチメントポイント（アタッチメントポイント１情報２３６８、．．．、アタッチメントポイントＮ情報２３７０）に対応する受信されたアップリンク負荷率情報を含むことができる。測定されたビーコン信号情報２３５２は、様々なアタッチメントポイント（アタッチメントポイント１情報２３７２、．．．、アタッチメントポイントＮ情報２３７４）に対応する測定されたビーコン信号情報を含むことができる。測定されたパイロット信号情報２３５４は、様々なアタッチメントポイント（アタッチメントポイント１情報２３７６、．．．、アタッチメントポイントＮ情報２３７８）に対応する測定されたパイロット信号情報を含むことができる。デフォルトアップリンク負荷率情報２３５６は、様々なアタッチメントポイント（アタッチメントポイント１情報２３８０、．．．、アタッチメントポイントＮ情報２３８２）に対応するデフォルトアップリンク負荷率情報を含むことができる。
【０１９３】
１つの所定の時点において、格納されていてアップリンク干渉報告を生成する際に用いられる情報の組合せは、他の時点において格納される情報の組合せと異なることがある。例えば、１つの所定の時点において、無線端末は、アタッチメントポイント１に対応する受信されたパイロット信号及びビーコン信号の情報と、アタッチメントポイント２に対応する受信されたビーコン信号情報と、アタッチメントポイント３に対応する受信されたビーコン信号情報と、アタッチメントポイント１に対応する受信されたアップリンク負荷率情報と、アタッチメントポイント２に対応する受信されたアップリンク負荷率情報と、アタッチメントポイント１に対応する測定されたパイロット信号情報と、アタッチメントポイント１に対応する測定されたビーコン信号情報と、アタッチメントポイント２に対応する測定されたビーコン信号情報と、アタッチメントポイント３に対応する測定されたビーコン信号情報と、アタッチメントポイント３に対応するデフォルトアップリンク負荷率情報と、を含むことができる。例を継続し、他の所定の時点において、無線端末は、アタッチメントポイント１に対応する受信されたパイロット信号及びビーコン信号情報と、アタッチメントポイント２に対応する受信されたビーコン信号情報と、アタッチメントポイント３に対応する受信されたパイロット信号情報及び受信されたビーコン信号と、アタッチメントポイント１に対応する受信されたアップリンク負荷率情報と、アタッチメントポイント３に対応する受信されたアップリンク負荷率情報と、アタッチメントポイント１に対応する測定されたパイロット信号情報と、アタッチメントポイント１に対応する測定されたビーコン信号情報と、アタッチメントポイント２に対応する測定されたビーコン信号情報と、アタッチメントポイント３に対応する測定されたパイロット信号情報と、アタッチメントポイント３に対応する測定されたビーコン信号情報と、アタッチメントポイント２に対応するデフォルトアップリンク負荷率情報と、を含むことができる。
【０１９４】
干渉報告情報２３５８は、第１の値２３８４と、第２の値２３８６と、第３の値２３８８と、第４の値２３９０と、合計値２３９２と、最大値２３９４と、決定された比２３９６と、量子化された報告値２３９８と、を含む。第１の値２３８４は、第１の値生成モジュール２３６６の動作の結果であり、第２の値２３８６は、第２の値生成モジュール２３３８の動作の結果である。第３及び第４の値（２３８８、２３９０）は、少なくとも幾つかの干渉報告、例えば３つ以上の異なるアタッチメントポイントからの情報を考慮した干渉報告、を生成する際に用いられる中間処理値である。合計値２３９２は、合計モジュール２３４２による動作の結果である。最大値２３９４は、最大値セクターモジュール２３４４の動作の結果である。決定された比は、干渉報告生成モジュールによって決定された第１及び第２の値の決定された比である。量子化された報告値２３９８は、決定された比２３９６を通信するために干渉報告において通信される複数の量子化されたレベルのうちの１つである値である。
【０１９５】
図２４Ａ及び図２４Ｂの組合せを具備する図２４は、典型的な無線端末動作方法の流れ図２４００である。典型的方法は、ステップ２４０２において開始し、無線端末に電源が投入されて初期設定される。動作は、開始ステップ２４０２からステップ２４０４、２４０６及び２４０８に進む。
【０１９６】
ステップ２４０４において、無線端末は、第２のアタッチメントポイントが所在するローカルで一意の基地局識別子を通信する制御信号を含む基地局識別情報を受信する。ステップ２４０６において、無線端末は、前記無線端末が接続を有する第１のアタッチメントポイントから第１の信号、例えばビーコン信号又はパイロット信号、を受信する。ステップ２４０８において、無線端末は、前記第１のアタッチメントポイントに加えて、１つ以上のアタッチメントポイントから信号、例えばビーコン及び／又はパイロット信号、を受信する。ステップ２４０６は、サブステップ２４１２を含み、サブステップ２４１２において、無線端末は、第２の信号、例えばビーコン又はパイロット信号、を第２のアタッチメントポイントから受信し、ステップ２４０４からの前記受信された基地局識別情報は、第２のアタッチメントポイントに対応する。ステップ２４０６は、様々な時点において、追加のアタッチメントポイントからの受信された信号、例えば受信されたビーコン及び／又はパイロット信号、に対応する１つ以上の追加のサブステップを含む。例えば、サブステップ２４１４において、無線端末は、Ｎ番目のアタッチメントポイントからＮ番目の信号、例えばビーコン又はパイロット信号、を受信する。
【０１９７】
動作は、ステップ２４０６からステップ２４１０に進む。ステップ２４１０において、無線端末は、受信された第１の信号に関する第１の測定、例えば受信された第１の信号の電力測定、を行う。動作は、サブステップ２４１２からステップ２４１６に進む。ステップ２４１６において、無線端末は、受信された第２の信号に関する第２の測定、例えば受信された第１の（ｆｉｒｓｔ）信号の電力測定、を行う。動作は、サブステップ２４１４からステップ２４１８に進む。ステップ２４１８において、無線端末は、受信されたＮ番目の信号に関するＮ番目の測定、例えば受信されたＮ番目の信号の電力測定、を行う。
【０１９８】
幾つかの実施形態、例えば多セクター基地局を用いる幾つかの実施形態においては、動作は、ステップ２４１６からステップ２４２０に進む。その他の実施形態、例えば１つのセル当たり単一セクター基地局を有する幾つかの実施形態においては、動作は、ステップ２４１６からステップ２４２２に進む。
【０１９９】
ステップ２４２０において、無線端末は、前記制御信号が受信された時点から受信された基地局識別子に対応するセクター識別子を決定し、前記セクター識別子は、第２のアタッチメントポイントとして交信するセクターを識別する。幾つかの実施形態においては、セクター識別子は、格納されているタイミング構造情報及び前記受信された信号時間が対応するする反復的構造内のタイムスロットの関数として決定される。
【０２００】
動作は、ステップ２４２０からステップ２４２２に進む。ステップ２４２２において、無線端末は、異なるアタッチメントポイントに対応するステップ２４０８の１つ以上の受信された信号のうちの第２の信号を、受信された基地局識別情報の関数として識別する。動作は、ステップ２４２２からステップ２４２４に進む。
【０２０１】
ステップ２４２４において、無線端末は、第１及び第２の信号の測定に基づいて、報告、例えば特定干渉報告等の干渉報告を生成する。幾つかの実施形態においては、報告は、第１の値と第２の値の比である干渉報告であり、第１の値は、第１の信号の測定された電力の関数であり、第２の値は、第２の信号の測定された電力の関数である。動作は、ステップ２４２４からステップ２４２６に進む。ステップ２４２６において、無線端末は、生成された報告を、制御信号が送信時間制御入力として受信される時間を用いる予め決められた関数に従って送信する送信時間を決定する。幾つかの実施形態においては、予め決められた関数は、送信時間を、制御信号が受信される時間からの一定の予め決められたオフセットに対応する時間にすることを決定する。
【０２０２】
動作は、ステップ２４２６からステップ２４２８に進み、生成された報告、例えば２つのアタッチメントポイントを関連させる生成された特定型干渉報告、が送信される。動作は、ステップ２４２８から接続ノードＡ  ２４３０を介してステップ２４３２に進む。ステップ２４３２において、無線端末は、干渉報告は前記第１のアタッチメントポイントに加えて複数の異なる送信機から受信された信号に基づくべきであることを示す制御信号を受信する。動作は、ステップ２４３２からステップ２４３４に進む。ステップ２４３４において、無線端末は、複数の異なる送信機から及び第１のアタッチメントポイントから受信された複数の信号に関する測定を行う。動作は、ステップ２４３４からステップ２４３６に進む。
【０２０３】
ステップ２４３６において、無線端末は、報告、例えば、異なる送信機からの前記信号の結果から導き出された値の合計及び最大値のうちの１つに基づく干渉報告、を生成する。例えば、生成された干渉報告は、報告を生成する際に合計関数を用いる第１の副型の一般型干渉報告であることができる。代替として、生成された干渉報告は、報告を生成する際に最大関数を用いる第２の副型の一般型干渉報告であることができる。幾つかの実施形態においては、ステップ２４３６は、サブステップ２４３８を含む。サブステップ２４３８において、無線端末は、干渉報告はタイミング構造情報の関数としての合計又は最大値に基づくべきであるかどうかを決定する。動作は、ステップ２４３６からステップ２４４０に進み、無線端末は、ステップ２４３６からの生成された報告を送信する。
【０２０４】
幾つかの実施形態においては、基地局識別情報を受信するステップ、ステップ２４０４は、ブロードキャスト信号を第１のアタッチメントポイントから受信することを含み、前記ブロードキャスト信号は、複数の無線端末を制御するために用いられる。この方法により、本来であれば前記基地局識別情報を第１のアタッチメントポイントと交信中の無線端末の各々に個々にシグナリングするために必要になるオーバーヘッド量からシグナリングオーバーヘッドが低減される。
【０２０５】
図２５Ａ及び図２５Ｂの組合せを具備する図２５は、様々な実施形態による典型的な無線端末動作方法の流れ図２５００である。動作は、ステップ２５０２において開始し、無線端末に電源が投入されて初期設定される。動作は、開始ステップ２５０２から、ステップ２５０４、ステップ２５０６、ステップ２５０８、接続ノードＡ  ２５３２を介するステップ２５３３、接続ノードＢ  ２５３４を介するステップ２５３５、接続ノードＣ  ２５３６を介するステップ２５４４、及び、幾つかの実施形態においては、接続ノードＤ  ２５３８を介するステップ２５４６に進む。
【０２０６】
ステップ２５０４において、無線端末は、継続的に、現在の接続のアタッチメントポイントからのインタフェース報告情報の要求を含むブロードキャスト制御信号を受信する。受信された要求に関して、動作は、ステップ２５０４からステップ２５１０に進む。ステップ２５１０において、無線端末は、受信された干渉報告情報要求から、要求された干渉報告の型、特定又は一般的、を決定し、さらに、特定の型の報告に関しては、アタッチメントポイントに対応するローカルで一意のセル識別子を決定する。ステップ２５１０は、サブステップ２５１２を含む。サブステップ２５１２において、受信された要求値がゼロである場合は、無線端末は、要求された報告型が報告型＝一般的出力２５１４によって示されるように一般的報告であると決定する。サブステップ２５１２において、受信された値がゼロでない場合は、無線端末は、要求された報告型が報告型＝特定出力２５１６によって示されるように特定報告であると決定する。さらに、受信された値がゼロでない場合は、無線端末は、セル識別子を受信された要求値と同じに設定し、例えば、正の要求値は、可能性のある一組の正の整数のうちの１つであり、各異なる可能性のある正の整数は、異なるパイロットチャネルスロープ値に対応する。出力セル識別子値は、出力２５１８によって表される。
【０２０７】
ステップ２５０６において、無線端末は、継続的に、ビーコン及び／又はパイロット信号を現在のアタッチメントポイントから受信する。動作は、ステップ２５０６からステップ２５２０に進む。ステップ２５２０において、無線端末は、現在のアタッチメントポイントの受信信号強度情報２５２６を出力する現在のアタッチメントポイントからの受信されたビーコン及び／又はパイロット信号の強度を測定する。
【０２０８】
ステップ２５０８において、無線端末は、継続的に、ビーコン及び／又はパイロット信号を追加のアタッチメントポイントから受信する。動作は、ステップ２５０８からステップ２５２２に、及び幾つかの時点においてステップ２５２４に進む、ステップ２５２２において、無線端末は、第１の追加のアタッチメントポイントの受信信号強度情報２５２８を出力する追加のアタッチメントポイントからの受信されたビーコン及び／又はパイロット信号の強度を測定する。ステップ２５２４において、無線端末は、Ｎ番目の追加のアタッチメントポイントの受信信号強度情報２５３０を出力する異なる追加のアタッチメントポイントからの受信されたビーコン及び／又はパイロット信号の強度を測定する。
【０２０９】
ステップ２５３３に戻り、ステップ２５３３において、無線端末は、専用制御チャネル構造と関連づけられた無線端末オン状態識別情報を受信し、前記専用制御チャネル構造は、無線端末によって現在のアタッチメントポイントに送信される干渉報告に関する反復的構造内における報告時間を含む。ステップ２５３３は、干渉報告２５４０に関して用いられるセグメントを識別する情報を出力する。
【０２１０】
ステップ２５３５に戻り、ステップ２５３５において、無線端末は、継続的に、現在の接続によって用いられている反復的タイミング構造内におけるタイミング及び出力された現在の時間情報２５４２、例えば反復的ＯＦＤＭタイミング構造内のインデックス情報、を追跡する。
【０２１１】
ステップ２５４４に戻り、ステップ２５４４において、無線端末は、継続的に、通信されるべき干渉報告を決定する。ステップ２５４４は、現在の時間情報２５４２及び干渉報告２５４０に関するセグメントを識別する情報及び現在の接続に関係するタイミング構造情報を入力として用いる。ステップ２５４４において、干渉報告を通信すべきであることが決定された場合は、動作は、ステップ２５４４からステップ２５５２、ステップ２５５８及びステップ２５６６に進む。
【０２１２】
ステップ２５５２において、無線端末は、時間が第１又は第２の型のいずれの一般的報告に対応するかを決定する。時間が第１の型の一般的報告に対応する場合は、出力２５５４によって示されるように一般的報告副型＝合計関数型である。しかしながら、時間が第２の型の一般的報告に対応する場合は、出力２５５６によって示されるように一般的報告副型＝最大関数型である。
【０２１３】
ステップ２５５８において、無線端末は、時間が特定型報告に関するアタッチメントポイントに関していずれのセクター型に対応するかを決定する。例えば、１つの典型的実施形態においては、反復的タイミング構造は、ビーコンスロットに分割され、３つの異なるセクター型が存在し、インデキシングされたビーコンスロットと関連づけられたセクター型は、３つの異なるセクター型の間で交互する。（図１８参照。）ステップ２５５８の出力は、セクター型＝セクター型０  ２５６０、セクター型＝セクター１  ２５６２、及びセクター型＝セクター型２  ２５６４のうちの１つである。
【０２１４】
幾つかの実施形態においては、無線端末は、干渉報告を計算する際にアップリンク負荷率情報を使用し、ステップ２５４６と、２５４８と、を含む。ステップ２５４６において、無線端末は、継続的に、アタッチメントポイントに対応するアップリンク負荷率情報をモニタリング及び受信する。動作は、ステップ２５４６からステップ２５４８に進み、ステップ２５４８において、無線端末は、アップリンク負荷率情報が受信されていない対象アタッチメントポイントに関するデフォルトアップリンク負荷率値を適用する。受信された及び／又はデフォルト情報であるアップリンク負荷率情報２５５０は、ステップ２５４６及び／又は２５４８から出力される。
【０２１５】
ステップ２５５６に戻り、ステップ２５５６において、無線端末は、要求された報告型（特定又は一般）に従って干渉報告を生成する。一般的報告の場合は、報告は、報告の副型（合計関数型又は最大関数型）にも従い、特定報告の場合は、報告は、例えばセル識別子／セクター型識別子の組合せによって識別された特定の識別されたアタッチメントポイント、及び現在のアタッチメントポイントに関連する。ステップ２５６６が利用可能な入力は、
報告型情報２５６８、一般的報告副型情報２５７０、セル識別情報２５１８、セクター型情報２５７４、ビーコンをパイロット送信電力レベルに関連させる情報、現在のアタッチメントポイントの受信された強度情報２５２６、第１の追加アタッチメントポイントの受信された強度情報２５２８、Ｎ番目の追加のアタッチメントポイントの受信された強度情報２５３０及びアップリンク負荷率情報２５５０のうちの少なくとも一部を含む。報告型情報２５６８は、報告が一般的報告又は特定報告であるかどうか及び出力２５１４及び２５１６のうちの１つであるかを識別する。一般的報告副型情報２５７０は、報告が一般的報告である場合は、報告を生成する際に合計関数を用いるか又は報告を生成する際に最大関数を用いるかを識別する。一般的報告副型情報２５７０は、出力２５５４及び２５５６のうちの１つである。セルＩＤ情報２５１８は、受信された報告要求制御信号からの受信された値である。セクター型情報２５７４は、出力２５６０、２５６２及び２５６４のうちの１つである。ビーコン／パイロット送信電力レベルを関連させる情報は、電力段レベル情報と、検討中のアタッチメントポイントに関するビーコン信号の送信電力をパイロット信号の送信電力に関連させるその他の利得情報と、異なるアタッチメントポイント間の送信電力レベルを関連させる情報と、を含む。
【０２１６】
一般的報告に関して、無線端末は、受信された強度情報２５２６、２５２８、．．．、２５３０を用いて干渉報告を生成し、報告の副型である合計関数型又は最大関数型は、情報２５７０によって決定される。特定型報告に関して、無線端末は、現在のアタッチメントポイントの受信された強度情報２５２６を（第１の追加のアタッチメントポイントの受信された強度情報２５２８、．．．、Ｎ番目の追加のアタッチメントポイントの受信された強度情報２５３０のうちの）１つに関連させる報告を生成し、該１つは、セル識別子２５１８及びセクター型２５７４の組合せに対応する追加のアタッチメントポイントの識別（ｉｄｅｎｔｉｆｙ）によって決定される。
【０２１７】
動作は、ステップ２５６６からステップ２５８４に進み、無線端末は、生成された干渉報告を現在のアタッチメントポイントに送信する。
【０２１８】
図２６は、様々な実施形態による典型的な干渉報告信号の使用及び報告計算を示すテーブル２６００の図である。第１のカラム２６０２は、第１の値と第２の値の比を通信する干渉報告に関係する記述情報を記載する。第２のカラム２５０４は、第１の値を記載し、第３のカラム２６０６は、第２の値を記載し、第４のカラム２６０８は、第３の値を記載し、第５のカラム２５１０は、第４の値を記載し、第６のカラム２６１２は、第１の信号型を記載し、第７のカラム２６１４は、第２の信号型を記載し、第８のカラム２６１６は、第３の信号型を記載する。
【０２１９】
各ロー（２６１８、２６２０、２６２２、２６２４、２６２６、２６２８、２６３０、２６３２、２６３２）は、異なる報告を記述する。ロー２６１８は、受信されたビーコン信号電力測定を用いる特定干渉報告に関係する。ロー２６２０は、受信されたパイロット信号電力測定を用いる特定干渉報告に関係する。ロー２６２２は、受信されたパイロット及びビーコン信号電力測定を用いる特定の干渉報告に関係する。ロー２６２４は、受信されたビーコン信号電力測定を用いる第１の副型の一般的干渉報告に関係する。ロー２６２６は、受信されたビーコン信号電力測定を用いる第２型の副型の干渉報告に関係する。ロー２６２８は、受信されたパイロット信号電力測定を用いる第１の副型の一般的干渉報告に関係する。ロー２６３０は、受信されたパイロット信号電力測定を用いる第２の副型の干渉報告に関係する。ロー２６３２は、受信されたパイロット及びビーコン信号電力測定を用いる第１の副型の一般的干渉報告に関係する。ロー２６３０は、受信されたパイロット及びビーコン信号電力測定を用いる第２の副型の干渉報告に関係する。
【０２２０】
テーブル２６００において、ｂ０は、第１のアタッチメントポイントに対応する負荷率であり、ＰＢ０は、第１のアタッチメントポイントからの受信されたパイロット信号の測定された電力であり、ＰＰ０は、第１のアタッチメントポイントからの受信されたパイロット信号の測定された電力であり、ｂ１は、第２のアタッチメントポイントに対応する負荷率であり、ＰＢ１は、第２のアタッチメントポイントからの受信されたビーコン信号の測定された電力であり、ＰＰ１は、第２のアタッチメントポイントからの受信されたパイロット信号の測定された電力であり、ｂ２は、第３のアタッチメントポイントに対応する負荷率であり、ＰＢ２は、第２のアタッチメントポイントからの受信されたパイロット信号の測定された電力である。ＰＰ２は、第２のアタッチメントポイントからの受信されたパイロット信号の測定された電力である。例えば、第１のアタッチメントポイントは、干渉報告が通信される相手である現在の交信アタッチメントポイントに対応することができ、第２及び第３のアタッチメントポイントは、システム内のその他のローカルアタッチメントポイントに対応することができる。Ｋは、ビーコン信号の送信電力強度をパイロット信号の送信電力強度に関連させるスケーリングファクタである。
【０２２１】
この例においては、ビーコン信号は、アタッチメントポイント１、２、及び３から同じ送信電力レベルで送信されると仮定することができ、さらに、パイロット信号は、アタッチメントポイント１、２、及び３から同じ送信電力レベルで送信されると仮定することができる。
【０２２２】
幾つかの実施形態においては、ビーコン信号は、アタッチメントポイントにかかわりなく同じ送信電力で送信され、パイロット信号の送信電力レベルは、アタッチメントポイントの関数として変化する。幾つかの該実施形態においては、異なるアタッチメントポイントに関して異なる電力段レベルが用いられ、異なるアタッチメントポイントの電力段レベルを関連させるスケーリングファクタを干渉報告計算の際に用いることができる。
【０２２３】
テーブル２６００は、３つの異なるアタッチメントポイントからの情報を用いる典型的な一般的報告を記述し、使用される公式は、追加のアタッチメントポイントからの受信電力の測定を用いることを含めるために拡大することができる。
【０２２４】
図２７は、様々な実施形態により実装される典型的無線端末２７００の図である。典型的無線端末２７００は、様々な要素がデータ及び情報を交換することができるバス２７１２を介してひとつに結合された受信機モジュール２７０２と、送信機モジュール２７０４と、プロセッサ２７０６と、Ｉ／Ｏデバイス２７０８と、メモリ２７１０と、を含む。メモリ２７１０は、ルーチン２７１８と、データ／情報２７２０と、を含む。プロセッサ２７０６、例えばＣＰＵ、は、無線端末２７００の動作を制御し及び本発明の方法を実装するためにメモリ２７１０内のルーチン２７１８を実行し、データ／情報２７２０を用いる。
【０２２５】
受信機モジュール２７０２、例えばＯＦＤＭ受信機は、無線端末が基地局アタッチメントポイントからダウンリンク信号を受信するときに介するアンテナ２７１４に結合される。ダウンリンク信号は、ビーコン信号、パイロット信号を含む様々なブロードキャスト信号と、基地局識別情報、例えば、特定型報告において用いられるアタッチメントポイントに対応するローカルで一意なセル識別子、と、要求干渉報告型情報、例えば特定型干渉報告及び一般型干渉報告を区別する情報と、を含む。幾つかの実施形態においては、ローカルで一意な基地局識別子は、第２のアタッチメントポイントが所在するセクター化された基地局の識別子である。受信機モジュール２７０２は、複数のアタッチメントポイントから複数の信号を受信し、前記複数の信号は、第２の信号を含み、例えば前記第２の信号は、第２のアタッチメントポイントからのビーコン又はパイロット信号であり、前記第２のアタッチメントポイントは、第１のアタッチメントポイント、例えば現在の接続のアタッチメントポイント、の追加である。
【０２２６】
送信機モジュール２７０４、例えばＯＦＤＭ送信機は、無線端末が生成された干渉報告、例えば専用制御チャネルで通信されたビーコン比報告、を含むアップリンク信号を送信するときに介する送信アンテナ２７１６に結合される。様々な実施形態においては、受信機モジュール２７０２及び送信機モジュール２７０４は、例えばデュプレックスモジュールと関連して同じアンテナを用いる。
【０２２７】
ルーチン２７１８は、通信ルーチン２７２２と、無線端末制御ルーチン２７２４と、を含む。無線端末制御ルーチン２７２４は、モニタリングモジュール２７２６と、第１の測定モジュール２７２８、例えばビーコン信号測定モジュール、と、第２の測定モジュール２７３２、例えばパイロット信号測定モジュール、と、干渉報告生成モジュール２７３４と、信号識別モジュール２７３６と、送信時間決定モジュール２７３８と、セクター型決定モジュール２７４０と、制御モジュール２７４２と、を含む。第１の測定モジュール２７２８は、信号電力測定モジュール２３３１を含む。第２の測定モジュール２７３２は、信号電力測定モジュール２３３３を含む。
【０２２８】
通信モジュール２７２２は、無線端末２７００によって用いられる様々な通信プロトコルを実装する。モニタリングモジュール２７２６は、ブロードキャスト基地局識別情報、例えば、ビーコン及び／又はパイロットの受信された信号強度測定値が入手されてアップリンクを通じて通信することが要求されている特定の干渉報告において用いられるときの入手先である基地局アタッチメントポイントに対応するセルスロープ値等のローカルで一意の基地局識別子、を検出する。第１の測定モジュール２７２８は、第１の型の受信信号、例えばビーコン信号、を測定する。第２の信号測定モジュール２７３２は、第２の型の信号、例えばパイロット信号、を測定する。干渉報告生成モジュール２７３２は、第１の受信信号の測定及び第２の受信信号の測定に基づいて報告を生成し、前記第１の受信信号は、前記無線端末が接続を有する第１のアタッチメントポイントからの受信信号であり、前記第２の受信信号は、前記モニタリングモジュール２７２６によって検出された基地局識別情報に対応する第２のアタッチメントポイントからの受信信号である。
【０２２９】
信号識別モジュール２７３６は、複数の信号のうちの第２の信号を検出されたブロードキャスト基地局識別情報の関数として識別する。従って、信号識別は、第２の信号を識別する際にはモニタリングモジュール２７２６からの情報を用いる。幾つかの実施形態においては、検出されたブロードキャスト基地局識別情報は、第１のアタッチメントポイントからのブロードキャスト信号内において検出され、前記ブロードキャスト信号は、複数の無線端末を制御するために用いられる。
【０２３０】
送信時間決定モジュール２７３８は、生成された干渉報告が、基地局識別情報を含む制御信号が送信時間制御入力として受信されたときの時間を用いる予め決められた関数に従って送信される時間を決定する。幾つかの実施形態においては、予め決められた関数は、該送信時間を、制御信号が受信される時間からの一定の予め決められたオフセットに対応する時間に決定する。
【０２３１】
セクター型決定モジュール２７４０は、受信された基地局識別子に対応するセクター識別子を制御信号が受信される時間から決定し、前記セクター識別子は、第２のアタッチメントポイントとして交信するセクターを識別する。幾つかの実施形態においては、セクター識別子は、格納されているタイミング構造情報及び前記受信信号時間が対応する反復的構造内のタイムスロットの関数として決定される。
【０２３２】
制御モジュール２７４２は、異なる受信された制御信号に応じて異なる型の報告を生成するために干渉報告生成モジュール２７３４を制御し、前記異なる型の報告は、少なくとも第１の型の報告及び第２の型の報告を含み、前記第１の型の報告は、第１の値と第２の値の比を通信し、前記第１の値及び第２の値のうちの１つは、現在の接続のアタッチメントポイントからの信号の測定に対応し、アタッチメントポイントの前記第１及び第２の値のうちの他方の値は、現在の接続のアタッチメントポイントによって無線端末に指定され、例えば、現在の接続のアタッチメントポイントは、その他の可能性のあるアタッチメントポイント信号のうちのいずれを干渉報告の計算の際に用いるかを選択する。例えば、第１の型の報告は、特定ビーコン比報告であることができ、第２の型の報告は、一般的ビーコン比報告であることができる。１つの受信された制御信号、例えば、干渉報告要求ブロードキャスト信号内の０の値、は、一般的報告を通信するように要求されていることをシグナリングすることができる。他の受信された制御信号、例えば干渉報告要求ブロードキャスト信号内の正の整数値は、特定型ビーコン比報告が要求されていることを意味することができ、正の整数値は、第２のアタッチメントポイントを識別する際に用いられる。
【０２３３】
幾つかの実施形態においては、第２の型の報告、例えば一般的ビーコン比報告、は、１つ以上の信号に対応する信号測定情報を処理する際に最大関数又は合計関数を用いて生成される。
【０２３４】
様々な実施形態においては、干渉報告は、第１の値と第２の値の比である干渉報告であり、第１の値は、第１の信号、例えば現在の接続である第１のアタッチメントポイントからのビーコン又はパイロット信号、の測定された電力の関数であり、第２の値は、第２の信号、例えば他の基地局アタッチメントポイント、例えば同じ搬送波及び／又はトーンブロックを用いる隣接セル及び／又はセクターアタッチメントポイント、からのビーコン又はパイロット信号の測定された電力の関数である。
【０２３５】
データ／情報２７２０は、格納されたタイミング構造情報２７４４と、検出されたブロードキャスト基地局識別情報２７４６と、第１の受信された信号測定情報２７４８と、第２の受信された信号測定情報２７５０と、生成された干渉報告情報２７５２と、現アタッチメントポイント接続ＩＤ情報２７５４と、検出された基地局識別情報２７５６に対応するアタッチメントポイントと、制御信号受信時間情報２７５８と、受信されたローカルで一意の基地局識別２７６０と、識別された第２のアタッチメントポイントセクター型２７６２と、決定されたタイムスロット情報２７６４と、第１の型の干渉報告、例えば特定の干渉報告、情報２７６６と、第２の型の干渉報告、例えば一般的報告、情報２７６８と、を含む。
【０２３６】
様々な実施形態の方法及び装置は、ＯＦＤＭシステムに関して説明されている一方で、数多くのＯＦＤＭ以外の及び／又はセルラー以外のシステムを含む広範な通信システムに適用可能である。
【０２３７】
様々な実施形態においては、本明細書において説明されるノードは、１つ以上の方法に対応するステップ、例えば、信号処理、ビーコン生成、ビーコン検出、ビーコン測定、接続比較、接続実装、を実行するための１つ以上のモジュールを用いて実装される。幾つかの実施形態においては、様々な特長がモジュールを用いて実装される。該モジュールは、ソフトウェア、ハードウェア又はソフトウェアとハードウェアの組合せを用いて実装することができる。上述される方法又は方法ステップの多くは、上述される方法の全部又は一部を例えば１つ以上のノード内に実装するために、機械、例えば追加のハードウェアを有する又は有さない汎用コンピュータ、を制御するための、メモリデバイス、例えばＲＡＭ、フロッピー（登録商標）ディスク等の機械によって読み取り可能な媒体、に含まれている機械によって実行可能な命令、例えばソフトウェア、を用いて実装することができる。従って、とりわけ、様々な実施形態は、機械、例えばプロセッサ及び関連するハードウェア、に上述される方法のステップのうちの１つ以上を実行させるための機械によって実行可能な命令を含む機械によって読み取り可能な媒体を対象とする。
【０２３８】
上記の説明に鑑みて、上述される方法及び装置に関する数多くの追加の変形が当業者にとって明確になるであろう。該変形は、適用範囲内にあるとみなされるべきである。様々な実施形態の方法及び装置は、ＣＤＭＡ、直交周波数分割多重化（ＯＦＤＭ）、及び／又はアクセスノードとモバイルノードとの間において無線通信リンクを提供するために用いることができる様々なその他の型の通信技術とともに用いることができ、様々な実施形態において用いられている。幾つかの実施形態においては、アクセスノードは、ＯＦＤＭ及び／又はＣＤＭＡを用いてモバイルノードとの通信リンクを構築する基地局として実装される。様々な実施形態においては、モバイルノードは、様々な実施形態の方法を実装するための受信機／送信機回路及び論理及び／又はルーチンを含むノート型コンピュータ、パーソナルデータアシスタント（ＰＤＡ）、又はその他のポータブルデバイスとして実装される。
【図面の簡単な説明】
【０２３９】
【図１】様々な実施形態により実装される典型的通信システムを示した図である。
【図２】様々な実施形態により実装される基地局の例を示した図である。
【図３】様々な実施形態により実装される無線端末を示した図である。
【図４】無線端末が基地局セクターに接続されており、様々な実施形態により複数の干渉基地局と関連づけられた相対利得を測定するシステムを示した図である。
【図５】様々な実施形態により信号エネルギーを測定し、利得を決定し、干渉報告を提供する方法を示した流れ図である。
【図５Ａ】図５の一部を示す図である。
【図５Ｂ】図５の一部を示す図である。
【図５Ｃ】図５の一部を示す図である。
【図６】アップリンクトラフィックチャネル及びその中に含まれるセグメントを示した図である。
【図７】基地局がアップリンクトラフィックチャネルセグメントを無線端末に割り当てるために用いることができる割り当てを示した図である。
【図８】様々な実施形態により実装される典型的通信システムを示した図である。
【図９】本発明により実装される、典型的電力スケーリングファクタテーブルを含む。
【図１０】干渉報告を生成する際に様々な実施形態において用いられる典型的アップリンク負荷率テーブルを含む。
【図１１】様々な実施形態による、典型的干渉報告、例えばビーコン比報告、に関する典型的フォーマットを示すテーブルである。
【図１２】様々な実施形態により実装される、典型的直交周波数分割多重化（ＯＦＤＭ）無線通信システム、例えばＯＦＤＭ拡散スペクトル多元接続無線通信システム、を示した図である。
【図１３】図１２の典型的システムを示し、様々な特長を例示するために基地局セクターの各々に対応する追加の詳細を提供する。
【図１４】様々な実施形態による典型的ビーコン比報告方法を例示することを目的とした、図１２及び１３に示される典型的システムの図であり、無線端末によって受信及び処理される典型的シグナリングを含む。
【図１５】様々な実施形態による典型的ビーコン比報告方法を例示することを目的とする、図１２及び１３に示される典型的システムの図であり、無線端末によって受信及び処理される典型的シグナリングを含む。
【図１６】様々な実施形態による典型的ビーコン比報告方法を例示することを目的とする、図１２及び１３に示される典型的システムの図であり、無線端末によって受信及び処理される典型的シグナリングを含む。
【図１７】図１７Ａ、図１７Ｂ、図１７Ｃ、及び図１７Ｄの組合せを具備し、様々な実施形態による、無線端末、例えばモバイルノード、の典型的な動作方法の流れ図である。
【図１７Ａ】図１７の一部を示す図である。
【図１７Ｂ】図１７の一部を示す図である。
【図１７Ｃ】図１７の一部を示す図である。
【図１７Ｄ】図１７の一部を示す図である。
【図１８】典型的実施形態に関する典型的タイミング構造情報及び対応する干渉報告情報、例えばビーコン比報告の報告情報、を示した図である。
【図１９】典型的実施形態に関する典型的ビーコン比報告要求ダウンリンクシグナリング及び典型的アップリンクビーコン比報告シグナリングを示した図である。
【図２０】様々な実施形態により実装される典型的通信システムを示した図である。
【図２１】図２０の典型的システムに対応する典型的ダウンリンク制御シグナリング及びアップリンク干渉報告、例えばビーコン比報告、を示した図である。
【図２２】様々な実施形態による典型的な無線端末動作方法の流れ図である。
【図２３】様々な実施形態により実装される典型的な無線端末を示した図である。
【図２４】図２４Ａ及び図２４Ｂの組合せを具備し、典型的無線端末動作方法の流れ図である。
【図２４Ａ】図２４の一部を示す図である。
【図２４Ｂ】図２４の一部を示す図である。
【図２５】図２５Ａ及び図２５Ｂの組合せを具備し、様々な実施形態による典型的無線端末動作方法の流れ図である。
【図２５Ａ】図２５の一部を示す図である。
【図２５Ｂ】図２５の一部を示す図である。
【図２６】様々な実施形態による典型的干渉報告信号の使用及び報告計算を例示するテーブルを示した図である。
【図２７】様々な実施形態により実装される典型的無線端末を示した図である。
【図１】
2009512357.tif 000006
【図２】
2009512357.tif 000007
【図３】
2009512357.tif 000008
【図４】
2009512357.tif 000009
【図５】
2009512357.tif 000010
【図５Ａ】
2009512357.tif 000011
【図５Ｂ】
2009512357.tif 000012
【図５Ｃ】
2009512357.tif 000013
【図６】
2009512357.tif 000014
【図７】
2009512357.tif 000015
【図８】
2009512357.tif 000016
【図９】
2009512357.tif 000017
【図１０】
2009512357.tif 000018
【図１１】
2009512357.tif 000019
【図１２】
2009512357.tif 000020
【図１３】
2009512357.tif 000021
【図１４】
2009512357.tif 000022
【図１５】
2009512357.tif 000023
【図１６】
2009512357.tif 000024
【図１７】
2009512357.tif 000025
【図１７Ａ】
2009512357.tif 000026
【図１７Ｂ】
2009512357.tif 000027
【図１７Ｃ】
2009512357.tif 000028
【図１７Ｄ】
2009512357.tif 000029
【図１８】
2009512357.tif 000030
【図１９】
2009512357.tif 000031
【図２０】
2009512357.tif 000032
【図２１】
2009512357.tif 000033
【図２２】
2009512357.tif 000034
【図２３】
2009512357.tif 000035
【図２４】
2009512357.tif 000036
【図２４Ａ】
2009512357.tif 000037
【図２４Ｂ】
2009512357.tif 000038
【図２５】
2009512357.tif 000039
【図２５Ａ】
2009512357.tif 000040
【図２５Ｂ】
2009512357.tif 000041
【図２６】
2009512357.tif 000042
【図２７】
2009512357.tif 000043
【国際調査報告】
2009512357.tif 000044
2009512357.tif 000045
2009512357.tif 000046